(57)【要約】  チャネル状態情報（ＣＳＩ；Channel State Information）フィードバックのためのリソース割り当て方法を提供する。当該方法は、ダウンリンク伝送方式および各ユーザ端末装置（ＵＥ；User Equipment）のフィードバックモードを設定するステップと、１つのＵＥについて異なるフィードバックモードのさまざまなタイプが１つのサブフレーム内で互いに衝突しないように、上記設定されたダウンリンク伝送方式および上記設定されたフィードバックモードに基づいて、ＣＳＩフィードバックについて要求されたフィードバックリソースを、ＵＥごとに割り当てるステップと、設定された上記ダウンリンク伝送方式と上記フィードバックモードと割り当てられたフィードバックリソースとを、対応するＵＥのそれぞれに対して通知するステップとを含む。さらに、チャネル状態情報（ＣＳＩ）フィードバック方法を提供する。この方法は、基地局（ＢＳ；Base Station）によって設定されたダウンリンク伝送方式およびフィードバックモードに基づいて、ダウンリンクＣＳＩを基地局にフィードバックするステップと、１つのサブフレーム内で異なるフィードバックモードのさまざまなタイプが互いに衝突する場合に、衝突解消規則に基づいて、当該衝突を解消するステップとを含む。
2013531399.tif 000002
【特許請求の範囲】
【請求項１】
各ユーザ端末装置（ＵＥ）のダウンリンク伝送方式およびフィードバックモードを設定するステップと、
１つのＵＥのための、異なるフィードバックモードのさまざまなタイプが、１つのサブフレーム内で互いに衝突しないように、上記設定されたダウンリンク伝送方式およびフィードバックモードに基づいて、各ＵＥによってチャネル状態情報（ＣＳＩ）フィードバックのために要求されたフィードバックリソースを割り当てるステップと、
上記設定されたダウンリンク伝送方式と、フィードバックモードと、上記割り当てられたフィードバックリソースとを、対応する各ＵＥに通知するステップとを含む、ことを特徴とするＣＳＩフィードバックのためのリソース割り当て方法。
【請求項２】
１つのＵＥのための、１つのフィードバックモードの各タイプのフィードバック周期は、別のフィードバックモードの別のタイプのフィードバック周期の倍数であり、
異なるフィードバックモードのさまざまなタイプのサブフレームオフセットは、互いに異なっていることを特徴とする請求項１に記載のＣＳＩフィードバックのためのリソース割り当て方法。
【請求項３】
異なるフィードバックモードの同じタイプは、同じサブフレームオフセットを有していることを特徴とする請求項２に記載のＣＳＩフィードバックのためのリソース割り当て方法。
【請求項４】
１つのフィードバックモードに関して、ＲＩフィードバックのサブフレームオフセットは、ＣＱＩフィードバックのサブフレームオフセットと同じであることを特徴とする請求項１に記載のＣＳＩフィードバックのためのリソース割り当て方法。
【請求項５】
基地局（ＢＳ）によって設定されたダウンリンク伝送方式およびフィードバックモードに基づいて、ダウンリンクチャネル状態情報（ＣＳＩ）を基地局にフィードバックするステップと、
１つのサブフレーム内で異なるフィードバックモードのさまざまなタイプが互いに衝突する場合に、衝突解消規則に基づいて、当該衝突を解消するステップとを含む、ことを特徴とするＣＳＩフィードバック方法。
【請求項６】
上記衝突解消規則は、周期が長いタイプほど優先度が高くなるタイプ優先規則（type-prioritized rule）として定義され、
衝突が起こった場合、優先度の高いタイプがフィードバックされ、優先度の低いタイプは破棄されることを特徴とする請求項５に記載のＣＳＩフィードバック方法。
【請求項７】
上記衝突解消規則は、フィードバックのオーバヘッドが小さいモードほど優先度が高くなるモード優先規則（mode-prioritized rule）として定義され、モードの優先度は、上記モードに含まれているそれぞれのタイプの優先度であり、
衝突が起こった場合、優先度の高いタイプがフィードバックされ、優先度の低いタイプは破棄されることを特徴とする請求項５に記載のＣＳＩフィードバック方法。
【請求項８】
上記衝突解消規則は、各モードが予め定められた優先度を有するモード優先規則（mode-prioritized rule）として定義され、モードの優先度は、上記モードに含まれているそれぞれのタイプの優先度であり、
衝突が起こった場合、優先度の高いタイプがフィードバックされ、優先度の低いタイプは破棄されることを特徴とする請求項５に記載のＣＳＩフィードバック方法。
【請求項９】
上記衝突解消規則は、ダウンリンクプライマリキャリアコンポーネント（downlink primary carrier component）のモードが、高い優先度を有するダウンリンクプライマリキャリアコンポーネント優先規則（downlink primary carrier component-prioritized rule）として定義され、モードの優先度は、上記モードに含まれているそれぞれのタイプの優先度であり、
衝突が起こった場合、優先度の高いタイプがフィードバックされ、優先度の低いタイプは破棄されることを特徴とする請求項５に記載のＣＳＩフィードバック方法。
【請求項１０】
上記ダウンリンクプライマリキャリアコンポーネント優先規則は、さらに、非ダウンリンクプライマリキャリアコンポーネントの各モードは、１つの予め決められた優先度を有し、モードの優先度は、上記モードに含まれているそれぞれのタイプの優先度であり、
衝突が起こった場合、優先度の高いタイプがフィードバックされ、優先度の低いタイプは破棄されることを特徴とする請求項９に記載のＣＳＩフィードバック方法。
【請求項１１】
上記衝突解消規則は、より多くの量の情報を搬送するタイプが高い優先度を有するコンテンツ優先規則（content-prioritized rule）として定義され、
衝突が起こった場合、優先度の高いタイプがフィードバックされ、優先度の低いタイプは破棄されることを特徴とする請求項５に記載のＣＳＩフィードバック方法。
【請求項１２】
複数のＲＩ情報が、コーディング処理を経ずに、連結されて伝送されることを特徴とする請求項５に記載のＣＳＩフィードバック方法。
【請求項１３】
複数のＲＩ情報が、ジョイントコーディング処理にかけられた後に、同時に伝送されることを特徴とする請求項５に記載のＣＳＩフィードバック方法。
【請求項１４】
上記ジョイントコーディング処理は、指定されたフィードバックモードのＲＩを基準として、その他のフィードバックモードのＲＩは、上記基準としたＲＩに対して差分コーディングされるモード間（inter-mode）差分コーディング処理であることを特徴とする請求項１３に記載のＣＳＩフィードバック方法。
【請求項１５】
上記指定されたフィードバックモードは、ダウンリンクプライマリキャリアコンポーネントのフィードバックモードであることを特徴とする請求項１４に記載のＣＳＩフィードバック方法。
【請求項１６】
上記指定されたフィードバックモードは、上位層シグナリングでＢＳによって設定されたフィードバックモードであることを特徴とする請求項１４に記載のＣＳＩフィードバック方法。
【請求項１７】
上記ジョイントコーディング処理は、指定されたキャリアのフィードバックモードのＲＩを基準として、その他のフィードバックモードのＲＩが差分コーディングされるキャリア間（inter-carrier）差分コーディング処理であることを特徴とする請求項１３に記載のＣＳＩフィードバック方法。
【請求項１８】
上記指定されたキャリアは、ダウンリンクプライマリキャリアコンポーネントであることを特徴とする請求項１７に記載のＣＳＩフィードバック方法。
【請求項１９】
上記指定されたキャリアは、上位層シグナリングでＢＳによって設定されたキャリアであることを特徴とする請求項１７に記載のＣＳＩフィードバック方法。
【請求項２０】
複数の広帯域ＣＱＩ情報は、ジョイントコーディング処理にかけられた後に、同時に伝送されることを特徴とする請求項５に記載のＣＳＩフィードバック方法。
【請求項２１】
上記ジョイントコーディング処理は、指定されたフィードバックモードのＣＱＩを基準として、その他のフィードバックモードのＣＱＩが差分コーディングされるモード間（inter-mode）差分コーディング処理であることを特徴とする請求項２０に記載のＣＳＩフィードバック方法。
【請求項２２】
上記指定されたフィードバックモードは、ダウンリンクプライマリキャリアコンポーネントのフィードバックモードであることを特徴とする請求項２１に記載のＣＳＩフィードバック方法。
【請求項２３】
上記指定されたフィードバックモードは、上位層シグナリングでＢＳによって設定されたフィードバックモードであることを特徴とする請求項２１に記載のＣＳＩフィードバック方法。
【請求項２４】
上記ジョイントコーディング処理は、指定されたキャリアのフィードバックモードのＣＱＩを基準として、その他のフィードバックモードのＣＱＩが差分コーディングされるキャリア間（inter-carrier）差分コーディング処理であることを特徴とする請求項２０に記載のＣＳＩフィードバック方法。
【請求項２５】
上記指定されたキャリアは、ダウンリンクプライマリキャリアコンポーネントであることを特徴とする請求項２４に記載のＣＳＩフィードバック方法。
【請求項２６】
上記指定されたキャリアは、上位層シグナリングでＢＳによって設定されたキャリアであることを特徴とする請求項２４に記載のＣＳＩフィードバック方法。
【請求項２７】
複数のタイプは、コーディング処理を経ずに、連結されて伝送されることを特徴とする請求項５に記載のＣＳＩフィードバック方法。
【請求項２８】
複数のタイプは、ジョイントコーディング処理にかけられた後に、同時に伝送されることを特徴とする請求項５に記載のＣＳＩフィードバック方法。
【請求項２９】
タイプ３と同じ周期を有する新しいタイプが、Ｗ１のフィードバックのために定義され、Ｗ１は広帯域／長区間チャネル特性を示すことを特徴とする請求項５に記載のＣＳＩフィードバック方法。
【請求項３０】
タイプ２またはタイプ４の周期の倍数となる周期を有する新しいタイプが、Ｗ１のフィードバックのために定義され、Ｗ１は広帯域／長区間チャネル特性を示すことを特徴とする請求項５に記載のＣＳＩフィードバック方法。
【請求項３１】
タイプ１の周期の倍数となる周期を有する新しいタイプが、Ｗ１のフィードバックのために定義され、Ｗ１は広帯域／長区間チャネル特性を示すことを特徴とする請求項５に記載のＣＳＩフィードバック方法。
【請求項３２】
タイプ２またはタイプ４と同じフィードバックサブフレームオフセットを有する新しいタイプが、Ｗ１のフィードバックのために定義され、Ｗ１は広帯域／長区間チャネル特性を示すことを特徴とする請求項５、２９〜３１のいずれか１項に記載のＣＳＩフィードバック方法。
【請求項３３】
タイプ３と同じフィードバックサブフレームオフセットを有する新しいタイプが、Ｗ１のフィードバックのために定義され、Ｗ１は広帯域／長区間チャネル特性を示すことを特徴とする請求項５、２９〜３１のいずれか１項に記載のＣＳＩフィードバック方法。
【請求項３４】
１つのＷ１は、複数のモードで共有され、上記１つのＷ１は、広帯域／長区間チャネル特性を示すことを特徴とする請求項５、２９〜３３のいずれか１項に記載のＣＳＩフィードバック方法。
【請求項３５】
１つのＷ１は、複数のキャリアで共有され、上記１つのＷ１は、広帯域／長区間チャネル特性を示すことを特徴とする請求項５、２９〜３３のいずれか１項に記載のＣＳＩフィードバック方法。
【請求項３６】
上記複数のキャリアは、１つの伝送方式に含まれていることを特徴とする請求項３５に記載のＣＳＩフィードバック方法。
【請求項３７】
上記複数のキャリアは、すべてのキャリアのうちの、任意の数のキャリアであることを特徴とする請求項３５に記載のＣＳＩフィードバック方法。
【請求項３８】
複数のＷ１は、１つのサブフレームに統合されて伝送され、各Ｗ１は、広帯域／長区間チャネル特性を示すことを特徴とする請求項５、２９〜３７のいずれか１項に記載のＣＳＩフィードバック方法。
【請求項３９】
集合Ｓ内のより良いＭ個のサブバンドの位置と、上記Ｍ個のサブバンドのサブバンドＰＭＩと、上記Ｍ個のサブバンドごとの各々のコードワードのサブバンドＣＱＩと、集合Ｓの広帯域ＰＭＩと、集合Ｓ内の各々のコードワードの広帯域ＣＱＩと、場合によってはＲＩ情報とがフィードバックされるモード２−２Ｂという新しいモードが定義されることを特徴とする請求項５に記載のＣＳＩフィードバック方法。
【請求項４０】
集合Ｓ内の各々のサブバンドのサブバンドＰＭＩと、集合Ｓ内のサブバンドごとの各々のコードワードのＣＱＩと、集合Ｓ内の個々のコードワードの広帯域ＣＱＩと、集合Ｓの広帯域ＰＭＩと、場合によってはＲＩ情報とがフィードバックされるモード３−２という新しいモードが定義されることを特徴とする請求項５に記載のＣＳＩフィードバック方法。
【請求項４１】
サブバンドＰＭＩは、広帯域ＰＭＩに対して差分コーディングされることを特徴とする請求項３９または４０に記載のＣＳＩフィードバック方法。
【発明の詳細な説明】
【技術分野】
【０００１】
本発明は、通信技術に関するものであり、とりわけ、マルチアンテナ−マルチキャリア基地局のセルにおいて、ダウンリンクチャネル状態情報（ＣＳＩ；Channel State Information）を、ユーザ端末装置（ＵＥ；User Equipment）から、基地局（ＢＳ；Base Station）へとフィードバックするための技術に関する。
【背景技術】
【０００２】
マルチアンテナ無線伝搬技術、または、マルチ入力マルチ出力（ＭＩＭＯ；Multiple Input Multiple Output）は、送信機と受信機との両方に複数のアンテナを配置すること、および、無線伝搬における空間リソースを活用することによって、空間多重化利得および空間ダイバーシチ利得をもたらすことができる。情報理論の研究は、ＭＩＭＯシステムの容量が、送信アンテナ本数及び受信アンテナ本数の最小値に対して線形的に増加することを示している。
【０００３】
図１は、ＭＩＭＯシステムの概要を示す図である。図１に示すとおり、送信機の複数のアンテナ、および、各受信機の複数のアンテナが、空間ドメイン情報（spatial domain information）を含むマルチアンテナ無線チャネルを構成している。さらに、直交周波数分割多重方式（ＯＦＤＭ；Orthogonal Frequency Division Multiplexing）技術が、フェージングに対抗する強い性能を有し、高周波の利用を可能にする。よって、ＯＦＤＭ技術は、マルチパス環境とフェージング環境とにおける高速データ通信に向いている。ＭＩＭＯとＯＦＤＭとを組み合わせたＭＩＭＯ−ＯＦＤＭ技術は、携帯電話通信の新世代において核となる技術になってきた。
【０００４】
例えば、第３世代共同プロジェクト（３ＧＰＰ；3rd Generation Partnership Project）機関は、３Ｇセルラー通信技術の標準化において重要な役割を担っている携帯電話通信分野の国際機関である。２００４年の下半期より、上記３ＧＰＰ機関は、進化した世界共通の地上波無線アクセス（ＥＵＴＲＡ；Evolved Universal Terrestrial Radio Access）および進化した世界共通の地上波無線アクセスネットワーク（ＥＵＴＲＡＮ；Evolved Universal Terrestrial Radio Access Network）を設計するための、いわゆる、ロングタームエボリューション（ＬＴＥ；Long Term Evolution）プロジェクトを発足させた。ＭＩＭＯ−ＯＦＤＭ技術は、ＬＴＥシステムのダウンリンクに採用されている。中国の深セン（Shenzhen）市で２００８年４月に開催されたカンファレンスで、３ＧＰＰ機関は、４Ｇセルラー通信システム（現在ＬＴＥ−Ａシステムと呼ばれている）の標準化について、ディスカッションを開始した。この場合もやはり、ＭＩＭＯ−ＯＦＤＭ技術は、ＬＴＥ−Ａシステムにおける空中インターフェースにおいても、鍵となる技術になってきている。
【０００５】
ＬＴＥ−Ａシステムにおいて、キャリアアグリゲーション（ＣＡ）は新しい概念である。図２は、基地局が、複数のダウンリンクのキャリアと複数のアップリンクのキャリアを与えられるというＣＡの概念を説明する図である。多数のキャリアが、仮想的に１つのキャリアに組み合わされ、これを、キャリアアグリゲーションと呼ぶ。ＬＴＥ−Ａシステムは、最大１００ＭＨｚの帯域幅で結合された、連続するＣＡもしくは、帯域内（intra-band）または帯域間（inter-band）の非連続のＣＡをサポートする。ＬＴＥ−Ａシステムを商業用に展開する初期段階で、キャリアの有効利用を確実にするために、すなわち、ＬＴＥの各ＵＥがＬＴＥ−Ａシステムにアクセスできることを確実なものとするために、それぞれのキャリアは、ＬＴＥシステムに対して後方互換性があるように構成されなければならない。しかしながら、ＬＴＥ−Ａシステム専用のキャリアを設計することも可能である。ＬＴＥ−Ａシステムの研究段階では、関連するＣＡの研究は、連続するＣＡのためのスペクトルの利用を向上させること、アップリンク／ダウンリンクの非対称のＣＡシナリオのための制御チャネルを設計すること、などに焦点を当てている。ここで、制御信号の設計は、ＵＥからＢＳへのダウンリンクＣＳＩのフィードバックを含む。
【０００６】
ダウンリンクＣＳＩのフィードバック用に、物理アップリンク制御チャネル（ＰＵＣＣＨ；Physical Uplink Control CHannel）と、物理アップリンク共有チャネル（ＰＵＳＣＨ；Physical Uplink Shared CHannel）の２つのフィードバックチャネルがある。通常、ＰＵＣＣＨは、低負荷の、同期された、基本的なＣＳＩを送信するために構成される。一方、ＰＵＳＣＨは、高負荷の、突発的で、拡張されたＣＳＩを送信するために構成される。ＰＵＣＣＨでは、完全なＣＳＩは、複数の異なるサブフレームにおいて送信される、複数の異なるフィードバックコンテンツで構成される。一方、ＰＵＳＣＨでは、完全なＣＳＩは、１つのサブフレーム内で送信される。このような設計原則は、ＬＥＴ−Ａシステムにおいても適用可能なままである。
【０００７】
フィードバックコンテンツは、３つのカテゴリに分類される。すなわち、チャネル品質インデックス（ＣＱＩ；Channel Quality Index）、プレコーディング行列インデックス（ＰＭＩ；Pre-coding Matrix Index）、および、ランクインデックス（ＲＩ；Rank Index）である。これらすべてはビット量子化されたフィードバックである。ＬＴＥ−Ａシステムにおいても、これらの３つのカテゴリのコンテンツは、主要なフィードバックコンテンツである。ＰＭＩについては、現在のところ、ＰＭＩは２つのプレコーディング行列インデックス＃１および＃２（Ｗ１およびＷ２）によって集合的に設定される、ということで同意されている。なお、Ｗ１は、広帯域／長区間（broadband/long-term）チャネル特性を示し、Ｗ２は、サブバンド／ショートターム（sub-band/short-term）チャネル特性を示す。Ｗ１およびＷ２のＰＵＣＣＨでの送信では、サブフレーム内でＷ１とＷ２とを同時にフィードバックする必要はない。さらに、Ｗ１またはＷ２は、フィードバックを省略されてもよい。このことは、３ＧＰＰのＲ１−１０２５７９号“Way forward on Rel.10 feedback”に記載されている。
【０００８】
ＣＳＩのフィードバックに対応する周波数エリアのすべてを集合Ｓと称する。単一のキャリアしかない状況のＬＴＥシステムでは、上記集合Ｓは、当該システムのキャリア帯域幅と同等に定義される。さらに複数のキャリアが存在する状況のＬＴＥ−Ａシステムでは、上記集合Ｓは、１つの単一のキャリアの帯域幅と同等、または、複数のキャリアの帯域幅の合計と同等に定義され得る。
【０００９】
ＬＴＥシステムでは、ダウンリンクデータのためのＭＩＭＯ伝送方式として、以下の８つのタイプが定義される。
【００１０】
１）単一アンテナ伝送方式：これは、単一アンテナのＢＳにおいて単一の伝送を行う際に使用される。この方式は、ＭＩＭＯシステムにおける特殊な事例であり、単一レイヤのデータのみを伝送できる。
【００１１】
２）ダイバーシチ伝送方式：ＭＩＭＯシステムでは、時間および／または周波数に関するダイバーシチの効果を利用して信号を送信することができる。結果として、上記信号の受信品質を高めることができる。この方式は、単一レイヤのデータのみを伝送できる。
【００１２】
３）開ループ空間分割多重方式：これは、ＵＥからのＰＭＩフィードバックを必要としない空間分割多重方式である。
【００１３】
４）閉ループ空間分割多重方式：これは、ＵＥからのＰＭＩフィードバックを必要とする空間分割多重方式である。
【００１４】
５）マルチユーザＭＩＭＯ方式：この方式では、複数のＵＥが同時に、ＭＩＭＯシステムのダウンリンク通信に参加する。
【００１５】
６）閉ループ単一レイヤプレコーディング方式：１つの単一レイヤのデータだけが、ＭＩＭＯシステムを利用して伝送される。ＵＥからのＰＭＩフィードバックを必要とする。
【００１６】
７）ビームフォーミング伝送方式：ビームフォーミング技術がＭＩＭＯシステムに採用される。専用の参照信号がＵＥでのデータ復調のために用いられる。１つの単一レイヤのデータだけがＭＩＭＯシステムを使って伝送される。ＵＥからのＰＭＩフィードバックを必要としない。
【００１７】
８）二層ビームフォーミング伝送方式：ＵＥがＰＭＩおよびＲＩをフィードバックするように、あるいは、フィードバックしないように、ＵＥを構成することができる。
【００１８】
ＬＴＥ−Ａシステムでは、上述の８つのタイプの伝送方式は、維持されてもよいし、および／または、削除されてもよい。ならびに／もしくは、新しい伝送方式、すなわち、動的ＭＩＭＯスイッチング方式が追加されてもよい。この方式によれば、ＢＳは、ＵＥが動作中のＭＩＭＯモードを動的に調節することができる。
【００１９】
上述のＭＩＭＯ伝送方式をサポートするために、多様なＣＳＩフィードバックモードがＬＴＥシステムにおいて定義される。各ＭＩＭＯ伝送方式は、多数のＣＳＩフィードバックモードに対応する。詳細は、以下のとおりである。
【００２０】
ＰＵＣＣＨについて、モード１−０、モード１−１、モード２−０およびモード２−１の、４つのＣＳＩフィードバックモードがある。これらのモードは、以下の４つのタイプのフィードバックの組み合わせである。
【００２１】
１）タイプ１：帯域の一部（ＢＰ；Band Part；集合Ｓの部分集合で、そのサイズは集合Ｓのサイズに依存する）における１つのより良いサブバンド位置、および、サブバンドについてのＣＱＩ。それぞれのオーバヘッドは、サブバンド位置にＬビット、第一コードワードのＣＱＩに４ビット、および、第一コードワードのＣＱＩに対して差分コーディングされることが可能な第２コードワードのＣＱＩに３ビットである。
【００２２】
２）タイプ２：広帯域ＣＱＩおよびＰＭＩ。それぞれのオーバヘッドは、第一コードワードのＣＱＩに４ビット、第一コードワードのＣＱＩに対して差分コーディングされることが可能な第２コードワードのＣＱＩに３ビット、および、ＢＳのアンテナ構成に依存するＰＭＩに１、２、または４ビットである。
【００２３】
３）タイプ３：ＲＩ。ＲＩのオーバヘッドは、ＢＳのアンテナ構成に依存して、２つのアンテナでは１ビット、または、４つのアンテナでは２ビットである。
【００２４】
４）タイプ４：広帯域ＣＱＩ。オーバヘッドは、常に４ビットである。
【００２５】
ＵＥは、上述のそれぞれ異なるタイプに対応しているＢＳに対して、それぞれ異なる情報をフィードバックする。
【００２６】
モード１−０は、タイプ３とタイプ４との組み合わせである。つまり、タイプ３のフィードバックおよびタイプ４のフィードバックが、異なる周期で、および／または、異なるサブフレームのオフセットで実行される。モード１−０では、集合Ｓにおける第一コードワードの広帯域ＣＱＩ、および、場合によってはＲＩ情報がフィードバックされる。
【００２７】
モード１−１は、タイプ３とタイプ２との組み合わせである。つまり、タイプ３のフィードバックおよびタイプ２のフィードバックが、異なる周期で、および／または、異なるサブフレームのオフセットで実行される。モード１−１では、集合Ｓの広帯域ＰＭＩ、個々のコードワードの広帯域ＣＱＩ、および、場合によってはＲＩ情報がフィードバックされる。
【００２８】
モード２−０は、タイプ３、タイプ４、および、タイプ１の組み合わせである。つまり、タイプ３のフィードバック、タイプ４のフィードバックおよびタイプ１のフィードバックが、異なる周期で、および／または、異なるサブフレームのオフセットで実行される。モード２−０では、集合Ｓにおける第一コードワードの広帯域ＣＱＩ、場合によってはＲＩ情報が、ＢＰにおける１つのより良いサブバンド位置、および、サブバンドのＣＱＩと同様にフィードバックされる。
【００２９】
モード２−１は、タイプ３、タイプ２、および、タイプ１の組み合わせである。つまり、タイプ３のフィードバック、タイプ２のフィードバックおよびタイプ１のフィードバックが、異なる周期で、および／または、異なるサブフレームのオフセットで実行される。モード２−１では、集合Ｓにおける広帯域ＰＭＩ、個々のコードワードの広帯域ＣＱＩ、場合によってはＲＩ情報が、ＢＰにおける１つのより良いサブバンド位置、および、サブバンドのＣＱＩと同様にフィードバックされる。
【００３０】
ＭＩＭＯ伝送方式と、ＣＳＩフィードバックモードとの間には、以下の対応関係がある。
ＭＩＭＯ伝送方式１）：モード１−０およびモード２−０
ＭＩＭＯ伝送方式２）：モード１−０およびモード２−０
ＭＩＭＯ伝送方式３）：モード１−０およびモード２−０
ＭＩＭＯ伝送方式４）：モード１−１およびモード２−１
ＭＩＭＯ伝送方式５）：モード１−１およびモード２−１
ＭＩＭＯ伝送方式６）：モード１−１およびモード２−１
ＭＩＭＯ伝送方式７）：モード１−０およびモード２−０
ＭＩＭＯ伝送方式８）：モード１−１およびモード２−１（ＵＥからのＰＭＩ／ＲＩのフィードバック有り）
ＭＩＭＯ伝送方式８）：モード１−０およびモード２−０（ＵＥからのＰＭＩ／ＲＩのフィードバック無し）。
【００３１】
一方、ＰＵＳＣＨについては、モード１−２、モード３−０、モード３−１、モード２−０、および、モード２−２の、５つのＣＳＩフィードバックモードがある。
【００３２】
モード１−２では、集合Ｓにおける個々のサブバンドのＰＭＩ、集合Ｓにおける個々のサブバンドの広帯域ＣＱＩ、および、場合によってはＲＩ情報がフィードバックされる。
【００３３】
モード３−０では、集合Ｓにおける各サブバンドの第一コードワードのＣＱＩ、集合Ｓにおける第一コードワードの広帯域ＣＱＩ、および、場合によってはＲＩ情報がフィードバックされる。ここで、サブバンドＣＱＩは、フィードバックのオーバーヘッドを削減するために、広帯域ＣＱＩと差分コーディングされる。
【００３４】
モード３−１では、集合Ｓにおける各サブバンドの個々のコードワードのＣＱＩ、集合Ｓにおける個々のコードワードの広帯域ＣＱＩ、集合Ｓの広帯域ＰＭＩ、および、場合によってはＲＩ情報がフィードバックされる。ここで、サブバンドＣＱＩは、フィードバックのオーバーヘッドを削減するために、広帯域ＣＱＩと差分コーディングされる。
【００３５】
モード２−０では、集合Ｓにおけるより良いＭ個のサブバンドの位置、Ｍ個のサブバンドの各々における第一コードワードの広帯域ＣＱＩ、集合Ｓにおける第一コードワードの広帯域ＣＱＩ、および、場合によってはＲＩ情報がフィードバックされる。
【００３６】
モード２−２では、集合Ｓにおけるより良いＭ個のサブバンドの位置、Ｍ個のサブバンドの広帯域ＰＭＩ、Ｍ個のサブバンドの各々における個々のコードワードの広帯域ＣＱＩ、集合Ｓの広帯域ＰＭＩ、集合Ｓにおける個々のコードワードの広帯域ＣＱＩ、および、場合によってはＲＩ情報がフィードバックされる。
【００３７】
ＭＩＭＯ伝送方式と、ＣＳＩフィードバックモードとには、以下の対応関係がある。
ＭＩＭＯ伝送方式１）：モード２−０およびモード２−０
ＭＩＭＯ伝送方式２）：モード２−０およびモード３−０
ＭＩＭＯ伝送方式３）：モード２−０およびモード３−０
ＭＩＭＯ伝送方式４）：モード１−２、モード２−２およびモード３−１
ＭＩＭＯ伝送方式５）：モード３−１
ＭＩＭＯ伝送方式６）：モード１−２、モード２−２およびモード３−１
ＭＩＭＯ伝送方式７）：モード２−０およびモード３−０
ＭＩＭＯ伝送方式８）：モード１−２、モード２−２およびモード３−１（ＵＥからのＰＭＩ／ＲＩのフィードバック有り）
ＭＩＭＯ伝送方式８）：モード２−０およびモード３−０（ＵＥからのＰＭＩ／ＲＩのフィードバック無し）
現状、ＬＴＥ−Ａシステムでは、ＣＳＩのフィードバックに利用可能な言及がほとんどない。このことは標準化プロセスにおいても議論されてこなかったからである。以下のフィードバックの一般的な設計に主に焦点を当てた文献が存在するだけである。
【００３８】
１）ＣＳＩのフィードバック設計に関する基本原則。周期的なフィードバックは、最大５つのダウンリンクキャリアに対応することができ、１つのアップリンクキャリアにフィードバックをマッピングするために、リリース８において指定されているのと類似の設計原則を利用する。さらに、フィードバックのオーバヘッドを削減する方法、および、フィードバックチャネルの負荷を増加する方法を検討する必要がある。しかしながら、この基本設計原則は、具体的な実装を開示しておらず、ここに埋めなければならない技術的なギャップがある。３ＧＰＰ  ＲＡＮ１の報告書“Final Report of 3GPP TSG RAN WG1#58bis v1.0.0”を参照することができる。
【００３９】
２）周波数ドメイン／時間ドメイン／空間ドメインの差分フィードバック。ＵＥは、フィードバックのオーバーヘッドを削減するために、周波数ドメイン／時間ドメイン／空間ドメインにおけるフィードバック情報に対して、当該情報をＢＳにフィードバックする前に、差分処理を実行する。しかしながら、誤った伝播およびマルチキャリアの環境下で、差分フィードバックを実行する方法は、依然、研究すべき課題となっている。インテル社の文献３ＧＰＰ  Ｒ１−１０１８０８号“Evaluation of enhanced MIMO feedbacks for LTE-A”を参照することができる。
【００４０】
３）多重特性に基づくフィードバック。空間ドメインＣＳＩについて、複数のフィードバックが、様々な観点から量子化し特徴付けをする手段によって、実行される。クァルコム社の文献３ＧＰＰ  Ｒ１−１０２３３６号“Extending Rel-8/9 UE feedback for improved performance”を参照することができる。
【００４１】
４）ＰＵＳＣＨおよびＰＵＣＣＨを介してのフィードバックに関する新たな課題に関する記載。上記課題としては、とりわけ、２つのコードブック設計におけるＷ１およびＷ２についての具体的な定義、非周期的なＰＵＳＣＨを介してのフィードバックに関する強化技術、および、フィードバックのオーバヘッドの圧縮などが含まれる。今までに、これらの課題に対する効果的な解決策は、存在していない。ＮＴＴ  ＤＯＣＯＭＯ社の文献３ＧＰＰ  Ｒ１−１０２３０２号“CSI Feedback Enhancement for LTE-Advanced”を参照することができる。
【発明の概要】
【発明が解決しようとする課題】
【００４２】
本発明の目的は、ＣＳＩフィードバックのためのリソース割り当て方法、および、ＣＳＩフィードバックの新しい方法を提供することにより、従来技術において、不十分かつ実施不可能なダウンリンクＣＳＩのフィードバックの課題を解決することである。
【課題を解決するための手段】
【００４３】
本発明の第１の解決手段によれば、チャネル状態情報（ＣＳＩ）フィードバックのためのリソース割り当て方法が提供される。当該方法は、各ユーザ端末装置（ＵＥ；User Equipment）のダウンリンク伝送方式およびフィードバックモードを設定するステップと、１つのＵＥのための、異なるフィードバックモードのさまざまなタイプが、１つのサブフレーム内で互いに衝突しないように、上記設定されたダウンリンク伝送方式およびフィードバックモードに基づいて、各ＵＥによってＣＳＩフィードバックのために要求されたフィードバックリソースを割り当てるステップと、上記設定されたダウンリンク伝送方式と、フィードバックモードと、上記割り当てられたフィードバックリソースとを、対応する各ＵＥに通知するステップとを含む。
【００４４】
好ましくは、１つのＵＥのための、１つのフィードバックモードの各タイプのフィードバック周期は、別のフィードバックモードの別のタイプのフィードバック周期の倍数である。また、異なるフィードバックモードのさまざまなタイプのサブフレームオフセットは、互いに異なっている。
【００４５】
さらに好ましくは、異なるフィードバックモードの同じタイプは、同じサブフレームオフセットを有している。
【００４６】
好ましくは、１つのフィードバックモードに関して、ＲＩフィードバックのサブフレームオフセットは、ＣＱＩフィードバックのサブフレームオフセットと同じである。
【００４７】
本発明の第２の解決手段によれば、チャネル状態情報（ＣＳＩ）フィードバック方法が提供される。このＣＳＩフィードバック方法は、基地局（ＢＳ；Base Station）によって設定されたダウンリンク伝送方式およびフィードバックモードに基づいて、ダウンリンクＣＳＩを基地局にフィードバックするステップと、１つのサブフレーム内で異なるフィードバックモードのさまざまなタイプが互いに衝突する場合に、衝突解消規則（collision solution rule）に基づいて、当該衝突を解消するステップとを含む。
【００４８】
好ましくは、上記衝突解消規則は、周期が長いタイプほど優先度が高くなるタイプ優先規則（type-prioritized rule）として定義される。衝突が起こった場合、優先度の高いタイプがフィードバックされ、優先度の低いタイプは破棄される。
【００４９】
好ましくは、上記衝突解消規則は、フィードバックのオーバヘッドが小さいモードほど優先度が高くなるモード優先規則（mode-prioritized rule）として定義される。モードの優先度は、上記モードに含まれているそれぞれのタイプの優先度である。衝突が起こった場合、優先度の高いタイプがフィードバックされ、優先度の低いタイプは破棄される。
【００５０】
好ましくは、上記衝突解消規則は、各モードが予め定められた優先度を有するモード優先規則（mode-prioritized rule）として定義される。モードの優先度は、上記モードに含まれているそれぞれのタイプの優先度である。衝突が起こった場合、優先度の高いタイプがフィードバックされ、優先度の低いタイプは破棄される。
【００５１】
好ましくは、上記衝突解消規則は、ダウンリンクプライマリキャリアコンポーネント（downlink primary carrier component）のモードが、高い優先度を有するダウンリンクプライマリキャリアコンポーネント優先規則（downlink primary carrier component-prioritized rule）として定義される。モードの優先度は、上記モードに含まれているそれぞれのタイプの優先度である。衝突が起こった場合、優先度の高いタイプがフィードバックされ、優先度の低いタイプは破棄される。
【００５２】
好ましくは、上記衝突解消規則は、より多くの量の情報を搬送するタイプが高い優先度を有するコンテンツ優先規則（content-prioritized rule）として定義される。衝突が起こった場合、優先度の高いタイプがフィードバックされ、優先度の低いタイプは破棄される。
【００５３】
好ましくは、複数のＲＩ情報が、コーディング処理を経ずに、連結されて伝送される。
【００５４】
好ましくは、複数のＲＩ情報が、ジョイントコーディング処理にかけられた後に、同時に伝送される。
【００５５】
より好ましくは、上記ジョイントコーディング処理は、指定されたフィードバックモードのＲＩを基準として、その他のフィードバックモードのＲＩは、上記基準としたＲＩに対して差分コーディングされるモード間（inter-mode）差分コーディング処理である。さらに、指定されたフィードバックモードは、ダウンリンクプライマリキャリアコンポーネントのフィードバックモードである。あるいは、指定されたフィードバックモードは、上位層シグナリングでＢＳによって設定されたフィードバックモードである。
【００５６】
より好ましくは、上記ジョイントコーディング処理は、指定されたキャリアのフィードバックモードのＲＩを基準として、その他のフィードバックモードのＲＩが差分コーディングされるキャリア間（inter-carrier）差分コーディング処理である。さらに、指定されたキャリアは、ダウンリンクプライマリキャリアコンポーネントである。あるいは、指定されたキャリアは、上位層シグナリングでＢＳによって設定されたキャリアである。
【００５７】
好ましくは、複数の広帯域ＣＱＩ情報は、ジョイントコーディング処理にかけられた後に、同時に伝送される。
【００５８】
より好ましくは、上記ジョイントコーディング処理は、指定されたフィードバックモードのＣＱＩを基準として、その他のフィードバックモードのＣＱＩが差分コーディングされるモード間（inter-mode）差分コーディング処理である。さらに、指定されたフィードバックモードは、ダウンリンクプライマリキャリアコンポーネントのフィードバックモードである。あるいは、指定されたフィードバックモードは、上位層シグナリングでＢＳによって設定されたフィードバックモードである。
【００５９】
より好ましくは、上記ジョイントコーディング処理は、指定されたキャリアのフィードバックモードのＣＱＩを基準として、その他のフィードバックモードのＣＱＩが差分コーディングされるキャリア間（inter-carrier）差分コーディング処理である。さらに、指定されたキャリアは、ダウンリンクプライマリキャリアコンポーネントである。あるいは、指定されたキャリアは、上位層シグナリングでＢＳによって設定されたキャリアである。
【００６０】
好ましくは、複数のタイプは、コーディング処理を経ずに、連結されて伝送される。
【００６１】
好ましくは、複数のタイプは、ジョイントコーディング処理にかけられた後に、同時に伝送される。
【００６２】
好ましくは、タイプ３と同じ周期を有する新しいタイプが、Ｗ１のフィードバックのために定義される。
【００６３】
好ましくは、タイプ２またはタイプ４の周期の倍数となる周期を有する新しいタイプが、Ｗ１のフィードバックのために定義される。
【００６４】
好ましくは、タイプ１の周期の倍数となる周期を有する新しいタイプが、Ｗ１のフィードバックのために定義される。
【００６５】
好ましくは、タイプ２またはタイプ４と同じフィードバックサブフレームオフセットを有する新しいタイプが、Ｗ１のフィードバックのために定義される。
【００６６】
好ましくは、タイプ３と同じフィードバックサブフレームオフセットを有する新しいタイプが、Ｗ１のフィードバックのために定義される。
【００６７】
好ましくは、１つのＷ１は、複数のモードで共有される。
【００６８】
好ましくは、１つのＷ１は、複数のキャリアで共有される。より好ましくは、上記複数のキャリアは、１つの伝送方式に含まれている。あるいは、上記複数のキャリアは、すべてのキャリアのうちの、任意の数のキャリアであってもよい。
【００６９】
好ましくは、複数のＷ１は、１つのサブフレームに統合されて伝送される。
【００７０】
好ましくは、集合Ｓ内のより良いＭ個のサブバンドの位置と、上記Ｍ個のサブバンドのサブバンドＰＭＩと、上記Ｍ個のサブバンドごとの各々のコードワードのサブバンドＣＱＩと、集合Ｓの広帯域ＰＭＩと、集合Ｓ内の各々のコードワードの広帯域ＣＱＩと、場合によってはＲＩ情報とがフィードバックされるモード２−２Ｂという新しいモードが定義される。
【００７１】
好ましくは、集合Ｓ内の各々のサブバンドのサブバンドＰＭＩと、集合Ｓ内のサブバンドごとの各々のコードワードのＣＱＩと、集合Ｓ内の個々のコードワードの広帯域ＣＱＩと、集合Ｓの広帯域ＰＭＩと、場合によってはＲＩ情報とがフィードバックされるモード３−２という新しいモードが定義される。
【００７２】
好ましくは、サブバンドＰＭＩは、広帯域ＰＭＩに対して差分コーディングされる。
【図面の簡単な説明】
【００７３】
本発明についての、上述のおよびその他の、目的、特徴および利点は、参照する図面に表された以下の好ましい実施形態によってより明らかになるであろう。
【図１】ＭＩＭＯシステムの概要を示す図である。
【図２】キャリアアグリゲーションの概要を示す図である。
【図３】マルチセルセルラー通信システムの概要を示す図である。
【図４】本発明に係るＣＳＩフィードバックのためのリソース割り当て方法を示すフローチャートである。
【図５】本発明に係るＣＳＩフィードバック方法を示すフローチャートである。
【発明を実施するための形態】
【００７４】
本発明の好ましい実施形態について、図面を参照することにより詳細に説明する。以下の説明では、本発明の必須ではない細かな点および機能は、本発明の概念をあいまいにしないように適宜省略される。
【００７５】
本発明の実施工程を明確に、かつ、詳細に説明するために、ＬＴＥ−Ａセルラー通信システムに適用可能ないくつかの具体例を以下に示す。本願発明は、具体的に示される実施形態に限定されないことをここに述べておく。むしろ、本願発明は、その他の通信システム、例えば、将来の第５世代システムなどにも適用可能である。
【００７６】
図３は、マルチセルセルラー通信システムの概要を示す図である。セルラーシステムは、サービス受信可能地域を、幾つかの近接する無線受信可能エリア（すなわちセル）に分割する。図３では、サービスエリアの全体が、セル１００、１０２、および、１０４によって構成されている。セルの各々は、説明のために六角形で示されている。基地局（ＢＳ）２００、２０２、および、２０４は、それぞれ、セル１００、１０２、および、１０４に対応付けられている。当業者には公知であるが、ＢＳ２００〜２０４の各々は、少なくとも送信機と受信機とを備えている。ここで、一般にセル内でサービングノードとなるＢＳは、リソーススケジューリング機能を持つ独立ＢＳ、独立したＢＳに属する送信ノード、または、中継ノード（一般にセルの対象範囲（カバレッジ、coverage）をさらに広げるために構成される）などになり得ることに注目する。図３に示すとおり、ＢＳ２００〜２０４の各々は、セル１００〜１０４のうちの対応する１つの所定のエリアに配置され、全指向性（omni-directional）アンテナが設けられている。しかしながら、セルラー通信システムのためのセル配置において、ＢＳ２００〜２０４の各々に、一般にセクタと呼ばれる、セル１００〜１０４のうちの１つで対応する部分的なエリアを指向的にカバーするために、指向性（directional）アンテナも設けることもできる。こうして図３において示される、マルチセルセルラー通信システムの図は、単に説明のために示されたのであって、本発明に係るセルラーシステムの実施態様を上述の特定の例に限定されることを意味しない。
【００７７】
図３に示すとおり、ＢＳ２００〜２０４は、Ｘ２インターフェース３００、３０２および３０４を介して、互いに接続されている。ＬＴＥシステムでは、基地局、無線ネットワーク制御ユニット、および、コアネットワークを含む、３層ノードネットワークアーキテクチャは、無線ネットワーク制御ユニットの機能は基地局に割り当てられ、“Ｘ２”と呼ばれる有線インターフェースによって、基地局間の協調および通信が行われるという２層ノードアーキテクチャに簡略化されている。
【００７８】
図３において、ＢＳ２００〜２０４はまた、空中インターフェース（air interface）であるＡ１インターフェース３１０、３１２および３１４を介して、互いに接続されている。将来の通信システムにおいては、中継ノードという概念を導入する可能性がある。中継ノードは、無線インターフェースを介して互いに接続されていて、基地局を特別な中継ノードと考えることができる。こうして、“Ａ１”と呼ばれる無線インターフェースを、基地局間の協調および通信のために利用することが可能となる。
【００７９】
さらに、ＢＳ２００〜２０４の上位層エンティティ２２０を図３に示す。上位層エンティティ２２０は、ゲートウェイであったり、または、移動管理エンティティなどの他のネットワークエンティティであったりしてもよい。上記上位層エンティティ２２０は、Ｓ１インターフェース３２０、３２２および３２４を介して、基地局２００〜２０４に接続されている。ＬＴＥシステムでは、“Ｓ１”と呼ばれる有線インターフェースは、上記上位層エンティティと上記基地局との間の協調および通信のために定義される。
【００８０】
図３に示すとおり、多くのユーザ端末装置（ＵＥｓ；User Equipments）４００〜４３０が、セル１００〜１０４上に分布している。当業者には分かるとおり、ＵＥ４００〜４３０のそれぞれは、送信機、受信機、および、移動端末制御ユニット（mobile terminal control unit）を備えている。ＵＥ４００〜４３０は、それぞれのサービングＢＳ（ＢＳ２００〜２０４のうちのいずれか）を介して、セルラー通信システムにアクセスすることができる。図３には、１６個のＵＥのみが図示されているが、実際には、非常に多数のＵＥが存在することを理解されたい。上記を踏まえて、図３におけるＵＥの描写はまた、説明のみを目的として記載されているものである。ＵＥ４００〜４３０の各々は、それぞれのサービングＢＳを介して、セルラー通信システムにアクセスすることができる。通信サービスを特定のＵＥに直接提供するＢＳが、そのＵＥのサービングＢＳと呼ばれる一方、その他のＢＳは、そのＵＥの非サービングＢＳと呼ばれる。非サービングＢＳは、サービングＢＳの協同ＢＳとして機能すること、および、サービングＢＳとともに、上記ＵＥに通信サービスを提供することができる。
【００８１】
本実施形態の説明のために、ＵＥ４１６は、２本の受信アンテナを備えているものと考える。ＵＥ４１６のサービングＢＳは、ＢＳ２０２であり、非サービングＢＳは、ＢＳ２００および２０４である。本実施形態では、ＵＥ４１６に焦点を当てているが、本発明が１つのＵＥが存在するのケースのみに適用可能であるということを示唆しているわけではない。むしろ、本発明は、複数のＵＥが存在するケースにも十分に適用可能である。例えば、本発明の方法を、図３に示されるように、ＵＥ４０８、４１０、４３０などに適用することが可能である。
【００８２】
さらに、３ＧＰＰの文献ＴＲ３６．２１３  Ｖ９．１．０、“Physical layer procedures”によれば、２０ＭＨｚの帯域を持つダウンリンクＬＴＥシステムにおいて、周波数ドメインには、制御シグナリングエリアに加えて、約９６のスペクトルリソースブロックが存在する。定義によれば、これらのスペクトルリソースブロックは、周波数に基づいて降順にソートされる。全部で８つの連続したスペクトルリソースブロックはサブバンドと呼ばれる。つまり、サブバンドは、約１２個存在する。なお、標準プロトコルに準拠した上述のサブバンドの定義は、本発明の実施形態を説明するために例示されたものである。本発明の応用は、上述の定義に限定されず、その他の定義にも十分に適用することが可能である。本発明の実施形態を読めば、当業者は、本発明の解決手段がサブバンドの一般的な定義に適用可能であるということを理解することができる。
【００８３】
図４は、本発明に係るＣＳＩフィードバックのためのリソース割り当て方法を示すフローチャートである。
【００８４】
図４に示すとおり、本発明に係るＣＳＩフィードバックのためのリソース割り当て方法は、以下のステップを含む。ステップＳ４００にて、ＵＥごとのダウンリンク伝送方式およびフィードバックモードが設定される。ステップＳ４１０にて、各ＵＥによってＣＳＩフィードバックのために要求されたフィードバックリソースが、設定されたダウンリンク伝送方式およびフィードバックモードに基づいて、割り当てられると、１つのＵＥのための異なるフィードバックモードのさまざまなタイプが、１つのサブフレーム内で互いに衝突し合わなくなる。ステップＳ４２０にて、各ＵＥは、設定されたダウンリンク伝送方式、フィードバックモード、および、割り当てられたフィードバックリソースを通知される。
【００８５】
１つのＵＥのための異なるフィードバックモードのさまざまなタイプが、１つのサブフレーム内で互いに衝突し合わないようにするために、１つのＵＥのための１つのフィードバックモードの各タイプのフィードバック周期は、別のフィードバックモードの別のタイプのフィードバック周期の倍数として、設定されてもよく、また、異なるフィードバックモードのさまざまなタイプのサブフレームオフセットは、互いに異なっていてもよい。
【００８６】
さらに、異なるフィードバックモードの同じタイプは、同じサブフレームオフセットを有している。
【００８７】
さらに、１つのフィードバックモードにおいて、ＲＩフィードバックのサブフレームオフセットは、ＣＱＩフィードバックのサブフレームオフセットと同じである。
【００８８】
図５は、本発明に係るＣＳＩフィードバック方法を示すフローチャートである。
【００８９】
図５に示すとおり、本発明に係るＣＳＩフィードバック方法は、以下のステップを含む。ステップＳ５００では、ＢＳによって設定されたダウンリンク伝送方式およびフィードバックモードに基づいて、ダウンリンクＣＳＩが、基地局（ＢＳ）へとフィードバックされる。ステップＳ５１０では、異なるフィードバックモードの様々なタイプが１つのサブフレーム内で互いに衝突し合う場合に、衝突解消規則に基づいて、上記衝突を解消する。
【００９０】
例えば、上記衝突解消規則は、より長い周期のタイプがより高い優先度を持つというタイプ優先規則（type-prioritized rule）として定義される。衝突が起こった場合、高い優先度を持つタイプがフィードバックされ、低い優先度を持つタイプは破棄される。
【００９１】
あるいは、上記衝突解消規則は、より低いフィードバックのオーバヘッドを持つモードがより高い優先度を持つというモード優先規則（mode-prioritized rule）として定義される。モードの優先度は、上記モードに含まれているそれぞれのタイプの優先度となる。衝突が起こった場合、高い優先度を持つタイプがフィードバックされ、低い優先度を持つタイプは破棄される。
【００９２】
あるいは、上記衝突解消規則は、各モードが予め定められた優先度を持つというモード優先規則（mode-prioritized rule）として定義される。モードの優先度は、上記モードに含まれているそれぞれのタイプの優先度となる。衝突が起こった場合、高い優先度を持つタイプがフィードバックされ、低い優先度を持つタイプは破棄される。
【００９３】
あるいは、上記衝突解消規則は、ダウンリンクプライマリキャリアコンポーネントのモードが高い優先度を持つというダウンリンクプライマリキャリアコンポーネント優先規則（downlink primary carrier component-prioritized rule）として定義される。モードの優先度は、上記モードに含まれているそれぞれのタイプの優先度となる。衝突が起こった場合、高い優先度を持つタイプがフィードバックされ、低い優先度を持つタイプは破棄される。
【００９４】
あるいは、上記衝突解消規則は、より多くの情報を運ぶタイプがより高い優先度を持つというコンテンツ優先規則（content-prioritized rule）として定義される。衝突が起こった場合、高い優先度を持つタイプがフィードバックされ、低い優先度を持つタイプは破棄される。
【００９５】
さらに、複数のＲＩ情報は、コーディング処理を経ずに、連結されて伝送されてもよい。
【００９６】
あるいは、複数のＲＩ情報は、ジョイントコーディング処理にかけられた後に、同時に伝送されてもよい。
【００９７】
例えば、ジョイントコーディング処理は、指定されたフィードバックモードのＲＩを基準として、その他のフィードバックモードのＲＩが差分コーディングされるモード間（inter-mode）差分コーディング処理である。その上、上記指定されたフィードバックモードは、ダウンリンクプライマリキャリアコンポーネントのフィードバックモードである。あるいは、上記指定されたフィードバックモードは、上位層シグナリングでＢＳによって設定されたフィードバックモードである。
【００９８】
あるいは、上記ジョイントコーディング処理は、指定されたキャリアのフィードバックモードのＲＩを基準として、その他のフィードバックモードのＲＩが差分コーディングされるキャリア間（inter-carrier）差分コーディング処理である。さらに、指定されたキャリアは、ダウンリンクプライマリキャリアコンポーネントである。あるいは、指定されたキャリアは、上位層シグナリングでＢＳによって設定されたキャリアである。
【００９９】
さらに、複数の広帯域ＣＱＩ情報が、ジョイントコーディング処理にかけられた後に、同時に伝送されてもよい。
【０１００】
例えば、上記ジョイントコーディング処理は、指定されたフィードバックモードのＣＱＩを基準として、その他のフィードバックモードのＣＱＩが差分コーディングされるモード間（inter-mode）差分コーディング処理であってもよい。さらに、指定されたフィードバックモードは、ダウンリンクプライマリキャリアコンポーネントのフィードバックモードである。あるいは、指定されたフィードバックモードは、上位層シグナリングでＢＳによって設定されたフィードバックモードである。
【０１０１】
あるいは、上記ジョイントコーディング処理は、指定されたキャリアのフィードバックモードのＣＱＩを基準として、その他のフィードバックモードのＣＱＩが差分コーディングされるキャリア間（inter-carrier）差分コーディング処理であってもよい。さらに、指定されたキャリアは、ダウンリンクプライマリキャリアコンポーネントである。あるいは、指定されたキャリアは、上位層シグナリングでＢＳによって設定されたキャリアである。
【０１０２】
さらに、複数のタイプは、コーディング処理を経ずに、連結されて伝送されてもよい。
【０１０３】
あるいは、複数のタイプは、ジョイントコーディング処理にかけられた後に、同時に伝送されてもよい。
【０１０４】
また、タイプ３と同じ周期を有する新しいタイプが、Ｗ１のフィードバックのために定義されてもよい。
【０１０５】
あるいは、タイプ２またはタイプ４の周期の倍数となる周期を有する新しいタイプが、Ｗ１のフィードバックのために定義されてもよい。
【０１０６】
あるいは、タイプ１の周期の倍数となる周期を有する新しいタイプが、Ｗ１のフィードバックのために定義されてもよい。
【０１０７】
さらに、タイプ２またはタイプ４と同じフィードバックサブフレームオフセットを有する新しいタイプが、Ｗ１のフィードバックのために定義されてもよい。
【０１０８】
あるいは、タイプ３と同じフィードバックサブフレームオフセットを有する新しいタイプが、Ｗ１のフィードバックのために定義されてもよい。
【０１０９】
本発明によれば、１つのＷ１は、複数のモードで共有される。
【０１１０】
本発明によれば、１つのＷ１は、複数のキャリアで共有される。例えば、上記複数のキャリアは、１つの伝送方式に含まれている。あるいは、上記複数のキャリアは、すべてのキャリアのうちの、任意の数のキャリアである。
【０１１１】
本発明によれば、複数のＷ１は、１つのサブフレームに統合されて伝送されてもよい。
【０１１２】
さらに、モード２−２Ｂという新しいモードが定義されてもよい。モード２−２Ｂでは、集合Ｓでのより良いＭ個のサブバンドの位置と、上記Ｍ個のサブバンドのサブバンドＰＭＩと、上記Ｍ個の各サブバンドの個々のコードワードのサブバンドＣＱＩと、集合Ｓの広帯域ＰＭＩと、集合Ｓでの個々のコードワードの広帯域ＣＱＩと、場合によってはＲＩ情報とがフィードバックされる。
【０１１３】
さらに、モード３−２という新しいモードが定義されてもよい。モード３−２では、集合Ｓにおける個々のサブバンドのサブバンドＰＭＩと、集合Ｓにおける各サブバンドそれぞれの個々のコードワードのＣＱＩと、集合Ｓにおける個々のコードワードの広帯域ＣＱＩと、集合Ｓの広帯域ＰＭＩと、場合によってはＲＩ情報とがフィードバックされる。
【０１１４】
新しく定義されたモード２−２Ｂ、または、モード３−２によれば、サブバンドＰＭＩは、広帯域ＰＭＩに対して差分コーディングされる。
【０１１５】
本実施形態の記載において、以下の、伝送方式およびフィードバックモードのシナリオが想定される。
【０１１６】
実施例のシナリオ（ａ）：ＢＳ２０２は、５つのダウンリンクキャリアが設けられ、伝送方式にしたがって、ＵＥ４１６によるフィードバックを設定するように改作されている。つまり、キャリア＃１およびキャリア＃２の伝送方式は、“８）二層ビームフォーミング伝送方式（ＰＭＩ／ＲＩフィードバックを伴う）”であり、対応する集合Ｓは、上記キャリア＃１およびキャリア＃２を含んでいる。さらに、キャリア＃３、キャリア＃４およびキャリア＃５の伝送方式は、“３）開ループ空間分割多重方式”であり、対応する集合Ｓは、上記キャリア＃３、キャリア＃４およびキャリア＃５を含んでいる。ここで、キャリア＃２は、ダウンリンクプライマリキャリアコンポーネント（ＤＬＰＣＣ；DownLink Primary Carrier Component）である。
【０１１７】
実施例のシナリオ（ｂ）：ＢＳ２０２は、５つのダウンリンクキャリアが設けられ、伝送方式にしたがって、ＵＥ４１６によるフィードバックを設定するように改作されている。つまり、キャリア＃１の伝送方式は、“８）二層ビームフォーミング伝送方式（ＰＭＩ／ＲＩフィードバックを伴う）”であり、対応する集合Ｓは、上記キャリア＃１を含んでいる。キャリア＃２の伝送方式は、“４）閉ループ空間分割多重方式”であり、対応する集合Ｓは、上記キャリア＃２を含んでいる。キャリア＃３の伝送方式は、“２）ダイバーシチ伝送方式”であり、対応する集合Ｓは、上記キャリア＃３を含んでいる。キャリア＃４の伝送方式は、“２）ダイバーシチ伝送方式”であり、対応する集合Ｓは、上記キャリア＃４を含んでいる。最後に、キャリア＃５の伝送方式は、“５）マルチユーザＭＩＭＯ方式”であり、対応する集合Ｓは、上記キャリア＃５を含んでいる。ここで、キャリア＃１は、ダウンリンクプライマリキャリアコンポーネント（ＤＬＰＣＣ；DownLink Primary Carrier Component）である。
【０１１８】
なお、実施例のシナリオにおいて想定されている条件は、本発明の実施形態を説明する目的のためだけに記載されている。本発明は、上述の想定に限定されず、他の想定に対しても十分に適用可能である。本発明の実施形態を読めば、当業者は、本発明の解決手段が一般的な状況に対しても適用できるということを理解することができる。
【０１１９】
次に、本実施形態により与えられる、２８個の応用の具体例について説明する。
【０１２０】
具体例  １（ａ）
周期的にフィードバックする場合には、１つのＵＥに対する異なるフィードバックモードの様々なタイプが１つのサブフレーム内で互いに衝突することを、フィードバックリソースの割り当てによって避けることが提案される。本具体例において、すべてのフィードバックモードで、それぞれのタイプのフィードバック周期は、他のタイプのフィードバック周期の倍数となる。さらに、異なるフィードバックモードの様々なタイプは、異なるサブフレームオフセットを有している。このようにして、異なるフィードバックモードの様々なタイプが、１つのサブフレーム内で互いに衝突することを回避することができる。さらに、１つのフィードバックモードで、ＲＩフィードバックのサブフレームオフセットが、ＣＱＩフィードバックのサブフレームオフセットと同じであってもよい。
【０１２１】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【０１２２】
なお、モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。
【０１２３】
モード１−１におけるタイプ３およびタイプ２のフィードバックサブフレームは、タイプ３において、
【０１２４】
【数１】
2013531399.tif 000003
【０１２５】
を、タイプ２において、
【０１２６】
【数２】
2013531399.tif 000004
【０１２７】
をそれぞれ満たす。
ここで、ｎｆは、システムフレーム数である。ｎｓは、１つの無線フレーム内のタイムスロット数である。
【０１２８】
【数３】
2013531399.tif 000005
【０１２９】
は、モード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０１３０】
【数４】
2013531399.tif 000006
【０１３１】
は、モード１−１におけるＲＩフィードバックのサブフレームオフセット（実際には、
【０１３２】
【数５】
2013531399.tif 000007
【０１３３】
についての付加的オフセット）である。
【０１３４】
【数６】
2013531399.tif 000008
【０１３５】
は、モード１−１におけるフィードバックモードの周期的パラメータである。そして、上記のそれぞれは正の整数値である。
【０１３６】
これに対し、モード２−０における、タイプ３、タイプ４、および、タイプ１のフィードバックサブフレームは、タイプ３において、
【０１３７】
【数７】
2013531399.tif 000009
【０１３８】
を、タイプ４において、
【０１３９】
【数８】
2013531399.tif 000010
【０１４０】
を、タイプ１において、
【０１４１】
【数９】
2013531399.tif 000011
【０１４２】
をそれぞれ満たす。
ここで、ｎｆは、システムフレーム数である。ｎｓは、１つの無線フレーム内のタイムスロット数である。
【０１４３】
【数１０】
2013531399.tif 000012
【０１４４】
は、モード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０１４５】
【数１１】
2013531399.tif 000013
【０１４６】
は、モード２−０におけるＲＩフィードバックのサブフレームオフセット（実際には、
【０１４７】
【数１２】
2013531399.tif 000014
【０１４８】
についての付加的オフセット）である。
【０１４９】
【数１３】
2013531399.tif 000015
【０１５０】
は、モード２−０におけるフィードバックモードの周期的パラメータである。そして、上記のそれぞれは正の整数値である。
【０１５１】
異なるフィードバックモードの様々なタイプが１つのサブフレーム内で互いに衝突することを回避するために、すべてのフィードバックモードにおいて、それぞれのタイプのフィードバック周期が、他のタイプのフィードバック周期の倍数である必要があり、異なるフィードバックモードの様々なタイプが、異なるサブフレームオフセットを有している必要がある。換言すれば、
【０１５２】
【数１４】
2013531399.tif 000016
【０１５３】
は、
【０１５４】
【数１５】
2013531399.tif 000017
【０１５５】
の倍数となるか、または、その逆となり、そして、
【０１５６】
【数１６】
2013531399.tif 000018
【０１５７】
は、
【０１５８】
【数１７】
2013531399.tif 000019
【０１５９】
と異なっている。
【０１６０】
加えて、上記構成において、異なるフィードバックモードの同じタイプは、同じサブフレームオフセットを有していてもよい。
【０１６１】
さらに、上記構成において、１つのフィードバックモードにおいて、ＲＩフィードバックのサブフレームオフセットは、ＣＱＩオフセットのサブフレームオフセットと同じであってもよい。つまり、
【０１６２】
【数１８】
2013531399.tif 000020
【０１６３】
は、ともにゼロであってもよい。
【０１６４】
具体例  １（ｂ）
周期的にフィードバックを行う場合、１つのＵＥについての異なるフィードバックモードの様々なタイプが１つのサブフレーム内で互いに衝突することを、フィードバックリソースの割り当てによって回避することが提案される。本具体例において、すべてのフィードバックモードにおいて、それぞれのタイプのフィードバック周期は、他のタイプのフィードバック周期の倍数となる。さらに、異なるフィードバックモードの様々なタイプは、異なるサブフレームオフセットを有している。このようにして、異なるフィードバックモードの様々なタイプが、１つのサブフレーム内で互いに衝突することを回避することができる。さらに、１つのフィードバックモードにおいて、ＲＩフィードバックのサブフレームオフセットが、ＣＱＩフィードバックのサブフレームオフセットと同じであってもよい。
【０１６５】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【０１６６】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、場合によってはＲＩ情報が、ＢＰにおける１つのより良いサブバンドの位置、および、上記サブバンドのＣＱＩと共にフィードバックされる。
【０１６７】
ここで、キャリア＃１のモード１−１におけるタイプ３およびタイプ２のフィードバックサブフレームは、タイプ３において、
【０１６８】
【数１９】
2013531399.tif 000021
【０１６９】
を、タイプ２において、
【０１７０】
【数２０】
2013531399.tif 000022
【０１７１】
をそれぞれ満たす。
ここで、ｎｆは、システムフレーム数である。ｎｓは、１つの無線フレーム内のタイムスロット数である。
【０１７２】
【数２１】
2013531399.tif 000023
【０１７３】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０１７４】
【数２２】
2013531399.tif 000024
【０１７５】
は、キャリア＃１のモード１−１におけるＲＩフィードバックのサブフレームオフセット（実際には、
【０１７６】
【数２３】
2013531399.tif 000025
【０１７７】
についての付加的オフセット）である。
【０１７８】
【数２４】
2013531399.tif 000026
【０１７９】
は、キャリア＃１のモード１−１におけるフィードバックモードの周期的パラメータである。そして、上記のそれぞれは正の整数値である。
【０１８０】
キャリア＃２のモード２−１における、タイプ３、タイプ２、および、タイプ１のフィードバックサブフレームは、タイプ３において、
【０１８１】
【数２５】
2013531399.tif 000027
【０１８２】
を、タイプ２において、
【０１８３】
【数２６】
2013531399.tif 000028
【０１８４】
を、タイプ１において、
【０１８５】
【数２７】
2013531399.tif 000029
【０１８６】
をそれぞれ満たす。
ここで、ｎｆは、システムフレーム数である。ｎｓは、１つの無線フレーム内のタイムスロット数である。
【０１８７】
【数２８】
2013531399.tif 000030
【０１８８】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０１８９】
【数２９】
2013531399.tif 000031
【０１９０】
は、キャリア＃２のモード２−１におけるＲＩフィードバックのサブフレームオフセット（実際には、
【０１９１】
【数３０】
2013531399.tif 000032
【０１９２】
についての付加的オフセット）である。
【０１９３】
【数３１】
2013531399.tif 000033
【０１９４】
は、キャリア＃２のモード２−１におけるフィードバックモードの周期的パラメータである。そして、上記のそれぞれは正の整数値である。
【０１９５】
キャリア＃３のモード１−０における、タイプ３およびタイプ４のフィードバックサブフレームは、タイプ３において、
【０１９６】
【数３２】
2013531399.tif 000034
【０１９７】
を、タイプ４において、
【０１９８】
【数３３】
2013531399.tif 000035
【０１９９】
をそれぞれ満たす。
ここで、ｎｆは、システムフレーム数である。ｎｓは、１つの無線フレーム内のタイムスロット数である。
【０２００】
【数３４】
2013531399.tif 000036
【０２０１】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０２０２】
【数３５】
2013531399.tif 000037
【０２０３】
は、キャリア＃３のモード１−０におけるＲＩフィードバックのサブフレームオフセット（実際には、
【０２０４】
【数３６】
2013531399.tif 000038
【０２０５】
についての付加的オフセット）である。
【０２０６】
【数３７】
2013531399.tif 000039
【０２０７】
は、キャリア＃３のモード１−０におけるフィードバックモードの周期的パラメータである。そして、上記のそれぞれは正の整数値である。
【０２０８】
キャリア＃４のモード２−０における、タイプ３、タイプ４、および、タイプ１のフィードバックサブフレームは、タイプ３において、
【０２０９】
【数３８】
2013531399.tif 000040
【０２１０】
を、タイプ４において、
【０２１１】
【数３９】
2013531399.tif 000041
【０２１２】
を、タイプ１において、
【０２１３】
【数４０】
2013531399.tif 000042
【０２１４】
をそれぞれ満たす。
ここで、ｎｆは、システムフレーム数である。ｎｓは、１つの無線フレーム内のタイムスロット数である。
【０２１５】
【数４１】
2013531399.tif 000043
【０２１６】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０２１７】
【数４２】
2013531399.tif 000044
【０２１８】
は、キャリア＃４のモード２−０におけるＲＩフィードバックのサブフレームオフセット（実際には、
【０２１９】
【数４３】
2013531399.tif 000045
【０２２０】
についての付加的オフセット）である。
【０２２１】
【数４４】
2013531399.tif 000046
【０２２２】
は、キャリア＃４のモード２−０におけるフィードバックモードの周期的パラメータである。そして、上記のそれぞれは正の整数値である。
【０２２３】
キャリア＃５のモード１−１におけるタイプ３およびタイプ２のフィードバックサブフレームは、タイプ３において、
【０２２４】
【数４５】
2013531399.tif 000047
【０２２５】
および、タイプ２において、
【０２２６】
【数４６】
2013531399.tif 000048
【０２２７】
をそれぞれ満たす。
ここで、ｎｆは、システムフレーム数である。ｎｓは、１つの無線フレーム内のタイムスロット数である。
【０２２８】
【数４７】
2013531399.tif 000049
【０２２９】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０２３０】
【数４８】
2013531399.tif 000050
【０２３１】
は、キャリア＃５のモード１−１におけるＲＩフィードバックのサブフレームオフセット（実際には、
【０２３２】
【数４９】
2013531399.tif 000051
【０２３３】
についての付加的オフセット）である。
【０２３４】
【数５０】
2013531399.tif 000052
【０２３５】
は、キャリア＃５のモード１−１におけるフィードバックモードの周期的パラメータである。そして、上記のそれぞれは正の整数値である。
【０２３６】
異なるフィードバックモードの様々なタイプが１つのサブフレーム内で互いに衝突することを避けるために、すべてのフィードバックモードにおいて、それぞれのタイプのフィードバック周期が、他のタイプのフィードバック周期の倍数である必要があり、異なるフィードバックモードの様々なタイプが異なるサブフレームオフセットを有している必要がある。換言すれば、
【０２３７】
【数５１】
2013531399.tif 000053
【０２３８】
のそれぞれは、互いに倍数であってよい。また、
【０２３９】
【数５２】
2013531399.tif 000054
【０２４０】
は、互いに異なっている。
【０２４１】
加えて、上記構成において、異なるフィードバックモードの同じタイプは、同じサブフレームオフセットを有していてもよい。
【０２４２】
さらに、上記構成において、１つのフィードバックモードにおいて、ＲＩフィードバックのサブフレームオフセットは、ＣＱＩオフセットのためのサブフレームオフセットと同じであってもよい。つまり、
【０２４３】
【数５３】
2013531399.tif 000055
【０２４４】
は、ともにゼロであってもよい。
【０２４５】
具体例  ２（ａ）
周期的にフィードバックを行う場合、１つのＵＥについての異なるフィードバックモードの様々なタイプが１つのサブフレーム内で互いに衝突することを、衝突解消規則を定義することによって回避することが提案される。本具体例において、上記衝突解消規則は、より長い周期を持つタイプがより高い優先度を持つというタイプ優先規則として定義される。衝突が起こった場合、高い優先度を持つタイプがフィードバックされ、低い優先度を持つタイプは破棄される。
【０２４６】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【０２４７】
なお、モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。
【０２４８】
モード１−１におけるタイプ３およびタイプ２のフィードバックサブフレームは、タイプ３において、
【０２４９】
【数５４】
2013531399.tif 000056
【０２５０】
を、タイプ２において、
【０２５１】
【数５５】
2013531399.tif 000057
【０２５２】
をそれぞれ満たす。
ここで、ｎｆは、システムフレーム数である。ｎｓは、１つの無線フレーム内のタイムスロット数である。
【０２５３】
【数５６】
2013531399.tif 000058
【０２５４】
は、モード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０２５５】
【数５７】
2013531399.tif 000059
【０２５６】
は、モード１−１におけるＲＩフィードバックのサブフレームオフセット（実際には、
【０２５７】
【数５８】
2013531399.tif 000060
【０２５８】
についての付加的オフセット）である。
【０２５９】
【数５９】
2013531399.tif 000061
【０２６０】
は、モード１−１におけるフィードバックモードの周期的パラメータである。そして、上記のそれぞれは正の整数値である。
【０２６１】
これに対し、モード２−０における、タイプ３、タイプ４、および、タイプ１のフィードバックサブフレームは、タイプ３において、
【０２６２】
【数６０】
2013531399.tif 000062
【０２６３】
を、タイプ４において、
【０２６４】
【数６１】
2013531399.tif 000063
【０２６５】
を、タイプ１において、
【０２６６】
【数６２】
2013531399.tif 000064
【０２６７】
をそれぞれ満たす。
ここで、ｎｆは、システムフレーム数である。ｎｓは、１つの無線フレーム内のタイムスロット数である。
【０２６８】
【数６３】
2013531399.tif 000065
【０２６９】
は、モード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０２７０】
【数６４】
2013531399.tif 000066
【０２７１】
は、モード２−０におけるＲＩフィードバックのサブフレームオフセット（実際には、
【０２７２】
【数６５】
2013531399.tif 000067
【０２７３】
についての付加的オフセット）である。
【０２７４】
【数６６】
2013531399.tif 000068
【０２７５】
は、モード２−０におけるフィードバックモードの周期的パラメータである。そして、上記のそれぞれは正の整数値である。
【０２７６】
モード１−１およびモード２−０のフィードバックタイプは、その周期の長さに基づいて、優先度の順位が設定されてもよい。ここでは、より長い周期を持つタイプが、より高い優先度を持つ。したがって、以下の規則（衝突解消規則）が定義されてよい。衝突が起きた場合、高い優先度を持つタイプがフィードバックされ、一方、低い優先度を持つタイプは破棄される。例えば、モード２−０のタイプ３が、モード１−１のタイプ２と衝突した場合、モード２−０のタイプ３の周期、
【０２７７】
【数６７】
2013531399.tif 000069
【０２７８】
が、モード１−１のタイプ２の周期、
【０２７９】
【数６８】
2013531399.tif 000070
【０２８０】
よりも長い場合には、モード２−０のタイプ３は、モード１−１のタイプ２に優先されることになる。換言すれば、そのような衝突が起きた場合、モード２−０のタイプ３だけが伝送され、一方、モード１−１のタイプ２は破棄されることになる。
【０２８１】
なお、同じフィードバック周期を持つフィードバックタイプは、通常、互いに衝突することはない。一度衝突が起こると、そのような衝突は、同じ周期であるために常に起こることになってしまう。よって、そのような設定は、通常、ＢＳで採用されない。そのため、一般的には、同じフィードバック周期のタイプ、すなわち、同じ優先度を有するタイプについての衝突解消規則を定義する必要性はない。
【０２８２】
具体例  ２（ｂ）
周期的にフィードバックを行う場合、１つのＵＥについての異なるフィードバックモードの様々なタイプが１つのサブフレーム内で互いに衝突することを、衝突解消規則を定義することによって回避することが提案される。本具体例において、上記衝突解消規則は、より長い周期を持つタイプがより高い優先度を持つというタイプ優先規則として定義される。衝突が起こった場合、高い優先度を持つタイプがフィードバックされ、低い優先度を持つタイプは破棄される。
【０２８３】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【０２８４】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、および、場合によってはＲＩ情報が、ＢＰにおける１つのより良いサブバンドの位置、および、上記サブバンドのＣＱＩと共にフィードバックされる。
【０２８５】
ここで、キャリア＃１のモード１−１におけるタイプ３およびタイプ２のフィードバックサブフレームは、タイプ３において、
【０２８６】
【数６９】
2013531399.tif 000071
【０２８７】
を、タイプ２において、
【０２８８】
【数７０】
2013531399.tif 000072
【０２８９】
をそれぞれ満たす。
ここで、ｎｆは、システムフレーム数である。ｎｓは、１つの無線フレーム内のタイムスロット数である。
【０２９０】
【数７１】
2013531399.tif 000073
【０２９１】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０２９２】
【数７２】
2013531399.tif 000074
【０２９３】
は、キャリア＃１のモード１−１におけるＲＩフィードバックのサブフレームオフセット（実際には、
【０２９４】
【数７３】
2013531399.tif 000075
【０２９５】
についての付加的オフセット）である。
【０２９６】
【数７４】
2013531399.tif 000076
【０２９７】
は、キャリア＃１のモード１−１におけるフィードバックモードの周期的パラメータである。そして、上記のそれぞれは正の整数値である。
【０２９８】
キャリア＃２のモード２−１における、タイプ３、タイプ２、および、タイプ１のフィードバックサブフレームは、タイプ３において、
【０２９９】
【数７５】
2013531399.tif 000077
【０３００】
を、タイプ２において、
【０３０１】
【数７６】
2013531399.tif 000078
【０３０２】
を、タイプ１において、
【０３０３】
【数７７】
2013531399.tif 000079
【０３０４】
をそれぞれ満たす。
ここで、ｎｆは、システムフレーム数である。ｎｓは、１つの無線フレーム内のタイムスロット数である。
【０３０５】
【数７８】
2013531399.tif 000080
【０３０６】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０３０７】
【数７９】
2013531399.tif 000081
【０３０８】
は、キャリア＃２のモード２−１におけるＲＩフィードバックのサブフレームオフセット（実際には、
【０３０９】
【数８０】
2013531399.tif 000082
【０３１０】
についての付加的オフセット）である。
【０３１１】
【数８１】
2013531399.tif 000083
【０３１２】
は、キャリア＃２のモード２−１におけるフィードバックモードの周期的パラメータである。そして、上記のそれぞれは正の整数値である。
【０３１３】
キャリア＃３のモード１−０における、タイプ３およびタイプ４のフィードバックサブフレームは、タイプ３において、
【０３１４】
【数８２】
2013531399.tif 000084
【０３１５】
を、タイプ４において、
【０３１６】
【数８３】
2013531399.tif 000085
【０３１７】
をそれぞれ満たす。
ここで、ｎｆは、システムフレーム数である。ｎｓは、１つの無線フレーム内のタイムスロット数である。
【０３１８】
【数８４】
2013531399.tif 000086
【０３１９】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０３２０】
【数８５】
2013531399.tif 000087
【０３２１】
は、キャリア＃３のモード１−０におけるＲＩフィードバックのサブフレームオフセット（実際には、
【０３２２】
【数８６】
2013531399.tif 000088
【０３２３】
についての付加的オフセット）である。
【０３２４】
【数８７】
2013531399.tif 000089
【０３２５】
は、キャリア＃３のモード１−０におけるフィードバックモードの周期的パラメータである。そして、上記のそれぞれは正の整数値である。
【０３２６】
キャリア＃４のモード２−０における、タイプ３、タイプ４、および、タイプ１のフィードバックサブフレームは、タイプ３において、
【０３２７】
【数８８】
2013531399.tif 000090
【０３２８】
を、タイプ４において、
【０３２９】
【数８９】
2013531399.tif 000091
【０３３０】
を、タイプ１において、
【０３３１】
【数９０】
2013531399.tif 000092
【０３３２】
をそれぞれ満たす。
ここで、ｎｆは、システムフレーム数である。ｎｓは、１つの無線フレーム内のタイムスロット数である。
【０３３３】
【数９１】
2013531399.tif 000093
【０３３４】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０３３５】
【数９２】
2013531399.tif 000094
【０３３６】
は、キャリア＃４のモード２−０におけるＲＩフィードバックのサブフレームオフセット（実際には、
【０３３７】
【数９３】
2013531399.tif 000095
【０３３８】
についての付加的オフセット）である。
【０３３９】
【数９４】
2013531399.tif 000096
【０３４０】
は、キャリア＃４のモード２−０におけるフィードバックモードの周期的パラメータである。そして、上記のそれぞれは正の整数値である。
【０３４１】
キャリア＃５のためのモード１−１におけるタイプ３およびタイプ２のフィードバックサブフレームは、タイプ３において、
【０３４２】
【数９５】
2013531399.tif 000097
【０３４３】
を、タイプ２において、
【０３４４】
【数９６】
2013531399.tif 000098
【０３４５】
をそれぞれ満たす。
ここで、ｎｆは、システムフレーム数である。ｎｓは、１つの無線フレーム内のタイムスロット数である。
【０３４６】
【数９７】
2013531399.tif 000099
【０３４７】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０３４８】
【数９８】
2013531399.tif 000100
【０３４９】
は、キャリア＃５のモード１−１におけるＲＩフィードバックのサブフレームオフセット（実際には、
【０３５０】
【数９９】
2013531399.tif 000101
【０３５１】
についての付加的オフセット）である。
【０３５２】
【数１００】
2013531399.tif 000102
【０３５３】
は、キャリア＃５のモード１−１におけるフィードバックモードの周期的パラメータである。そして、上記のそれぞれは正の整数値である。
【０３５４】
キャリア＃１のモード１−１、キャリア＃２のモード２−１、キャリア＃３のモード１−０、キャリア＃４のモード２−０、および、キャリア＃５のモード１−１のそれぞれのフィードバックタイプは、その周期の長さに基づいて、優先度の順位が設定されてもよい。ここでは、より長い周期を持つタイプが、より高い優先度を持つ。したがって、以下の規則（衝突解消規則）が定義されてよい。衝突が起きた場合、高い優先度を持つタイプがフィードバックされ、一方、低い優先度を持つタイプは破棄される。例えば、キャリア＃３のモード１−０のタイプ４が、キャリア＃５のモード１−１のタイプ３と衝突したとき、キャリア＃３のモード１−０のタイプ４の周期が、キャリア＃５のモード１−１のタイプ３の周期よりも短い場合には、キャリア＃５のモード１−１のタイプ３は、キャリア＃３のモード１−０のタイプ４に優先される。換言すれば、衝突が起きた場合、キャリア＃５のモード１−１のタイプ３だけが伝送され、一方、キャリア＃３のモード１−０のタイプ４は破棄されることになる。
【０３５５】
なお、同じフィードバック周期を持つフィードバックタイプでは、通常、互いに衝突することはない。一度衝突が起こると、そのような衝突は、同じ周期であるために常に起こることになってしまう。よって、そのような設定は、通常、ＢＳで採用されない。そのため、一般的には、同じフィードバック周期のタイプ、すなわち、同じ優先度を有するタイプについての衝突解消規則を定義する必要性はない。
【０３５６】
具体例  ３（ａ）
周期的にフィードバックを行う場合、１つのＵＥについての異なるフィードバックモードの様々なタイプが１つのサブフレーム内で互いに衝突することを、衝突解消規則を定義することによって回避することが提案される。本具体例において、上記衝突解消規則は、より小さいフィードバックオーバヘッドを持つモードがより高い優先度を持つというモード優先規則として定義される。衝突が起こった場合、高い優先度を持つタイプがフィードバックされ、低い優先度を持つタイプは破棄される。
【０３５７】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【０３５８】
なお、モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。
【０３５９】
モード１−１におけるタイプ３およびタイプ２のフィードバックサブフレームは、タイプ３において、
【０３６０】
【数１０１】
2013531399.tif 000103
【０３６１】
を、タイプ２において、
【０３６２】
【数１０２】
2013531399.tif 000104
【０３６３】
をそれぞれ満たす。
ここで、ｎｆは、システムフレーム数である。ｎｓは、１つの無線フレーム内のタイムスロット数である。
【０３６４】
【数１０３】
2013531399.tif 000105
【０３６５】
は、モード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０３６６】
【数１０４】
2013531399.tif 000106
【０３６７】
は、モード１−１におけるＲＩフィードバックのサブフレームオフセット（実際には、
【０３６８】
【数１０５】
2013531399.tif 000107
【０３６９】
についての付加的オフセット）である。
【０３７０】
【数１０６】
2013531399.tif 000108
【０３７１】
は、モード１−１におけるフィードバックモードの周期的パラメータである。そして、上記のそれぞれは正の整数値である。
【０３７２】
これに対し、モード２−０における、タイプ３、タイプ４、および、タイプ１のフィードバックサブフレームは、タイプ３において、
【０３７３】
【数１０７】
2013531399.tif 000109
【０３７４】
を、タイプ４において、
【０３７５】
【数１０８】
2013531399.tif 000110
【０３７６】
を、タイプ１において、
【０３７７】
【数１０９】
2013531399.tif 000111
【０３７８】
をそれぞれ満たす。
ここで、ｎｆは、システムフレーム数である。ｎｓは、１つの無線フレーム内のタイムスロット数である。
【０３７９】
【数１１０】
2013531399.tif 000112
【０３８０】
は、モード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０３８１】
【数１１１】
2013531399.tif 000113
【０３８２】
は、モード２−０におけるＲＩフィードバックのサブフレームオフセット（実際には、
【０３８３】
【数１１２】
2013531399.tif 000114
【０３８４】
についての付加的オフセット）である。
【０３８５】
【数１１３】
2013531399.tif 000115
【０３８６】
は、モード２−０におけるフィードバックモードの周期的パラメータである。そして、上記のそれぞれは正の整数値である。
【０３８７】
モード１−１のフィードバックタイプ、および、モード２−０のフィードバックタイプは、そのフィードバックのオーバヘッドに基づいて、優先度の順位が設定されてもよい。ここで、より小さいフィードバックのオーバヘッドを持つタイプが、より高い優先度を持つ。したがって、以下の規則（衝突解消規則）が定義されてよい。すなわち、衝突が起きた場合、高い優先度を持つタイプがフィードバックされ、一方、低い優先度を持つタイプは破棄される。例えば、モード１−１は、モード２−０よりも、小さいフィードバックオーバヘッドを持つ。したがって、モード１−１のタイプは、モード２−０のタイプよりも高い優先度を持つ。この場合に、モード２−０のタイプ３が、モード１−１のタイプ２と衝突したとき、モード１−１のタイプ２は、モード２−０のタイプ３に優先される。換言すれば、このような衝突が起こったとき、モード１−１のタイプ２だけが伝送され、一方、モード２−０のタイプ３は破棄されることになる。
【０３８８】
具体例  ３（ｂ）
周期的にフィードバックを行う場合、１つのＵＥについての異なるフィードバックモードの様々なタイプが１つのサブフレーム内で互いに衝突することを、衝突解消規則を定義することによって回避することが提案される。本具体例において、上記衝突解消規則は、より小さいフィードバックオーバヘッドを持つモードがより高い優先度を持つというモード優先規則として定義される。衝突が起こった場合、高い優先度を持つタイプがフィードバックされ、低い優先度を持つタイプは破棄される。
【０３８９】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【０３９０】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩがフィードバックされる。モード２−１は、タイプ３、タイプ２およびタイプ１の組み合わせである。つまり、タイプ３のフィードバック、タイプ２のフィードバックおよびタイプ１のフィードバック、が、異なる周期で、および／または、異なるサブフレームオフセットで実行される。モード２−１では、集合Ｓの広帯域ＰＭＩ、個々のコードワードの広帯域ＣＱＩ、および、場合によってはＲＩ情報が、ＢＰにおける１つのより良いサブバンドの位置、および、上記サブバンドのＣＱＩがフィードバックされる。
【０３９１】
ここで、キャリア＃１のモード１−１におけるタイプ３およびタイプ２のフィードバックサブフレームは、タイプ３において、
【０３９２】
【数１１４】
2013531399.tif 000116
【０３９３】
を、タイプ２において、
【０３９４】
【数１１５】
2013531399.tif 000117
【０３９５】
をそれぞれ満たす。
ここで、ｎｆは、システムフレーム数である。ｎｓは、１つの無線フレーム内のタイムスロット数である。
【０３９６】
【数１１６】
2013531399.tif 000118
【０３９７】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０３９８】
【数１１７】
2013531399.tif 000119
【０３９９】
は、キャリア＃１のモード１−１におけるＲＩフィードバックのサブフレームオフセット（実際には、
【０４００】
【数１１８】
2013531399.tif 000120
【０４０１】
についての付加的オフセット）である。
【０４０２】
【数１１９】
2013531399.tif 000121
【０４０３】
は、キャリア＃１のモード１−１におけるフィードバックモードの周期的パラメータである。そして、上記のそれぞれは正の整数値である。
【０４０４】
キャリア＃２のモード２−１における、タイプ３、タイプ２、および、タイプ１のフィードバックサブフレームは、タイプ３において、
【０４０５】
【数１２０】
2013531399.tif 000122
【０４０６】
を、タイプ２において、
【０４０７】
【数１２１】
2013531399.tif 000123
【０４０８】
を、タイプ１において、
【０４０９】
【数１２２】
2013531399.tif 000124
【０４１０】
をそれぞれ満たす。
ここで、ｎｆは、システムフレーム数である。ｎｓは、１つの無線フレーム内のタイムスロット数である。
【０４１１】
【数１２３】
2013531399.tif 000125
【０４１２】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０４１３】
【数１２４】
2013531399.tif 000126
【０４１４】
は、キャリア＃２のモード２−１におけるＲＩフィードバックのサブフレームオフセット（実際には、
【０４１５】
【数１２５】
2013531399.tif 000127
【０４１６】
についての付加的オフセット）である。
【０４１７】
【数１２６】
2013531399.tif 000128
【０４１８】
は、キャリア＃２のモード２−１におけるフィードバックモードの周期的パラメータである。そして、上記のそれぞれは正の整数値である。
【０４１９】
キャリア＃３のモード１−０における、タイプ３およびタイプ４のフィードバックサブフレームは、タイプ３において、
【０４２０】
【数１２７】
2013531399.tif 000129
【０４２１】
を、タイプ４において、
【０４２２】
【数１２８】
2013531399.tif 000130
【０４２３】
をそれぞれ満たす。
ここで、ｎｆは、システムフレーム数である。ｎｓは、１つの無線フレーム内のタイムスロット数である。
【０４２４】
【数１２９】
2013531399.tif 000131
【０４２５】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０４２６】
【数１３０】
2013531399.tif 000132
【０４２７】
は、キャリア＃３のモード１−０におけるＲＩフィードバックのサブフレームオフセット（実際には、
【０４２８】
【数１３１】
2013531399.tif 000133
【０４２９】
についての付加的オフセット）である。
【０４３０】
【数１３２】
2013531399.tif 000134
【０４３１】
は、キャリア＃３のモード１−０におけるフィードバックモードの周期的パラメータである。そして、上記のそれぞれは正の整数値である。
【０４３２】
キャリア＃４のモード２−０における、タイプ３、タイプ４、および、タイプ１のフィードバックサブフレームは、タイプ３において、
【０４３３】
【数１３３】
2013531399.tif 000135
【０４３４】
を、タイプ４において、
【０４３５】
【数１３４】
2013531399.tif 000136
【０４３６】
を、タイプ１において、
【０４３７】
【数１３５】
2013531399.tif 000137
【０４３８】
をそれぞれ満たす。
ここで、ｎｆは、システムフレーム数である。ｎｓは、１つの無線フレーム内のタイムスロット数である。
【０４３９】
【数１３６】
2013531399.tif 000138
【０４４０】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０４４１】
【数１３７】
2013531399.tif 000139
【０４４２】
は、キャリア＃４のモード２−０におけるＲＩフィードバックのサブフレームオフセット（実際には、
【０４４３】
【数１３８】
2013531399.tif 000140
【０４４４】
についての付加的オフセット）である。
【０４４５】
【数１３９】
2013531399.tif 000141
【０４４６】
は、キャリア＃４のモード２−０におけるフィードバックモードの周期的パラメータである。そして、上記のそれぞれは正の整数値である。
【０４４７】
キャリア＃５のモード１−１におけるタイプ３およびタイプ２のフィードバックサブフレームは、タイプ３において、
【０４４８】
【数１４０】
2013531399.tif 000142
【０４４９】
を、タイプ２において、
【０４５０】
【数１４１】
2013531399.tif 000143
【０４５１】
をそれぞれ満たす。
ここで、ｎｆは、システムフレーム数である。ｎｓは、１つの無線フレーム内のタイムスロット数である。
【０４５２】
【数１４２】
2013531399.tif 000144
【０４５３】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０４５４】
【数１４３】
2013531399.tif 000145
【０４５５】
は、キャリア＃５のモード１−１におけるＲＩフィードバックのサブフレームオフセット（実際には、
【０４５６】
【数１４４】
2013531399.tif 000146
【０４５７】
についての付加的オフセット）である。
【０４５８】
【数１４５】
2013531399.tif 000147
【０４５９】
は、キャリア＃５のモード１−１におけるフィードバックモードの周期的パラメータである。そして、上記のそれぞれは正の整数値である。
【０４６０】
キャリア＃１のモード１−１、キャリア＃２のモード２−１、キャリア＃３のモード１−０、キャリア＃４のモード２−０、および、キャリア＃５のモード１−１の各フィードバックタイプは、そのフィードバックのオーバヘッドに基づいて優先度の順位が設定されてもよい。ここで、より小さいフィードバックのオーバヘッドを持つタイプが、高い優先度を持つ。したがって、以下の規則（衝突解消規則）が定義されてよい。すなわち、衝突が起きた場合、高い優先度を持つタイプがフィードバックされ、一方、低い優先度を持つタイプが破棄される。例えば、キャリア＃３のモード１−０は、キャリア＃４のモード２−０よりも、小さいフィードバックオーバヘッドを持つ。したがって、キャリア＃３のモード１−０のタイプは、キャリア＃４のモード２−０のタイプよりも高い優先度を持つ。この場合に、キャリア＃４のモード２−０のタイプ３が、キャリア＃３のモード１−０のタイプ４と衝突したとき、キャリア＃３のモード１−０のタイプ４は、キャリア＃４のモード２−０のタイプ３に優先される。換言すれば、このような衝突が起こったとき、キャリア＃３のモード１−０のタイプ４だけが伝送され、一方、キャリア＃４のモード２−０のタイプ３は破棄されることになる。
【０４６１】
具体例  ４（ａ）
周期的にフィードバックを行う場合、１つのＵＥについての異なるフィードバックモードの様々なタイプが１つのサブフレーム内で互いに衝突することを、衝突解消規則を定義することによって回避することが提案される。本具体例において、上記衝突解消規則は、各モードが設定された優先度を持つというモード優先規則として定義される。衝突が起こった場合、高い優先度を持つタイプがフィードバックされ、低い優先度を持つタイプは破棄される。本具体例では、モードの優先度の設定は、ＢＳによって実行されてもよい。将来の通信システムにおいては、モードの優先度の設定は、強化された処理性能を有するＵＥによって実行され、それからＢＳに通知されてもよい。
【０４６２】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【０４６３】
なお、モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。
【０４６４】
モード１−１におけるタイプ３およびタイプ２のフィードバックサブフレームは、タイプ３において、
【０４６５】
【数１４６】
2013531399.tif 000148
【０４６６】
を、タイプ２において、
【０４６７】
【数１４７】
2013531399.tif 000149
【０４６８】
をそれぞれ満たす。
ここで、ｎｆは、システムフレーム数である。ｎｓは、１つの無線フレーム内のタイムスロット数である。
【０４６９】
【数１４８】
2013531399.tif 000150
【０４７０】
は、モード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０４７１】
【数１４９】
2013531399.tif 000151
【０４７２】
は、モード１−１におけるＲＩフィードバックのサブフレームオフセット（実際には、
【０４７３】
【数１５０】
2013531399.tif 000152
【０４７４】
についての付加的オフセット）である。
【０４７５】
【数１５１】
2013531399.tif 000153
【０４７６】
は、モード１−１におけるフィードバックモードの周期的パラメータである。そして、上記のそれぞれは正の整数値である。
【０４７７】
これに対し、モード２−０における、タイプ３、タイプ４、および、タイプ１のフィードバックサブフレームは、タイプ３において、
【０４７８】
【数１５２】
2013531399.tif 000154
【０４７９】
を、タイプ４において、
【０４８０】
【数１５３】
2013531399.tif 000155
【０４８１】
を、タイプ１において、
【０４８２】
【数１５４】
2013531399.tif 000156
【０４８３】
をそれぞれ満たす。
ここで、ｎｆは、システムフレーム数である。ｎｓは、１つの無線フレーム内のタイムスロット数である。
【０４８４】
【数１５５】
2013531399.tif 000157
【０４８５】
は、モード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０４８６】
【数１５６】
2013531399.tif 000158
【０４８７】
は、モード２−０におけるＲＩフィードバックのサブフレームオフセット（実際には、
【０４８８】
【数１５７】
2013531399.tif 000159
【０４８９】
についての付加的オフセット）である。
【０４９０】
【数１５８】
2013531399.tif 000160
【０４９１】
は、モード２−０におけるフィードバックモードの周期的パラメータである。そして、上記のそれぞれは正の整数値である。
【０４９２】
モード１−１およびモード２−０の優先度は、ＢＳによって設定されてもよい。この場合、以下の規則が定義される。すなわち、衝突が起こった場合、高い優先度を持つタイプがフィードバックされ、低い優先度を持つタイプは破棄される。本具体例では、モード１−１のタイプが、モード２−０のタイプよりも高い優先度を持つように、ＢＳによって設定される。モード２−０のタイプ３が、モード１−１のタイプ２と衝突した場合、モード１−１のタイプ２は、モード２−０のタイプ３に優先される。換言すれば、そのような衝突が起こった場合、モード１−１のタイプ２だけが伝送されて、モード２−０のタイプ３が破棄されることになる。
【０４９３】
具体例  ４（ｂ）
周期的にフィードバックを行う場合、１つのＵＥについての異なるフィードバックモードの様々なタイプが１つのサブフレーム内で互いに衝突することを、衝突解消規則を定義することによって回避することが提案される。本具体例において、上記衝突解消規則は、各モードが設定された優先度を持つというモード優先規則として定義される。衝突が起こった場合、高い優先度を持つタイプがフィードバックされ、低い優先度を持つタイプは破棄される。本具体例では、モードの優先度の設定は、ＢＳによって実行されてもよい。将来の通信システムにおいては、モードの優先度の設定は、強化された処理性能を有するＵＥによって実行され、それからＢＳに通知されてもよい。
【０４９４】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【０４９５】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、場合によってはＲＩ情報が、ＢＰにおける１つのより良いサブバンドの位置、および、上記サブバンドのＣＱＩと共にフィードバックされる。
【０４９６】
ここで、キャリア＃１のモード１−１におけるタイプ３およびタイプ２のフィードバックサブフレームは、タイプ３において、
【０４９７】
【数１５９】
2013531399.tif 000161
【０４９８】
を、タイプ２において、
【０４９９】
【数１６０】
2013531399.tif 000162
【０５００】
をそれぞれ満たす。
ここで、ｎｆは、システムフレーム数である。ｎｓは、１つの無線フレーム内のタイムスロット数である。
【０５０１】
【数１６１】
2013531399.tif 000163
【０５０２】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０５０３】
【数１６２】
2013531399.tif 000164
【０５０４】
は、キャリア＃１のモード１−１におけるＲＩフィードバックのサブフレームオフセット（実際には、
【０５０５】
【数１６３】
2013531399.tif 000165
【０５０６】
についての付加的オフセット）である。
【０５０７】
【数１６４】
2013531399.tif 000166
【０５０８】
は、キャリア＃１のモード１−１におけるフィードバックモードの周期的パラメータである。そして、上記のそれぞれは正の整数値である。
【０５０９】
キャリア＃２のモード２−１における、タイプ３、タイプ２、および、タイプ１のフィードバックサブフレームは、タイプ３において、
【０５１０】
【数１６５】
2013531399.tif 000167
【０５１１】
を、タイプ２において、
【０５１２】
【数１６６】
2013531399.tif 000168
【０５１３】
を、タイプ１において、
【０５１４】
【数１６７】
2013531399.tif 000169
【０５１５】
をそれぞれ満たす。
ここで、ｎｆは、システムフレーム数である。ｎｓは、１つの無線フレーム内のタイムスロット数である。
【０５１６】
【数１６８】
2013531399.tif 000170
【０５１７】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０５１８】
【数１６９】
2013531399.tif 000171
【０５１９】
は、キャリア＃２のモード２−１におけるＲＩフィードバックのサブフレームオフセット（実際には、
【０５２０】
【数１７０】
2013531399.tif 000172
【０５２１】
についての付加的オフセット）である。
【０５２２】
【数１７１】
2013531399.tif 000173
【０５２３】
は、キャリア＃２のモード２−１におけるフィードバックモードの周期的パラメータである。そして、上記のそれぞれは正の整数値である。
【０５２４】
キャリア＃３のモード１−０における、タイプ３およびタイプ４のフィードバックサブフレームは、タイプ３において、
【０５２５】
【数１７２】
2013531399.tif 000174
【０５２６】
を、タイプ４において、
【０５２７】
【数１７３】
2013531399.tif 000175
【０５２８】
をそれぞれ満たす。
ここで、ｎｆは、システムフレーム数である。ｎｓは、１つの無線フレーム内のタイムスロット数である。
【０５２９】
【数１７４】
2013531399.tif 000176
【０５３０】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０５３１】
【数１７５】
2013531399.tif 000177
【０５３２】
は、キャリア＃３のモード１−０におけるＲＩフィードバックのサブフレームオフセット（実際には、
【０５３３】
【数１７６】
2013531399.tif 000178
【０５３４】
についての付加的オフセット）である。
【０５３５】
【数１７７】
2013531399.tif 000179
【０５３６】
は、キャリア＃３のモード１−０におけるフィードバックモードの周期的パラメータである。そして、上記のそれぞれは正の整数値である。
【０５３７】
キャリア＃４のモード２−０における、タイプ３、タイプ４、および、タイプ１のフィードバックサブフレームは、タイプ３において、
【０５３８】
【数１７８】
2013531399.tif 000180
【０５３９】
を、タイプ４において、
【０５４０】
【数１７９】
2013531399.tif 000181
【０５４１】
を、タイプ１において、
【０５４２】
【数１８０】
2013531399.tif 000182
【０５４３】
をそれぞれ満たす。
ここで、ｎｆは、システムフレーム数である。ｎｓは、１つの無線フレーム内のタイムスロット数である。
【０５４４】
【数１８１】
2013531399.tif 000183
【０５４５】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０５４６】
【数１８２】
2013531399.tif 000184
【０５４７】
は、キャリア＃４のモード２−０におけるＲＩフィードバックのサブフレームオフセット（実際には、
【０５４８】
【数１８３】
2013531399.tif 000185
【０５４９】
についての付加的オフセット）である。
【０５５０】
【数１８４】
2013531399.tif 000186
【０５５１】
は、キャリア＃４のモード２−０におけるフィードバックモードの周期的パラメータである。そして、上記のそれぞれは正の整数値である。
【０５５２】
キャリア＃５のモード１−１におけるタイプ３およびタイプ２のフィードバックサブフレームは、タイプ３において、
【０５５３】
【数１８５】
2013531399.tif 000187
【０５５４】
を、タイプ２において、
【０５５５】
【数１８６】
2013531399.tif 000188
【０５５６】
をそれぞれ満たす。
ここで、ｎｆは、システムフレーム数である。ｎｓは、１つの無線フレーム内のタイムスロット数である。
【０５５７】
【数１８７】
2013531399.tif 000189
【０５５８】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０５５９】
【数１８８】
2013531399.tif 000190
【０５６０】
は、キャリア＃５のモード１−１におけるＲＩフィードバックのサブフレームオフセット（実際には、
【０５６１】
【数１８９】
2013531399.tif 000191
【０５６２】
についての付加的オフセット）である。
【０５６３】
【数１９０】
2013531399.tif 000192
【０５６４】
は、キャリア＃５のモード１−１におけるフィードバックモードの周期的パラメータである。そして、上記のそれぞれは正の整数値である。
【０５６５】
キャリア＃１のモード１−１、キャリア＃２のモード２−１、キャリア＃３のモード１−０、キャリア＃４のモード２−０、および、キャリア＃５のモード１−１の各フィードバックタイプは、ＢＳによって設定されてもよい。この場合、以下の規則（衝突解消規則）が定義され得る。すなわち、衝突が起きた場合、高い優先度を持つタイプがフィードバックされ、一方、低い優先度を持つタイプは破棄される。例えば、キャリア＃３のモード１−０のタイプが、キャリア＃４のモード２−０のタイプより高い優先度を持つように、ＢＳによって設定される。この場合、キャリア＃４のモード２−０のタイプ３が、キャリア＃３のモード１−０のタイプ４と衝突すると、キャリア＃３のモード１−０のタイプ４は、キャリア＃４のモード２−０のタイプ３に優先される。換言すれば、そのような衝突が起こった場合、キャリア＃３のモード１−０のタイプ４だけが伝送されて、キャリア＃４のモード２−０のタイプ３が破棄されることになる。
【０５６６】
具体例  ５（ａ）
周期的にフィードバックを行う場合、１つのＵＥについての異なるフィードバックモードの様々なタイプが１つのサブフレーム内で互いに衝突することを、衝突解消規則を定義することによって回避することが提案される。本具体例において、上記衝突解消規則は、ダウンリンクプライマリキャリアコンポーネントのモードが高い優先度を持つというダウンリンクプライマリキャリアコンポーネント（ＤＬＰＣＣ；DownLink Primary Carrier Component）優先規則として定義される。衝突が起こった場合、高い優先度を持つタイプがフィードバックされ、低い優先度を持つタイプは破棄される。非ＤＬＰＣＣのキャリア間の衝突を避けるために、これらのキャリアに対しては、さらに、高い優先度のキャリアのモードは高い優先度を持つという優先度が定義される。上記の場合においても、衝突が起こった場合、高い優先度を持つタイプがフィードバックされ、低い優先度を持つタイプは破棄される。
【０５６７】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【０５６８】
なお、モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。
【０５６９】
モード１−１におけるタイプ３およびタイプ２のフィードバックサブフレームは、タイプ３において、
【０５７０】
【数１９１】
2013531399.tif 000193
【０５７１】
を、タイプ２において、
【０５７２】
【数１９２】
2013531399.tif 000194
【０５７３】
をそれぞれ満たす。
ここで、ｎｆは、システムフレーム数である。ｎｓは、１つの無線フレーム内のタイムスロット数である。
【０５７４】
【数１９３】
2013531399.tif 000195
【０５７５】
は、モード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０５７６】
【数１９４】
2013531399.tif 000196
【０５７７】
は、モード１−１におけるＲＩフィードバックのサブフレームオフセット（実際には、
【０５７８】
【数１９５】
2013531399.tif 000197
【０５７９】
についての付加的オフセット）である。
【０５８０】
【数１９６】
2013531399.tif 000198
【０５８１】
は、モード１−１におけるフィードバックモードの周期的パラメータである。そして、上記のそれぞれは正の整数値である。
【０５８２】
これに対し、モード２−０における、タイプ３、タイプ４、および、タイプ１のフィードバックサブフレームは、タイプ３において、
【０５８３】
【数１９７】
2013531399.tif 000199
【０５８４】
を、タイプ４において、
【０５８５】
【数１９８】
2013531399.tif 000200
【０５８６】
を、タイプ１において、
【０５８７】
【数１９９】
2013531399.tif 000201
【０５８８】
をそれぞれ満たす。
ここで、ｎｆは、システムフレーム数である。ｎｓは、１つの無線フレーム内のタイムスロット数である。
【０５８９】
【数２００】
2013531399.tif 000202
【０５９０】
は、モード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０５９１】
【数２０１】
2013531399.tif 000203
【０５９２】
は、モード２−０におけるＲＩフィードバックのサブフレームオフセット（実際には、
【０５９３】
【数２０２】
2013531399.tif 000204
【０５９４】
についての付加的オフセット）である。
【０５９５】
【数２０３】
2013531399.tif 000205
【０５９６】
は、モード２−０におけるフィードバックモードの周期的パラメータである。そして、上記のそれぞれは正の整数値である。
【０５９７】
上述のとおり、実施例のシナリオ（ａ）において、キャリア＃２は、ＤＬＰＣＣである。この場合、モード２−０のタイプが、モード１−１のタイプよりも高い優先度を持つ。したがって、以下の規則（衝突解消規則）が定義され得る。すなわち、衝突が起こった場合、高い優先度を持つタイプがフィードバックされ、低い優先度を持つタイプは破棄される。例えば、モード２−０のタイプ３が、モード１−１のタイプ２と衝突した場合には、モード２−０のタイプ３が、モード１−１のタイプ２に優先される。換言すれば、このような衝突が起こった場合、モード２−０のタイプ３だけが伝送されて、モード１−１のタイプ２は破棄されることになる。
【０５９８】
具体例  ５（ｂ）
周期的にフィードバックを行う場合、１つのＵＥについての異なるフィードバックモードの様々なタイプが１つのサブフレーム内で互いに衝突することを、衝突解消規則を定義することによって回避することが提案される。本具体例において、上記衝突解消規則は、ダウンリンクプライマリキャリアコンポーネントのモードが高い優先度を持つというダウンリンクプライマリキャリアコンポーネント（ＤＬＰＣＣ；DownLink Primary Carrier Component）優先規則として定義される。衝突が起こった場合、高い優先度を持つタイプがフィードバックされ、低い優先度を持つタイプは破棄される。非ＤＬＰＣＣのキャリア間の衝突を避けるために、これらのキャリアに対しては、さらに、高い優先度のキャリアのモードは高い優先度を持つという優先度が定義される。上記の場合においても、衝突が起こった場合、高い優先度を持つタイプがフィードバックされ、低い優先度を持つタイプは破棄される。
【０５９９】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【０６００】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、および、場合によってはＲＩ情報が、ＢＰにおける１つのより良いサブバンドの位置、および、上記サブバンドのＣＱＩと共にフィードバックされる。
【０６０１】
ここで、キャリア＃１のモード１−１におけるタイプ３およびタイプ２のフィードバックサブフレームは、タイプ３において、
【０６０２】
【数２０４】
2013531399.tif 000206
【０６０３】
を、タイプ２において、
【０６０４】
【数２０５】
2013531399.tif 000207
【０６０５】
をそれぞれ満たす。
ここで、ｎｆは、システムフレーム数である。ｎｓは、１つの無線フレーム内のタイムスロット数である。
【０６０６】
【数２０６】
2013531399.tif 000208
【０６０７】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０６０８】
【数２０７】
2013531399.tif 000209
【０６０９】
は、キャリア＃１のモード１−１におけるＲＩフィードバックのサブフレームオフセット（実際には、
【０６１０】
【数２０８】
2013531399.tif 000210
【０６１１】
についての付加的オフセット）である。
【０６１２】
【数２０９】
2013531399.tif 000211
【０６１３】
は、キャリア＃１のモード１−１におけるフィードバックモードの周期的パラメータである。そして、上記のそれぞれは正の整数値である。
【０６１４】
キャリア＃２のモード２−１における、タイプ３、タイプ２、および、タイプ１のフィードバックサブフレームは、タイプ３において、
【０６１５】
【数２１０】
2013531399.tif 000212
【０６１６】
を、タイプ２において、
【０６１７】
【数２１１】
2013531399.tif 000213
【０６１８】
を、タイプ１において、
【０６１９】
【数２１２】
2013531399.tif 000214
【０６２０】
をそれぞれ満たす。
ここで、ｎｆは、システムフレーム数である。ｎｓは、１つの無線フレーム内のタイムスロット数である。
【０６２１】
【数２１３】
2013531399.tif 000215
【０６２２】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０６２３】
【数２１４】
2013531399.tif 000216
【０６２４】
は、キャリア＃２のモード２−１におけるＲＩフィードバックのサブフレームオフセット（実際には、
【０６２５】
【数２１５】
2013531399.tif 000217
【０６２６】
についての付加的オフセット）である。
【０６２７】
【数２１６】
2013531399.tif 000218
【０６２８】
は、キャリア＃２のモード２−１におけるフィードバックモードの周期的パラメータである。そして、上記のそれぞれは正の整数値である。
【０６２９】
キャリア＃３のモード１−０における、タイプ３およびタイプ４のフィードバックサブフレームは、タイプ３において、
【０６３０】
【数２１７】
2013531399.tif 000219
【０６３１】
を、タイプ４において、
【０６３２】
【数２１８】
2013531399.tif 000220
【０６３３】
をそれぞれ満たす。
ここで、ｎｆは、システムフレーム数である。ｎｓは、１つの無線フレーム内のタイムスロット数である。
【０６３４】
【数２１９】
2013531399.tif 000221
【０６３５】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０６３６】
【数２２０】
2013531399.tif 000222
【０６３７】
は、キャリア＃３のモード１−０におけるＲＩフィードバックのサブフレームオフセット（実際には、
【０６３８】
【数２２１】
2013531399.tif 000223
【０６３９】
についての付加的オフセット）である。
【０６４０】
【数２２２】
2013531399.tif 000224
【０６４１】
は、キャリア＃３のモード１−０におけるフィードバックモードの周期的パラメータである。そして、上記のそれぞれは正の整数値である。
【０６４２】
キャリア＃４のモード２−０における、タイプ３、タイプ４、および、タイプ１のフィードバックサブフレームは、タイプ３において、
【０６４３】
【数２２３】
2013531399.tif 000225
【０６４４】
を、タイプ４において、
【０６４５】
【数２２４】
2013531399.tif 000226
【０６４６】
を、タイプ１において、
【０６４７】
【数２２５】
2013531399.tif 000227
【０６４８】
をそれぞれ満たす。
ここで、ｎｆは、システムフレーム数である。ｎｓは、１つの無線フレーム内のタイムスロット数である。
【０６４９】
【数２２６】
2013531399.tif 000228
【０６５０】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０６５１】
【数２２７】
2013531399.tif 000229
【０６５２】
は、キャリア＃４のモード２−０におけるＲＩフィードバックのサブフレームオフセット（実際には、
【０６５３】
【数２２８】
2013531399.tif 000230
【０６５４】
についての付加的オフセット）である。
【０６５５】
【数２２９】
2013531399.tif 000231
【０６５６】
は、キャリア＃４のモード２−０におけるフィードバックモードの周期的パラメータである。そして、上記のそれぞれは正の整数値である。
【０６５７】
キャリア＃５のモード１−１におけるタイプ３およびタイプ２のフィードバックサブフレームは、タイプ３において、
【０６５８】
【数２３０】
2013531399.tif 000232
【０６５９】
を、タイプ２において、
【０６６０】
【数２３１】
2013531399.tif 000233
【０６６１】
をそれぞれ満たす。
ここで、ｎｆは、システムフレーム数である。ｎｓは、１つの無線フレーム内のタイムスロット数である。
【０６６２】
【数２３２】
2013531399.tif 000234
【０６６３】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０６６４】
【数２３３】
2013531399.tif 000235
【０６６５】
は、キャリア＃５のモード１−１におけるＲＩフィードバックのサブフレームオフセット（実際には、
【０６６６】
【数２３４】
2013531399.tif 000236
【０６６７】
についての付加的オフセット）である。
【０６６８】
【数２３５】
2013531399.tif 000237
【０６６９】
は、キャリア＃５のモード１−１におけるフィードバックモードの周期的パラメータである。そして、上記のそれぞれは正の整数値である。
【０６７０】
上述したとおり、実施例のシナリオ（ｂ）において、キャリア＃１は、ＤＬＰＣＣである。この場合、キャリア＃１のモード１−１のタイプは、他のどのモードのタイプよりも高い優先度を持つ。したがって、以下の規則（衝突解消規則）が定義され得る。すなわち、衝突が起きた場合、高い優先度を持つタイプがフィードバックされ、一方、低い優先度を持つタイプが破棄される。例えば、キャリア＃１のモード１−１のタイプ２が、キャリア＃４のモード２−０のタイプ４と衝突した場合には、キャリア＃１のモード１−１のタイプ２が、キャリア＃４のモード２−０のタイプ４に優先される。換言すれば、そのような衝突が起きた場合、キャリア＃１のモード１−１のタイプ２だけが伝送される一方、キャリア＃４のモード２−０のタイプ４は破棄されることになる。
【０６７１】
具体例  ６（ａ）
周期的にフィードバックを行う場合、１つのＵＥについての異なるフィードバックモードの様々なタイプが１つのサブフレーム内で互いに衝突することを、衝突解消規則を定義することによって回避することが提案される。本具体例において、上記衝突解消規則は、搬送する情報量がより多いタイプがより高い優先度を持つというコンテンツ優先規則として定義される。衝突が起こった場合、高い優先度を持つタイプがフィードバックされ、低い優先度を持つタイプは破棄される。
【０６７２】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【０６７３】
なお、モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。
【０６７４】
モード１−１におけるタイプ３およびタイプ２のフィードバックサブフレームは、タイプ３において、
【０６７５】
【数２３６】
2013531399.tif 000238
【０６７６】
を、タイプ２において、
【０６７７】
【数２３７】
2013531399.tif 000239
【０６７８】
をそれぞれ満たす。
ここで、ｎｆは、システムフレーム数である。ｎｓは、１つの無線フレーム内のタイムスロット数である。
【０６７９】
【数２３８】
2013531399.tif 000240
【０６８０】
は、モード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０６８１】
【数２３９】
2013531399.tif 000241
【０６８２】
は、モード１−１におけるＲＩフィードバックのサブフレームオフセット（実際には、
【０６８３】
【数２４０】
2013531399.tif 000242
【０６８４】
についての付加的オフセット）である。
【０６８５】
【数２４１】
2013531399.tif 000243
【０６８６】
は、モード１−１におけるフィードバックモードの周期的パラメータである。そして、上記のそれぞれは正の整数値である。
【０６８７】
これに対し、モード２−０における、タイプ３、タイプ４、および、タイプ１のフィードバックサブフレームは、タイプ３において、
【０６８８】
【数２４２】
2013531399.tif 000244
【０６８９】
を、タイプ４において、
【０６９０】
【数２４３】
2013531399.tif 000245
【０６９１】
を、タイプ１において、
【０６９２】
【数２４４】
2013531399.tif 000246
【０６９３】
をそれぞれ満たす。
ここで、ｎｆは、システムフレーム数である。ｎｓは、１つの無線フレーム内のタイムスロット数である。
【０６９４】
【数２４５】
2013531399.tif 000247
【０６９５】
は、モード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０６９６】
【数２４６】
2013531399.tif 000248
【０６９７】
は、モード２−０におけるＲＩフィードバックのサブフレームオフセット（実際には、
【０６９８】
【数２４７】
2013531399.tif 000249
【０６９９】
についての付加的オフセット）である。
【０７００】
【数２４８】
2013531399.tif 000250
【０７０１】
は、モード２−０におけるフィードバックモードの周期的パラメータである。そして、上記のそれぞれは正の整数値である。
【０７０２】
実施例のシナリオ（ａ）では、例えば、モード２−０のタイプ１が、モード１−１のタイプ３と衝突する場合で、かつ、モード２−０のタイプ１が、より多い量の情報を搬送する場合には、モード２−０のタイプ１が、モード１−１のタイプ３に優先される。換言すれば、このような衝突が起こった場合、モード２−０のタイプ１だけが伝送され、モード１−１のタイプ３は破棄されることになる。
【０７０３】
具体例  ６（ｂ）
周期的にフィードバックを行う場合、１つのＵＥについての異なるフィードバックモードの様々なタイプが１つのサブフレーム内で互いに衝突することを、衝突解消規則を定義することによって回避することが提案される。本具体例において、上記衝突解消規則は、搬送する情報量がより多いタイプがより高い優先度を持つというコンテンツ優先規則として定義される。衝突が起こった場合、高い優先度を持つタイプがフィードバックされ、低い優先度を持つタイプは破棄される。
【０７０４】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【０７０５】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩがフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、および、場合によってはＲＩ情報が、ＢＰにおける１つのより良いサブバンドの位置、および、上記サブバンドのＣＱＩがフィードバックされる。
【０７０６】
ここで、キャリア＃１のモード１−１におけるタイプ３およびタイプ２のフィードバックサブフレームは、タイプ３において、
【０７０７】
【数２４９】
2013531399.tif 000251
【０７０８】
を、タイプ２において、
【０７０９】
【数２５０】
2013531399.tif 000252
【０７１０】
をそれぞれ満たす。
ここで、ｎｆは、システムフレーム数である。ｎｓは、１つの無線フレーム内のタイムスロット数である。
【０７１１】
【数２５１】
2013531399.tif 000253
【０７１２】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０７１３】
【数２５２】
2013531399.tif 000254
【０７１４】
は、キャリア＃１のモード１−１におけるＲＩフィードバックのサブフレームオフセット（実際には、
【０７１５】
【数２５３】
2013531399.tif 000255
【０７１６】
についての付加的オフセット）である。
【０７１７】
【数２５４】
2013531399.tif 000256
【０７１８】
は、キャリア＃１のモード１−１におけるフィードバックモードの周期的パラメータである。そして、上記のそれぞれは正の整数値である。
【０７１９】
キャリア＃２のモード２−１における、タイプ３、タイプ２、および、タイプ１のフィードバックサブフレームは、タイプ３において、
【０７２０】
【数２５５】
2013531399.tif 000257
【０７２１】
を、タイプ２において、
【０７２２】
【数２５６】
2013531399.tif 000258
【０７２３】
を、タイプ１において、
【０７２４】
【数２５７】
2013531399.tif 000259
【０７２５】
をそれぞれ満たす。
ここで、ｎｆは、システムフレーム数である。ｎｓは、１つの無線フレーム内のタイムスロット数である。
【０７２６】
【数２５８】
2013531399.tif 000260
【０７２７】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０７２８】
【数２５９】
2013531399.tif 000261
【０７２９】
は、キャリア＃２のモード２−１におけるＲＩフィードバックのサブフレームオフセット（実際には、
【０７３０】
【数２６０】
2013531399.tif 000262
【０７３１】
についての付加的オフセット）である。
【０７３２】
【数２６１】
2013531399.tif 000263
【０７３３】
は、キャリア＃２のモード２−１におけるフィードバックモードの周期的パラメータである。そして、上記のそれぞれは正の整数値である。
【０７３４】
キャリア＃３のモード１−０における、タイプ３およびタイプ４のフィードバックサブフレームは、タイプ３において、
【０７３５】
【数２６２】
2013531399.tif 000264
【０７３６】
を、タイプ４において、
【０７３７】
【数２６３】
2013531399.tif 000265
【０７３８】
をそれぞれ満たす。
ここで、ｎｆは、システムフレーム数である。ｎｓは、１つの無線フレーム内のタイムスロット数である。
【０７３９】
【数２６４】
2013531399.tif 000266
【０７４０】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０７４１】
【数２６５】
2013531399.tif 000267
【０７４２】
は、キャリア＃３のモード１−０におけるＲＩフィードバックのサブフレームオフセット（実際には、
【０７４３】
【数２６６】
2013531399.tif 000268
【０７４４】
についての付加的オフセット）である。
【０７４５】
【数２６７】
2013531399.tif 000269
【０７４６】
は、キャリア＃３のモード１−０におけるフィードバックモードの周期的パラメータである。そして、上記のそれぞれは正の整数値である。
【０７４７】
キャリア＃４のモード２−０における、タイプ３、タイプ４、および、タイプ１のフィードバックサブフレームは、タイプ３において、
【０７４８】
【数２６８】
2013531399.tif 000270
【０７４９】
を、タイプ４において、
【０７５０】
【数２６９】
2013531399.tif 000271
【０７５１】
を、タイプ１において、
【０７５２】
【数２７０】
2013531399.tif 000272
【０７５３】
をそれぞれ満たす。
ここで、ｎｆは、システムフレーム数である。ｎｓは、１つの無線フレーム内のタイムスロット数である。
【０７５４】
【数２７１】
2013531399.tif 000273
【０７５５】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０７５６】
【数２７２】
2013531399.tif 000274
【０７５７】
は、キャリア＃４のモード２−０におけるＲＩフィードバックのサブフレームオフセット（実際には、
【０７５８】
【数２７３】
2013531399.tif 000275
【０７５９】
についての付加的オフセット）である。
【０７６０】
【数２７４】
2013531399.tif 000276
【０７６１】
は、キャリア＃４のモード２−０におけるフィードバックモードの周期的パラメータである。そして、上記のそれぞれは正の整数値である。
【０７６２】
キャリア＃５のモード１−１におけるタイプ３およびタイプ２のフィードバックサブフレームは、タイプ３において、
【０７６３】
【数２７５】
2013531399.tif 000277
【０７６４】
を、タイプ２において、
【０７６５】
【数２７６】
2013531399.tif 000278
【０７６６】
をそれぞれ満たす。
ここで、ｎｆは、システムフレーム数である。ｎｓは、１つの無線フレーム内のタイムスロット数である。
【０７６７】
【数２７７】
2013531399.tif 000279
【０７６８】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０７６９】
【数２７８】
2013531399.tif 000280
【０７７０】
は、キャリア＃５のモード１−１におけるＲＩフィードバックのサブフレームオフセット（実際には、
【０７７１】
【数２７９】
2013531399.tif 000281
【０７７２】
についての付加的オフセット）である。
【０７７３】
【数２８０】
2013531399.tif 000282
【０７７４】
は、キャリア＃５のモード１−１におけるフィードバックモードの周期的パラメータである。そして、上記のそれぞれは正の整数値である。
【０７７５】
実施例のシナリオ（ｂ）では、例えば、キャリア＃２のモード２−１のタイプ１が、キャリア＃４のモード２−０のタイプ４と衝突する場合で、かつ、キャリア＃２のモード２−１のタイプ１が、より多い量の情報を搬送する場合には、キャリア＃２のモード２−１のタイプ１が、キャリア＃４のモード２−０のタイプ４に優先される。換言すれば、このような衝突が起こった場合、キャリア＃２のモード２−１のタイプ１だけが伝送され、キャリア＃４のモード２−０のタイプ４は破棄されることになる。
【０７７６】
具体例  ７（ａ）
周期的にフィードバックを行う場合、統合フィードバック方法によって、様々なフィードバックモードの総フィードバックオーバヘッドの過多の問題を解決することが提案される。本具体例において、複数のＲＩ情報（タイプ３）は、コーディング処理を経ずに、連結されて伝送される。上記具体例６（ａ）に関連して、連結されたタイプ３は、通常、他の連結されていないタイプよりも多くの量の情報を搬送する。よって、連結されたタイプ３は、他の連結されていないタイプよりも、高い優先度を有する。
【０７７７】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【０７７８】
なお、モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。
【０７７９】
モード１−１におけるタイプ３およびタイプ２のフィードバックサブフレームは、タイプ３において、
【０７８０】
【数２８１】
2013531399.tif 000283
【０７８１】
を、タイプ２において、
【０７８２】
【数２８２】
2013531399.tif 000284
【０７８３】
をそれぞれ満たす。
ここで、ｎｆは、システムフレーム数である。ｎｓは、１つの無線フレーム内のタイムスロット数である。
【０７８４】
【数２８３】
2013531399.tif 000285
【０７８５】
は、モード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０７８６】
【数２８４】
2013531399.tif 000286
【０７８７】
は、モード１−１におけるＲＩフィードバックのサブフレームオフセット（実際には、
【０７８８】
【数２８５】
2013531399.tif 000287
【０７８９】
についての付加的オフセット）である。
【０７９０】
【数２８６】
2013531399.tif 000288
【０７９１】
は、モード１−１におけるフィードバックモードの周期的パラメータである。そして、上記のそれぞれは正の整数値である。
【０７９２】
これに対し、モード２−０における、タイプ３、タイプ４、および、タイプ１のフィードバックサブフレームは、タイプ３において、
【０７９３】
【数２８７】
2013531399.tif 000289
【０７９４】
を、タイプ４において、
【０７９５】
【数２８８】
2013531399.tif 000290
【０７９６】
を、タイプ１において、
【０７９７】
【数２８９】
2013531399.tif 000291
【０７９８】
をそれぞれ満たす。
ここで、ｎｆは、システムフレーム数である。ｎｓは、１つの無線フレーム内のタイムスロット数である。
【０７９９】
【数２９０】
2013531399.tif 000292
【０８００】
は、モード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０８０１】
【数２９１】
2013531399.tif 000293
【０８０２】
は、モード２−０におけるＲＩフィードバックのサブフレームオフセット（実際には、
【０８０３】
【数２９２】
2013531399.tif 000294
【０８０４】
についての付加的オフセット）である。
【０８０５】
【数２９３】
2013531399.tif 000295
【０８０６】
は、モード２−０におけるフィードバックモードの周期的パラメータである。そして、上記のそれぞれは正の整数値である。
【０８０７】
ここで、モード１−１およびモード２−０のＲＩ情報（タイプ３）は、統合されて伝送されてもよい。換言すれば、上記の２つのモードのタイプ３は、あらゆるコーディング処理を経ずに、連結されて伝送されてもよい。モード１−１およびモード２−０のタイプ３が、それぞれの３ビットのオーバヘッドを持つ場合には、統合伝送に要するオーバヘッドは、６ビットである。
【０８０８】
具体例  ７（ｂ）
周期的にフィードバックを行う場合、統合フィードバック方法によって、様々なフィードバックモードの総フィードバックオーバヘッドの過多の問題を解決することが提案される。本具体例において、複数のＲＩ情報（タイプ３）は、コーディング処理を経ずに、連結されて伝送される。上記具体例６（ｂ）に関連して、連結されたタイプ３は、通常、他の連結されていないタイプよりも多くの量の情報を搬送する。よって、連結されたタイプ３は、他の連結されていないタイプよりも、高い優先度を有する。
【０８０９】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【０８１０】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、場合によってはＲＩ情報が、ＢＰにおける１つのより良いサブバンドの位置、および、上記サブバンドのＣＱＩと共にフィードバックされる。
【０８１１】
ここで、キャリア＃１のモード１−１におけるタイプ３およびタイプ２のフィードバックサブフレームは、タイプ３において、
【０８１２】
【数２９４】
2013531399.tif 000296
【０８１３】
を、タイプ２において、
【０８１４】
【数２９５】
2013531399.tif 000297
【０８１５】
をそれぞれ満たす。
ここで、ｎｆは、システムフレーム数である。ｎｓは、１つの無線フレーム内のタイムスロット数である。
【０８１６】
【数２９６】
2013531399.tif 000298
【０８１７】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０８１８】
【数２９７】
2013531399.tif 000299
【０８１９】
は、キャリア＃１のモード１−１におけるＲＩフィードバックのサブフレームオフセット（実際には、
【０８２０】
【数２９８】
2013531399.tif 000300
【０８２１】
についての付加的オフセット）である。
【０８２２】
【数２９９】
2013531399.tif 000301
【０８２３】
は、キャリア＃１のモード１−１におけるフィードバックモードの周期的パラメータである。そして、上記のそれぞれは正の整数値である。
【０８２４】
キャリア＃２のモード２−１における、タイプ３、タイプ２、および、タイプ１のフィードバックサブフレームは、タイプ３において、
【０８２５】
【数３００】
2013531399.tif 000302
【０８２６】
を、タイプ２において、
【０８２７】
【数３０１】
2013531399.tif 000303
【０８２８】
を、タイプ１において、
【０８２９】
【数３０２】
2013531399.tif 000304
【０８３０】
をそれぞれ満たす。
ここで、ｎｆは、システムフレーム数である。ｎｓは、１つの無線フレーム内のタイムスロット数である。
【０８３１】
【数３０３】
2013531399.tif 000305
【０８３２】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０８３３】
【数３０４】
2013531399.tif 000306
【０８３４】
は、キャリア＃２のモード２−１におけるＲＩフィードバックのサブフレームオフセット（実際には、
【０８３５】
【数３０５】
2013531399.tif 000307
【０８３６】
についての付加的オフセット）である。
【０８３７】
【数３０６】
2013531399.tif 000308
【０８３８】
は、キャリア＃２のモード２−１におけるフィードバックモードの周期的パラメータである。そして、上記のそれぞれは正の整数値である。
【０８３９】
キャリア＃３のモード１−０における、タイプ３およびタイプ４のフィードバックサブフレームは、タイプ３において、
【０８４０】
【数３０７】
2013531399.tif 000309
【０８４１】
を、タイプ４において、
【０８４２】
【数３０８】
2013531399.tif 000310
【０８４３】
をそれぞれ満たす。
ここで、ｎｆは、システムフレーム数である。ｎｓは、１つの無線フレーム内のタイムスロット数である。
【０８４４】
【数３０９】
2013531399.tif 000311
【０８４５】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０８４６】
【数３１０】
2013531399.tif 000312
【０８４７】
は、キャリア＃３のモード１−０におけるＲＩフィードバックのサブフレームオフセット（実際には、
【０８４８】
【数３１１】
2013531399.tif 000313
【０８４９】
についての付加的オフセット）である。
【０８５０】
【数３１２】
2013531399.tif 000314
【０８５１】
は、キャリア＃３のモード１−０におけるフィードバックモードの周期的パラメータである。そして、上記のそれぞれは正の整数値である。
【０８５２】
キャリア＃４のモード２−０における、タイプ３、タイプ４、および、タイプ１のフィードバックサブフレームは、タイプ３において、
【０８５３】
【数３１３】
2013531399.tif 000315
【０８５４】
を、タイプ４において、
【０８５５】
【数３１４】
2013531399.tif 000316
【０８５６】
を、タイプ１において、
【０８５７】
【数３１５】
2013531399.tif 000317
【０８５８】
をそれぞれ満たす。
ここで、ｎｆは、システムフレーム数である。ｎｓは、１つの無線フレーム内のタイムスロット数である。
【０８５９】
【数３１６】
2013531399.tif 000318
【０８６０】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０８６１】
【数３１７】
2013531399.tif 000319
【０８６２】
は、キャリア＃４のモード２−０におけるＲＩフィードバックのサブフレームオフセット（実際には、
【０８６３】
【数３１８】
2013531399.tif 000320
【０８６４】
についての付加的オフセット）である。
【０８６５】
【数３１９】
2013531399.tif 000321
【０８６６】
は、キャリア＃４のモード２−０におけるフィードバックモードの周期的パラメータである。そして、上記のそれぞれは正の整数値である。
【０８６７】
キャリア＃５のモード１−１におけるタイプ３およびタイプ２のフィードバックサブフレームは、タイプ３において、
【０８６８】
【数３２０】
2013531399.tif 000322
【０８６９】
を、タイプ２において、
【０８７０】
【数３２１】
2013531399.tif 000323
【０８７１】
をそれぞれ満たす。
ここで、ｎｆは、システムフレーム数である。ｎｓは、１つの無線フレーム内のタイムスロット数である。
【０８７２】
【数３２２】
2013531399.tif 000324
【０８７３】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０８７４】
【数３２３】
2013531399.tif 000325
【０８７５】
は、キャリア＃５のモード１−１におけるＲＩフィードバックのサブフレームオフセット（実際には、
【０８７６】
【数３２４】
2013531399.tif 000326
【０８７７】
についての付加的オフセット）である。
【０８７８】
【数３２５】
2013531399.tif 000327
【０８７９】
は、キャリア＃５のモード１−１におけるフィードバックモードの周期的パラメータである。そして、上記のそれぞれは正の整数値である。
【０８８０】
ここで、キャリア＃１のモード１−１におけるタイプ３、キャリア＃２のモード２−１におけるタイプ３、および、キャリア＃４のモード２−０におけるタイプ３は、統合されて伝送されてもよい。換言すれば、これらの３つのモードのタイプ３は、あらゆるコーディング処理を行わずに、連結されて伝送されてもよい。キャリア＃１のモード１−１におけるタイプ３と、キャリア＃２のモード２−１におけるタイプ３と、キャリア＃４のモード２−０におけるタイプ３とは、それぞれ３ビットのオーバヘッドを持つ場合、統合伝送に要するオーバヘッドは、９ビットである。
【０８８１】
具体例  ８（ａ）
周期的にフィードバックを行う場合、統合フィードバック方法によって、様々なフィードバックモードの総フィードバックオーバヘッドの過多の問題を解決することが提案される。本具体例において、複数のＲＩ情報は、同時に、ジョイントコーディング処理にかけられて伝送される。上記具体例６（ａ）に関連して、統合されたタイプ３は、通常、他の統合されていないタイプと比較して、より多くの量の情報を搬送し、より高い優先度を有する。
【０８８２】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【０８８３】
なお、モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。
【０８８４】
モード１−１におけるタイプ３およびタイプ２のフィードバックサブフレームは、タイプ３において、
【０８８５】
【数３２６】
2013531399.tif 000328
【０８８６】
を、タイプ２において、
【０８８７】
【数３２７】
2013531399.tif 000329
【０８８８】
をそれぞれ満たす。
ここで、ｎｆは、システムフレーム数である。ｎｓは、１つの無線フレーム内のタイムスロット数である。
【０８８９】
【数３２８】
2013531399.tif 000330
【０８９０】
は、モード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０８９１】
【数３２９】
2013531399.tif 000331
【０８９２】
は、モード１−１におけるＲＩフィードバックのサブフレームオフセット（実際には、
【０８９３】
【数３３０】
2013531399.tif 000332
【０８９４】
についての付加的オフセット）である。
【０８９５】
【数３３１】
2013531399.tif 000333
【０８９６】
は、モード１−１におけるフィードバックモードの周期的パラメータである。そして、上記のそれぞれは正の整数値である。
【０８９７】
これに対し、モード２−０における、タイプ３、タイプ４、および、タイプ１のフィードバックサブフレームは、タイプ３において、
【０８９８】
【数３３２】
2013531399.tif 000334
【０８９９】
を、タイプ４において、
【０９００】
【数３３３】
2013531399.tif 000335
【０９０１】
を、タイプ１において、
【０９０２】
【数３３４】
2013531399.tif 000336
【０９０３】
をそれぞれ満たす。
ここで、ｎｆは、システムフレーム数である。ｎｓは、１つの無線フレーム内のタイムスロット数である。
【０９０４】
【数３３５】
2013531399.tif 000337
【０９０５】
は、モード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０９０６】
【数３３６】
2013531399.tif 000338
【０９０７】
は、モード２−０におけるＲＩフィードバックのサブフレームオフセット（実際には、
【０９０８】
【数３３７】
2013531399.tif 000339
【０９０９】
についての付加的オフセット）である。
【０９１０】
【数３３８】
2013531399.tif 000340
【０９１１】
は、モード２−０におけるフィードバックモードの周期的パラメータである。そして、上記のそれぞれは正の整数値である。
【０９１２】
ここで、モード１−１およびモード２−０のＲＩ情報（タイプ３）は、ジョイントコーディング処理にかけられて、統合されて伝送されてもよい。換言すれば、上記の２つのモードにおけるタイプ３は、同時に、ジョイントコーディング処理にかけられて伝送されてもよい。ジョイントコーディング処理は、様々な先行技術を含んでいる。例えば、（冗長情報がブロック単位でコードブロックに付加される）ブロックコーディング、（符号化されたコードワードが事前に定義されたデジタル／アナログ特性を満足するように、情報ビットに対していくつかのチェックビットが付加される）巡回チェックコーディング、（様々なレベルの冗長情報が様々なコーディング部に付加され得る）不平衡ジョイントコーディング、および、（選択された基準に応じて、他の情報が差分コーディングされ得る）差分コーディング、などである。上記既存のジョイントコーディング技術を全部説明することはできないので、本実施例を説明するために、ここでは、差分コーディング方式を想定する。しかしながら、本実施例の説明から得るもので、当業者は、他のジョイントコーディング方式を容易に実施することができる。
【０９１３】
本実施例では、モード間（inter-mode）差分コーディングがＲＩ情報（タイプ３）に適用される。ここで、他のフィードバックモードのＲＩは、指定されたフィードバックモードのＲＩを基準として、差分コーディングされる。差分コーディング規則は、ＢＳとＵＥとの間で予め取り決められた差分コーディングテーブルにしたがう。
【０９１４】
ある実施形態では、上記指定されたフィードバックモードは、ＤＬＰＣＣのフィードバックモードである。
【０９１５】
上述の典型的なシナリオ（ａ）では、キャリア＃２は、ＤＬＰＣＣである。したがって、キャリア＃２におけるモード２−０のＲＩを基準として、その他のフィードバックモードのＲＩが、差分コーディングされる。この場合、差分コーディング規則は、ＢＳとＵＥとの間で予め取り決められた差分コーディングテーブルにしたがう。表１は、ＲＩの差分コーディングテーブルの一例である。表１に図示されている２ビット差分コーディングは典型例にすぎない。本発明の実施は、表１のコーディングに限定されない。実際、１ビット差分コーディングもまた実現可能である。１ビット差分コーディングの実施は、本実施例において示すものと同様であるので、ここでは詳細な説明を省略する。
【０９１６】
【表１】
2013531399.tif 000341
【０９１７】
表１によれば、モード２−０のＲＩは３であり、モード１−１のＲＩは２であると想定される。“モード２−０のＲＩが３である”というイベントは、３ビット（０１０）で示されてもよいし、“モード１−１のＲＩが２である”というイベントは、２ビット（１０）で示されてもよい。したがって、これらの５ビットは、統合された伝送のためのＲＩ情報（タイプ３）を構成するために連結される。
【０９１８】
あるいは、上記指定されたフィードバックモードは、上位層シグナリングを介して、ＢＳによって設定されるフィードバックモードである。
【０９１９】
上述の典型的なシナリオ（ａ）では、ＢＳは、上位層シグナリングの手段を用いて、モード１−１のＲＩが基準として利用され、他のフィードバックモードのＲＩは、上記基準に基づいて差分コーディングされるように、設定できる。この場合、差分コーディング規則は、ＢＳとＵＥとの間で予め取り決められた差分コーディングテーブルにしたがう。表１は、ＲＩの差分コーディングテーブルの一例である。表１に図示されている２ビット差分コーディングは典型例にすぎない。本発明の実施は、表１のコーディングに限定されない。実際、１ビット差分コーディングもまた実現可能である。１ビット差分コーディングの実施は、本実施例において示すものと同様であるので、ここでは詳細な説明を省略する。
【０９２０】
表１によれば、モード２−０のＲＩは３であり、モード１−１のＲＩは２であると想定される。“モード１−１のＲＩが２である”というイベントは、３ビット（００１）で示されてもよいし、“モード２−０のＲＩが３である”というイベントは、２ビット（１０）で示されてもよい。したがって、これらの５ビットは、統合された伝送のためのＲＩ情報（タイプ３）を構成するために連結される。
【０９２１】
具体例  ８（ｂ）
周期的にフィードバックを行う場合、統合フィードバック方法によって、様々なフィードバックモードの総フィードバックオーバヘッドの過多の問題を解決することが提案される。本具体例において、複数のＲＩ情報は、同時に、ジョイントコーディング処理にかけられて伝送される。上記具体例６（ｂ）に関連して、統合されたタイプ３は、通常、他の統合されていないタイプと比較して、より多くの量の情報を搬送し、より高い優先度を有する。
【０９２２】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【０９２３】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、場合によってはＲＩ情報が、ＢＰにおける１つのより良いサブバンドの位置、および、上記サブバンドのＣＱＩと共にフィードバックされる。
【０９２４】
ここで、キャリア＃１のモード１−１におけるタイプ３およびタイプ２のフィードバックサブフレームは、タイプ３において、
【０９２５】
【数３３９】
2013531399.tif 000342
【０９２６】
を、タイプ２において、
【０９２７】
【数３４０】
2013531399.tif 000343
【０９２８】
をそれぞれ満たす。
ここで、ｎｆは、システムフレーム数である。ｎｓは、１つの無線フレーム内のタイムスロット数である。
【０９２９】
【数３４１】
2013531399.tif 000344
【０９３０】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０９３１】
【数３４２】
2013531399.tif 000345
【０９３２】
は、キャリア＃１のモード１−１におけるＲＩフィードバックのサブフレームオフセット（実際には、
【０９３３】
【数３４３】
2013531399.tif 000346
【０９３４】
についての付加的オフセット）である。
【０９３５】
【数３４４】
2013531399.tif 000347
【０９３６】
は、キャリア＃１のモード１−１におけるフィードバックモードの周期的パラメータである。そして、上記のそれぞれは正の整数値である。
【０９３７】
キャリア＃２のモード２−１における、タイプ３、タイプ２、および、タイプ１のフィードバックサブフレームは、タイプ３において、
【０９３８】
【数３４５】
2013531399.tif 000348
【０９３９】
を、タイプ２において、
【０９４０】
【数３４６】
2013531399.tif 000349
【０９４１】
を、タイプ１において、
【０９４２】
【数３４７】
2013531399.tif 000350
【０９４３】
をそれぞれ満たす。
ここで、ｎｆは、システムフレーム数である。ｎｓは、１つの無線フレーム内のタイムスロット数である。
【０９４４】
【数３４８】
2013531399.tif 000351
【０９４５】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０９４６】
【数３４９】
2013531399.tif 000352
【０９４７】
は、キャリア＃２のモード２−１におけるＲＩフィードバックのサブフレームオフセット（実際には、
【０９４８】
【数３５０】
2013531399.tif 000353
【０９４９】
についての付加的オフセット）である。
【０９５０】
【数３５１】
2013531399.tif 000354
【０９５１】
は、キャリア＃２のモード２−１におけるフィードバックモードの周期的パラメータである。そして、上記のそれぞれは正の整数値である。
【０９５２】
キャリア＃３のモード１−０における、タイプ３およびタイプ４のフィードバックサブフレームは、タイプ３において、
【０９５３】
【数３５２】
2013531399.tif 000355
【０９５４】
を、タイプ４において、
【０９５５】
【数３５３】
2013531399.tif 000356
【０９５６】
をそれぞれ満たす。
ここで、ｎｆは、システムフレーム数である。ｎｓは、１つの無線フレーム内のタイムスロット数である。
【０９５７】
【数３５４】
2013531399.tif 000357
【０９５８】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０９５９】
【数３５５】
2013531399.tif 000358
【０９６０】
は、キャリア＃３のモード１−０におけるＲＩフィードバックのサブフレームオフセット（実際には、
【０９６１】
【数３５６】
2013531399.tif 000359
【０９６２】
についての付加的オフセット）である。
【０９６３】
【数３５７】
2013531399.tif 000360
【０９６４】
は、キャリア＃３のモード１−０におけるフィードバックモードの周期的パラメータである。そして、上記のそれぞれは正の整数値である。
【０９６５】
キャリア＃４のモード２−０における、タイプ３、タイプ４、および、タイプ１のフィードバックサブフレームは、タイプ３において、
【０９６６】
【数３５８】
2013531399.tif 000361
【０９６７】
を、タイプ４において、
【０９６８】
【数３５９】
2013531399.tif 000362
【０９６９】
を、タイプ１において、
【０９７０】
【数３６０】
2013531399.tif 000363
【０９７１】
をそれぞれ満たす。
ここで、ｎｆは、システムフレーム数である。ｎｓは、１つの無線フレーム内のタイムスロット数である。
【０９７２】
【数３６１】
2013531399.tif 000364
【０９７３】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０９７４】
【数３６２】
2013531399.tif 000365
【０９７５】
は、キャリア＃４のモード２−０におけるＲＩフィードバックのサブフレームオフセット（実際には、
【０９７６】
【数３６３】
2013531399.tif 000366
【０９７７】
についての付加的オフセット）である。
【０９７８】
【数３６４】
2013531399.tif 000367
【０９７９】
は、キャリア＃４のモード２−０におけるフィードバックモードの周期的パラメータである。そして、上記のそれぞれは正の整数値である。
【０９８０】
キャリア＃５のモード１−１におけるタイプ３およびタイプ２のフィードバックサブフレームは、タイプ３において、
【０９８１】
【数３６５】
2013531399.tif 000368
【０９８２】
を、タイプ２において、
【０９８３】
【数３６６】
2013531399.tif 000369
【０９８４】
をそれぞれ満たす。
ここで、ｎｆは、システムフレーム数である。ｎｓは、１つの無線フレーム内のタイムスロット数である。
【０９８５】
【数３６７】
2013531399.tif 000370
【０９８６】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【０９８７】
【数３６８】
2013531399.tif 000371
【０９８８】
は、キャリア＃５のモード１−１におけるＲＩフィードバックのサブフレームオフセット（実際には、
【０９８９】
【数３６９】
2013531399.tif 000372
【０９９０】
についての付加的オフセット）である。
【０９９１】
【数３７０】
2013531399.tif 000373
【０９９２】
は、キャリア＃５のモード１−１におけるフィードバックモードの周期的パラメータである。そして、上記のそれぞれは正の整数値である。
【０９９３】
ここで、キャリア＃１のモード１−１におけるタイプ３、キャリア＃２のモード２−１におけるタイプ３、および、キャリア＃５のモード１−１におけるタイプ３は、ジョイントコーディング処理にかけられて、統合されて伝送されてもよい。換言すれば、上記の３つのモードにおけるタイプ３は、同時に、ジョイントコーディング処理にかけられて伝送されてもよい。ジョイントコーディング処理は、様々な先行技術を含んでいる。例えば、（冗長情報がブロック単位でコードブロックに付加される）ブロックコーディング、（符号化されたコードワードが事前に定義されたデジタル／アナログ特性を満足するように、情報ビットに対していくつかのチェックビットが付加される）巡回チェックコーディング、（様々なレベルの冗長情報が様々なコーディング部に付加され得る）不平衡ジョイントコーディング、および、（選択された基準に応じて、他の情報が差分コーディングされ得る）差分コーディング、などである。上記既存のジョイントコーディング技術を全部説明することはできないので、本実施例を説明するために、ここでは、差分コーディング方式を想定する。しかしながら、本実施例の説明から得るもので、当業者は、他のジョイントコーディング方式を容易に実施することができる。
【０９９４】
本実施例では、キャリア間（inter-carrier）差分コーディングがＲＩ情報（タイプ３）に適用される。ここで、他のフィードバックモードのＲＩは、指定されたキャリアのフィードバックモードのＲＩを基準として、差分コーディングされる。差分コーディング規則は、ＢＳとＵＥとの間で予め取り決められた差分コーディングテーブルにしたがう。
【０９９５】
ある実施形態では、指定されたキャリアは、ＤＬＰＣＣである。
【０９９６】
上述の典型的なシナリオ（ｂ）では、キャリア＃１は、ＤＬＰＣＣである。したがって、キャリア＃１におけるモード１−１のＲＩを基準として、その他のフィードバックモードのＲＩが、差分コーディングされる。この場合、差分コーディング規則は、ＢＳとＵＥとの間で予め取り決められた差分コーディングテーブルにしたがう。表１は、ＲＩの差分コーディングテーブルの一例である。表１に図示されている２ビット差分コーディングは典型例にすぎない。本発明の実施は、表１のコーディングに限定されない。実際、１ビット差分コーディングもまた実現可能である。１ビット差分コーディングの実施は、本実施例において示すものと同様であるので、ここでは詳細な説明を省略する。
【０９９７】
表１によれば、キャリア＃１のモード１−１のＲＩは３であり、キャリア＃２のモード２−１のＲＩは４であり、キャリア＃５のモード１−１のＲＩは１であると想定される。“キャリア＃１のモード１−１のＲＩが３である”というイベントは、３ビット（０１０）で示されてもよいし、“キャリア＃２のモード２−１のＲＩが４である”というイベントは、２ビット（１１）で示されてもよいし、“キャリア＃５のモード１−１のＲＩが１である”というイベントは、２ビット（０１）で示されてもよい。したがって、これらの７ビットは、統合された伝送のためのＲＩ情報（タイプ３）を構成するために連結される。
【０９９８】
あるいは、上記指定されたキャリアは、上位層シグナリングを介して、ＢＳによって設定されるキャリアである。
【０９９９】
上述の典型的なシナリオ（ｂ）では、ＢＳは、上位層シグナリングの手段を用いて、キャリア＃５のモード１−１のＲＩが基準として利用され、他のフィードバックモードのＲＩは、上記基準に基づいて、差分コーディングされるように、設定できる。この場合、差分コーディング規則は、ＢＳとＵＥとの間で予め取り決められた差分コーディングテーブルにしたがう。表１は、ＲＩの差分コーディングテーブルの一例である。表１に図示されている２ビット差分コーディングは典型例にすぎない。本発明の実施は、表１のコーディングに限定されない。実際、１ビット差分コーディングもまた実現可能である。１ビット差分コーディングの実施は、本実施例において示すものと同様であるので、ここでは詳細な説明を省略する。
【１０００】
表１によれば、キャリア＃１のモード１−１のＲＩは３であり、キャリア＃２のモード２−１のＲＩは４であり、キャリア＃５のモード１−１のＲＩは１であると想定される。“キャリア＃５のモード１−１のＲＩが１である”というイベントは、３ビット（０００）で示されてもよいし、“キャリア＃２のモード２−１のＲＩが４である”というイベントは、２ビット（１１）で示されてもよいし、“キャリア＃１のモード１−１のＲＩが３である”というイベントは、２ビット（１０）で示されてもよい。したがって、これらの７ビットは、統合された伝送のためのＲＩ情報（タイプ３）を構成するために連結される。
【１００１】
具体例  ９（ｂ１）
周期的にフィードバックを行う場合、統合フィードバック方法によって、様々なフィードバックモードの総フィードバックオーバヘッドの過多の問題を解決することが提案される。本具体例において、複数の広帯域ＣＱＩ情報（タイプ４）は、同時に、ジョイントコーディング処理にかけられて伝送される。上記具体例６（ｂ）に関連して、統合されたタイプ４は、通常、他の統合されていないタイプと比較して、より多くの量の情報を搬送し、より高い優先度を有する。
【１００２】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【１００３】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、場合によってはＲＩ情報が、ＢＰにおける１つのより良いサブバンドの位置、および、上記サブバンドのＣＱＩと共にフィードバックされる。
【１００４】
ここで、キャリア＃１のモード１−１におけるタイプ３およびタイプ２のフィードバックサブフレームは、タイプ３において、
【１００５】
【数３７１】
2013531399.tif 000374
【１００６】
を、タイプ２において、
【１００７】
【数３７２】
2013531399.tif 000375
【１００８】
をそれぞれ満たす。
ここで、ｎｆは、システムフレーム数である。ｎｓは、１つの無線フレーム内のタイムスロット数である。
【１００９】
【数３７３】
2013531399.tif 000376
【１０１０】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１０１１】
【数３７４】
2013531399.tif 000377
【１０１２】
は、キャリア＃１のモード１−１におけるＲＩフィードバックのサブフレームオフセット（実際には、
【１０１３】
【数３７５】
2013531399.tif 000378
【１０１４】
についての付加的オフセット）である。
【１０１５】
【数３７６】
2013531399.tif 000379
【１０１６】
は、キャリア＃１のモード１−１におけるフィードバックモードの周期的パラメータである。そして、上記のそれぞれは正の整数値である。
【１０１７】
キャリア＃２のモード２−１における、タイプ３、タイプ２、および、タイプ１のフィードバックサブフレームは、タイプ３において、
【１０１８】
【数３７７】
2013531399.tif 000380
【１０１９】
を、タイプ２において、
【１０２０】
【数３７８】
2013531399.tif 000381
【１０２１】
を、タイプ１において、
【１０２２】
【数３７９】
2013531399.tif 000382
【１０２３】
をそれぞれ満たす。
ここで、ｎｆは、システムフレーム数である。ｎｓは、１つの無線フレーム内のタイムスロット数である。
【１０２４】
【数３８０】
2013531399.tif 000383
【１０２５】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１０２６】
【数３８１】
2013531399.tif 000384
【１０２７】
は、キャリア＃２のモード２−１におけるＲＩフィードバックのサブフレームオフセット（実際には、
【１０２８】
【数３８２】
2013531399.tif 000385
【１０２９】
についての付加的オフセット）である。
【１０３０】
【数３８３】
2013531399.tif 000386
【１０３１】
は、キャリア＃２のモード２−１におけるフィードバックモードの周期的パラメータである。そして、上記のそれぞれは正の整数値である。
【１０３２】
キャリア＃３のモード１−０における、タイプ３およびタイプ４のフィードバックサブフレームは、タイプ３において、
【１０３３】
【数３８４】
2013531399.tif 000387
【１０３４】
を、タイプ４において、
【１０３５】
【数３８５】
2013531399.tif 000388
【１０３６】
をそれぞれ満たす。
ここで、ｎｆは、システムフレーム数である。ｎｓは、１つの無線フレーム内のタイムスロット数である。
【１０３７】
【数３８６】
2013531399.tif 000389
【１０３８】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１０３９】
【数３８７】
2013531399.tif 000390
【１０４０】
は、キャリア＃３のモード１−０におけるＲＩフィードバックのサブフレームオフセット（実際には、
【１０４１】
【数３８８】
2013531399.tif 000391
【１０４２】
についての付加的オフセット）である。
【１０４３】
【数３８９】
2013531399.tif 000392
【１０４４】
は、キャリア＃３のモード１−０におけるフィードバックモードの周期的パラメータである。そして、上記のそれぞれは正の整数値である。
【１０４５】
キャリア＃４のモード２−０における、タイプ３、タイプ４、および、タイプ１のフィードバックサブフレームは、タイプ３において、
【１０４６】
【数３９０】
2013531399.tif 000393
【１０４７】
を、タイプ４において、
【１０４８】
【数３９１】
2013531399.tif 000394
【１０４９】
を、タイプ１において、
【１０５０】
【数３９２】
2013531399.tif 000395
【１０５１】
をそれぞれ満たす。
ここで、ｎｆは、システムフレーム数である。ｎｓは、１つの無線フレーム内のタイムスロット数である。
【１０５２】
【数３９３】
2013531399.tif 000396
【１０５３】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１０５４】
【数３９４】
2013531399.tif 000397
【１０５５】
は、キャリア＃４のモード２−０におけるＲＩフィードバックのサブフレームオフセット（実際には、
【１０５６】
【数３９５】
2013531399.tif 000398
【１０５７】
についての付加的オフセット）である。
【１０５８】
【数３９６】
2013531399.tif 000399
【１０５９】
は、キャリア＃４のモード２−０におけるフィードバックモードの周期的パラメータである。そして、上記のそれぞれは正の整数値である。
【１０６０】
キャリア＃５のモード１−１におけるタイプ３およびタイプ２のフィードバックサブフレームは、タイプ３において、
【１０６１】
【数３９７】
2013531399.tif 000400
【１０６２】
を、タイプ２において、
【１０６３】
【数３９８】
2013531399.tif 000401
【１０６４】
をそれぞれ満たす。
ここで、ｎｆは、システムフレーム数である。ｎｓは、１つの無線フレーム内のタイムスロット数である。
【１０６５】
【数３９９】
2013531399.tif 000402
【１０６６】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１０６７】
【数４００】
2013531399.tif 000403
【１０６８】
は、キャリア＃５のモード１−１におけるＲＩフィードバックのサブフレームオフセット（実際には、
【１０６９】
【数４０１】
2013531399.tif 000404
【１０７０】
についての付加的オフセット）である。
【１０７１】
【数４０２】
2013531399.tif 000405
【１０７２】
は、キャリア＃５のモード１−１におけるフィードバックモードの周期的パラメータである。そして、上記のそれぞれは正の整数値である。
【１０７３】
ここで、キャリア＃３のモード１−０におけるタイプ４、および、キャリア＃４のモード２−０におけるタイプ４は、ジョイントコーディング処理にかけられて、統合されて伝送されてもよい。換言すれば、上記の２つのモードにおけるタイプ４は、同時に、ジョイントコーディング処理にかけられて伝送されてもよい。ジョイントコーディング処理は、様々な先行技術を含んでいる。例えば、（冗長情報がブロック単位でコードブロックに付加される）ブロックコーディング、（符号化されたコードワードが事前に定義されたデジタル／アナログ特性を満足するように、情報ビットに対していくつかのチェックビットが付加される）巡回チェックコーディング、（様々なレベルの冗長情報が様々なコーディング部に付加され得る）不平衡ジョイントコーディング、および、（選択された基準に応じて、他の情報が差分コーディングされ得る）差分コーディング、などである。上記既存のジョイントコーディング技術を全部説明することはできないので、本実施例を説明するために、ここでは、差分コーディング方式を想定する。しかしながら、本実施例の説明から得るもので、当業者は、他のジョイントコーディング方式を容易に実施することができる。
【１０７４】
本実施例では、モード間（inter-mode）差分コーディングが広帯域ＣＱＩ情報（タイプ４）に適用される。ここで、他のフィードバックモードの広帯域ＣＱＩは、指定されたフィードバックモードの広帯域ＣＱＩを基準として、差分コーディングされる。差分コーディング規則は、ＢＳとＵＥとの間で予め取り決められた差分コーディングテーブルにしたがう。
【１０７５】
ある実施形態では、上記指定されたフィードバックモードは、ＤＬＰＣＣのためのフィードバックモードである。
【１０７６】
上述の典型的なシナリオ（ｂ）では、キャリア＃４は、この例のために一時的に、ＤＬＰＣＣであると想定される。したがって、キャリア＃４におけるモード２−０の広帯域ＣＱＩ（タイプ４）を基準として、その他のフィードバックモードの広帯域ＣＱＩが、差分コーディングされる。この場合、差分コーディング規則は、ＢＳとＵＥとの間で予め取り決められた差分コーディングテーブルにしたがう。表２は、広帯域ＣＱＩの差分コーディングテーブルの一例である。表２に図示されている３ビット差分コーディングは典型例にすぎない。本発明の実施は、表２のコーディングに限定されない。実際、１ビットまたは２ビット差分コーディングもまた実現可能である。１ビット差分コーディングの実施は、本実施例において示すものと同様であるので、ここでは詳細な説明を省略する。
【１０７７】
【表２】
2013531399.tif 000406
【１０７８】
表２によれば、キャリア＃４におけるモード２−０の広帯域ＣＱＩは１２であり、キャリア＃３におけるモード１−０の広帯域ＣＱＩは１０であると想定される。“キャリア＃４におけるモード２−０の広帯域ＣＱＩが１２である”というイベントは、４ビット（１１００）で示されてもよいし、“キャリア＃３におけるモード１−０の広帯域ＣＱＩが１０である”というイベントは、３ビット（１１０）で示されてもよい。したがって、これらの７ビットは、統合された伝送のための広帯域ＣＱＩ情報（タイプ４）を構成するために連結される。
【１０７９】
あるいは、上記指定されたフィードバックモードは、上位層シグナリングを介して、ＢＳによって設定されるフィードバックモードである。
【１０８０】
上述の典型的なシナリオ（ｂ）では、ＢＳは、上位層シグナリングの手段を用いて、キャリア＃３におけるモード１−０の広帯域ＣＱＩ情報（タイプ４）が基準として利用され、他のフィードバックモードの広帯域ＣＱＩは、上記基準に基づいて、差分コーディングされるように、設定される。この場合、差分コーディング規則は、ＢＳとＵＥとの間で予め取り決められた差分コーディングテーブルにしたがう。表２は、広帯域ＣＱＩの差分コーディングテーブルの一例である。表２に図示されている３ビット差分コーディングは典型例にすぎない。本発明の実施は、表２のコーディングに限定されない。実際、１ビットまたは２ビット差分コーディングもまた実現可能である。１ビット差分コーディングの実施は、本実施例において示すものと同様であるので、ここでは詳細な説明を省略する。
【１０８１】
表２によれば、キャリア＃４におけるモード２−０の広帯域ＣＱＩは１２であり、キャリア＃３におけるモード１−０の広帯域ＣＱＩは１０であると想定される。“キャリア＃３におけるモード１−０の広帯域ＣＱＩが１０である”というイベントは、４ビット（１０１０）で示されてもよいし、“キャリア＃４におけるモード２−０の広帯域ＣＱＩが１２である”というイベントは、３ビット（０１０）で示されてもよい。したがって、これらの７ビットは、統合された伝送のための広帯域ＣＱＩ情報（タイプ４）を構成するために連結される。
【１０８２】
具体例  ９（ｂ２）
周期的にフィードバックを行う場合、統合フィードバック方法によって、様々なフィードバックモードの総フィードバックオーバヘッドの過多の問題を解決することが提案される。本具体例において、複数の広帯域ＣＱＩ情報（タイプ４）は、同時に、ジョイントコーディング処理にかけられて伝送される。上記具体例６（ｂ）に関連して、統合されたタイプ４は、通常、他の統合されていないタイプと比較して、より多くの量の情報を搬送し、より高い優先度を有する。
【１０８３】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【１０８４】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、場合によってはＲＩ情報が、ＢＰにおける１つのより良いサブバンドの位置、および、上記サブバンドのＣＱＩと共にフィードバックされる。
【１０８５】
ここで、キャリア＃１のモード１−１におけるタイプ３およびタイプ２のフィードバックサブフレームは、タイプ３において、
【１０８６】
【数４０３】
2013531399.tif 000407
【１０８７】
を、タイプ２において、
【１０８８】
【数４０４】
2013531399.tif 000408
【１０８９】
をそれぞれ満たす。
ここで、ｎｆは、システムフレーム数である。ｎｓは、１つの無線フレーム内のタイムスロット数である。
【１０９０】
【数４０５】
2013531399.tif 000409
【１０９１】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１０９２】
【数４０６】
2013531399.tif 000410
【１０９３】
は、キャリア＃１のモード１−１におけるＲＩフィードバックのサブフレームオフセット（実際には、
【１０９４】
【数４０７】
2013531399.tif 000411
【１０９５】
についての付加的オフセット）である。
【１０９６】
【数４０８】
2013531399.tif 000412
【１０９７】
は、キャリア＃１のモード１−１におけるフィードバックモードの周期的パラメータである。そして、上記のそれぞれは正の整数値である。
【１０９８】
キャリア＃２のモード２−１における、タイプ３、タイプ２、および、タイプ１のフィードバックサブフレームは、タイプ３において、
【１０９９】
【数４０９】
2013531399.tif 000413
【１１００】
を、タイプ２において、
【１１０１】
【数４１０】
2013531399.tif 000414
【１１０２】
を、タイプ１において、
【１１０３】
【数４１１】
2013531399.tif 000415
【１１０４】
をそれぞれ満たす。
ここで、ｎｆは、システムフレーム数である。ｎｓは、１つの無線フレーム内のタイムスロット数である。
【１１０５】
【数４１２】
2013531399.tif 000416
【１１０６】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１１０７】
【数４１３】
2013531399.tif 000417
【１１０８】
は、キャリア＃２のモード２−１におけるＲＩフィードバックのサブフレームオフセット（実際には、
【１１０９】
【数４１４】
2013531399.tif 000418
【１１１０】
についての付加的オフセット）である。
【１１１１】
【数４１５】
2013531399.tif 000419
【１１１２】
は、キャリア＃２のモード２−１におけるフィードバックモードの周期的パラメータである。そして、上記のそれぞれは正の整数値である。
【１１１３】
キャリア＃３のモード１−０における、タイプ３およびタイプ４のフィードバックサブフレームは、タイプ３において、
【１１１４】
【数４１６】
2013531399.tif 000420
【１１１５】
を、タイプ４において、
【１１１６】
【数４１７】
2013531399.tif 000421
【１１１７】
をそれぞれ満たす。
ここで、ｎｆは、システムフレーム数である。ｎｓは、１つの無線フレーム内のタイムスロット数である。
【１１１８】
【数４１８】
2013531399.tif 000422
【１１１９】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１１２０】
【数４１９】
2013531399.tif 000423
【１１２１】
は、キャリア＃３のモード１−０におけるＲＩフィードバックのサブフレームオフセット（実際には、
【１１２２】
【数４２０】
2013531399.tif 000424
【１１２３】
についての付加的オフセット）である。
【１１２４】
【数４２１】
2013531399.tif 000425
【１１２５】
は、キャリア＃３のモード１−０におけるフィードバックモードの周期的パラメータである。そして、上記のそれぞれは正の整数値である。
【１１２６】
キャリア＃４のモード２−０における、タイプ３、タイプ４、および、タイプ１のフィードバックサブフレームは、タイプ３において、
【１１２７】
【数４２２】
2013531399.tif 000426
【１１２８】
を、タイプ４において、
【１１２９】
【数４２３】
2013531399.tif 000427
【１１３０】
を、タイプ１について、
【１１３１】
【数４２４】
2013531399.tif 000428
【１１３２】
をそれぞれ満たす。
ここで、ｎｆは、システムフレーム数である。ｎｓは、１つの無線フレーム内のタイムスロット数である。
【１１３３】
【数４２５】
2013531399.tif 000429
【１１３４】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１１３５】
【数４２６】
2013531399.tif 000430
【１１３６】
は、キャリア＃４のモード２−０におけるＲＩフィードバックのサブフレームオフセット（実際には、
【１１３７】
【数４２７】
2013531399.tif 000431
【１１３８】
についての付加的オフセット）である。
【１１３９】
【数４２８】
2013531399.tif 000432
【１１４０】
は、キャリア＃４のモード２−０におけるフィードバックモードの周期的パラメータである。そして、上記のそれぞれは正の整数値である。
【１１４１】
キャリア＃５のモード１−１におけるタイプ３およびタイプ２のフィードバックサブフレームは、タイプ３において、
【１１４２】
【数４２９】
2013531399.tif 000433
【１１４３】
を、タイプ２において、
【１１４４】
【数４３０】
2013531399.tif 000434
【１１４５】
をそれぞれ満たす。
ここで、ｎｆは、システムフレーム数である。ｎｓは、１つの無線フレーム内のタイムスロット数である。
【１１４６】
【数４３１】
2013531399.tif 000435
【１１４７】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１１４８】
【数４３２】
2013531399.tif 000436
【１１４９】
は、キャリア＃５のモード１−１におけるＲＩフィードバックのサブフレームオフセット（実際には、
【１１５０】
【数４３３】
2013531399.tif 000437
【１１５１】
についての付加的オフセット）である。
【１１５２】
【数４３４】
2013531399.tif 000438
【１１５３】
は、キャリア＃５のモード１−１におけるフィードバックモードの周期的パラメータである。そして、上記のそれぞれは正の整数値である。
【１１５４】
ここで、キャリア＃３のモード１−０におけるタイプ４、および、キャリア＃４のモード２−０におけるタイプ４は、ジョイントコーディング処理にかけられて、統合されて伝送されてもよい。換言すれば、上記の２つのモードにおけるタイプ４は、同時に、ジョイントコーディング処理にかけられて伝送されてもよい。ジョイントコーディング処理は、様々な先行技術を含んでいる。例えば、（冗長情報がブロック単位でコードブロックに付加される）ブロックコーディング、（符号化されたコードワードが事前に定義されたデジタル／アナログ特性を満足するように、情報ビットに対していくつかのチェックビットが付加される）巡回チェックコーディング、（様々なレベルの冗長情報が様々なコーディング部に付加され得る）不平衡ジョイントコーディング、および、（選択された基準に応じて、他の情報が差分コーディングされ得る）差分コーディング、などである。上記既存のジョイントコーディング技術を全部説明することはできないので、本実施例を説明するために、ここでは、差分コーディング方式を想定する。しかしながら、本実施例の説明から得るもので、当業者は、他のジョイントコーディング方式を容易に実施することができる。
【１１５５】
本実施例では、キャリア間（inter-carrier）差分コーディングが広帯域ＣＱＩ情報（タイプ４）に適用される。ここで、他のフィードバックモードの広帯域ＣＱＩは、指定されたキャリアのフィードバックモードの広帯域ＣＱＩを基準として、差分コーディングされる。差分コーディング規則は、ＢＳとＵＥとの間で予め取り決められた差分コーディングテーブルにしたがう。
【１１５６】
ある実施形態では、指定されたキャリアは、ＤＬＰＣＣである。
【１１５７】
上述の典型的なシナリオ（ｂ）では、キャリア＃４は、この例のために一時的に、ＤＬＰＣＣであると想定される。したがって、キャリア＃４におけるモード２−０の広帯域ＣＱＩ（タイプ４）を基準として、その他のフィードバックモードの広帯域ＣＱＩが、差分コーディングされる。この場合、差分コーディング規則は、ＢＳとＵＥとの間で予め取り決められた差分コーディングテーブルにしたがう。表２は、広帯域ＣＱＩの差分コーディングテーブルの一例である。表２に図示されている３ビット差分コーディングは典型例にすぎない。本発明の実施は、表２のコーディングに限定されない。実際、１ビットまたは２ビット差分コーディングもまた実現可能である。１ビット差分コーディングの実施は、本実施例において示すものと同様であるので、ここでは詳細な説明を省略する。
【１１５８】
表２によれば、キャリア＃４におけるモード２−０の広帯域ＣＱＩは１２であり、キャリア＃３におけるモード１−０の広帯域ＣＱＩは１０であると想定される。“キャリア＃４におけるモード２−０の広帯域ＣＱＩが１２である”というイベントは、４ビット（１１００）で示されてもよいし、“キャリア＃３におけるモード１−０の広帯域ＣＱＩが１０である”というイベントは、３ビット（１１０）で示されてもよい。したがって、これらの７ビットは、統合された伝送のための広帯域ＣＱＩ情報（タイプ４）を構成するために連結される。
【１１５９】
あるいは、上記指定されたキャリアは、上位層シグナリングを介して、ＢＳによって設定されるキャリアである。
【１１６０】
上述の典型的なシナリオ（ｂ）では、ＢＳは、上位層シグナリングの手段を用いて、キャリア＃３におけるモード１−０の広帯域ＣＱＩ情報（タイプ４）が基準として利用され、他のフィードバックモードの広帯域ＣＱＩは、上記基準に基づいて、差分コーディングされるように、設定される。この場合、差分コーディング規則は、ＢＳとＵＥとの間で予め取り決められた差分コーディングテーブルにしたがう。表２は、広帯域ＣＱＩの差分コーディングテーブルの一例である。表２に図示されている３ビット差分コーディングは典型例にすぎない。本発明の実施は、表２のコーディングに限定されない。実際、１ビットまたは２ビット差分コーディングもまた実現可能である。１ビット差分コーディングの実施は、本実施例において示すものと同様であるので、ここでは詳細な説明を省略する。
【１１６１】
表２によれば、キャリア＃４におけるモード２−０の広帯域ＣＱＩは１２であり、キャリア＃３におけるモード１−０の広帯域ＣＱＩは１０であると想定される。“キャリア＃３におけるモード１−０の広帯域ＣＱＩが１０である”というイベントは、４ビット（１０１０）で示されてもよいし、“キャリア＃４におけるモード２−０の広帯域ＣＱＩが１２である”というイベントは、３ビット（０１０）で示されてもよい。したがって、これらの７ビットは、統合された伝送のための広帯域ＣＱＩ情報（タイプ４）を構成するために連結される。
【１１６２】
具体例  １０（ａ）
周期的にフィードバックを行う場合、統合フィードバック方法によって、様々なフィードバックモードの総フィードバックオーバヘッドの過多の問題を解決することが提案される。本具体例において、複数のタイプは、コーディング処理を経ずに、連結されて伝送される。上記具体例６（ａ）に関連して、連結されたタイプは、通常、他の連結されていないタイプと比較して、より多くの量の情報を搬送し、より高い優先度を有する。
【１１６３】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【１１６４】
なお、モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩがフィードバックされる。
【１１６５】
モード１−１におけるタイプ３およびタイプ２のフィードバックサブフレームは、タイプ３において、
【１１６６】
【数４３５】
2013531399.tif 000439
【１１６７】
を、タイプ２において、
【１１６８】
【数４３６】
2013531399.tif 000440
【１１６９】
をそれぞれ満たす。
ここで、ｎｆは、システムフレーム数である。ｎｓは、１つの無線フレーム内のタイムスロット数である。
【１１７０】
【数４３７】
2013531399.tif 000441
【１１７１】
は、モード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１１７２】
【数４３８】
2013531399.tif 000442
【１１７３】
は、モード１−１におけるＲＩフィードバックのサブフレームオフセット（実際には、
【１１７４】
【数４３９】
2013531399.tif 000443
【１１７５】
についての付加的オフセット）である。
【１１７６】
【数４４０】
2013531399.tif 000444
【１１７７】
は、モード１−１におけるフィードバックモードの周期的パラメータである。そして、上記のそれぞれは正の整数値である。
【１１７８】
これに対し、モード２−０における、タイプ３、タイプ４、および、タイプ１のフィードバックサブフレームは、タイプ３において、
【１１７９】
【数４４１】
2013531399.tif 000445
【１１８０】
を、タイプ４において、
【１１８１】
【数４４２】
2013531399.tif 000446
【１１８２】
を、タイプ１において、
【１１８３】
【数４４３】
2013531399.tif 000447
【１１８４】
をそれぞれ満たす。
ここで、ｎｆは、システムフレーム数である。ｎｓは、１つの無線フレーム内のタイムスロット数である。
【１１８５】
【数４４４】
2013531399.tif 000448
【１１８６】
は、モード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１１８７】
【数４４５】
2013531399.tif 000449
【１１８８】
は、モード２−０におけるＲＩフィードバックのサブフレームオフセット（実際には、
【１１８９】
【数４４６】
2013531399.tif 000450
【１１９０】
についての付加的オフセット）である。
【１１９１】
【数４４７】
2013531399.tif 000451
【１１９２】
は、モード２−０におけるフィードバックモードの周期的パラメータである。そして、上記のそれぞれは正の整数値である。
【１１９３】
ここで、モード１−１におけるタイプ３、および、モード２−０におけるタイプ４は、統合されて伝送されてもよい。換言すれば、１つのタイプ３および１つのタイプ４は、コーディング処理を経ずに、連結されて伝送されてもよい。モード１−１のタイプ３が３ビットのオーバヘッドを持ち、モード２−０におけるタイプ４は４ビットのオーバヘッドを持つ場合には、統合された伝送に要求されるオーバヘッドは、７ビットである。なお、連結されて伝送される複数のタイプは、単一のモードにおけるタイプでもよいし、様々なモードにおけるタイプでもよい。
【１１９４】
具体例  １０（ｂ）
周期的にフィードバックを行う場合、統合フィードバック方法によって、様々なフィードバックモードの総フィードバックオーバヘッドの過多の問題を解決することが提案される。本具体例において、複数のタイプは、コーディング処理を経ずに、連結されて伝送される。上記具体例６（ｂ）に関連して、連結されたタイプは、通常、他の連結されていないタイプと比較して、より多くの量の情報を搬送し、より高い優先度を有する。
【１１９５】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【１１９６】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、場合によってはＲＩ情報が、ＢＰにおける１つのより良いサブバンドの位置、および、上記サブバンドのＣＱＩと共にフィードバックされる。
【１１９７】
ここで、キャリア＃１のモード１−１におけるタイプ３およびタイプ２のフィードバックサブフレームは、タイプ３において、
【１１９８】
【数４４８】
2013531399.tif 000452
【１１９９】
を、タイプ２において、
【１２００】
【数４４９】
2013531399.tif 000453
【１２０１】
をそれぞれ満たす。
ここで、ｎｆは、システムフレーム数である。ｎｓは、１つの無線フレーム内のタイムスロット数である。
【１２０２】
【数４５０】
2013531399.tif 000454
【１２０３】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１２０４】
【数４５１】
2013531399.tif 000455
【１２０５】
は、キャリア＃１のモード１−１におけるＲＩフィードバックのサブフレームオフセット（実際には、
【１２０６】
【数４５２】
2013531399.tif 000456
【１２０７】
についての付加的オフセット）である。
【１２０８】
【数４５３】
2013531399.tif 000457
【１２０９】
は、キャリア＃１のモード１−１におけるフィードバックモードの周期的パラメータである。そして、上記のそれぞれは正の整数値である。
【１２１０】
キャリア＃２のモード２−１における、タイプ３、タイプ２、および、タイプ１のフィードバックサブフレームは、タイプ３において、
【１２１１】
【数４５４】
2013531399.tif 000458
【１２１２】
を、タイプ２において、
【１２１３】
【数４５５】
2013531399.tif 000459
【１２１４】
を、タイプ１において、
【１２１５】
【数４５６】
2013531399.tif 000460
【１２１６】
をそれぞれ満たす。
ここで、ｎｆは、システムフレーム数である。ｎｓは、１つの無線フレーム内のタイムスロット数である。
【１２１７】
【数４５７】
2013531399.tif 000461
【１２１８】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１２１９】
【数４５８】
2013531399.tif 000462
【１２２０】
は、キャリア＃２のモード２−１におけるＲＩフィードバックのサブフレームオフセット（実際には、
【１２２１】
【数４５９】
2013531399.tif 000463
【１２２２】
についての付加的オフセット）である。
【１２２３】
【数４６０】
2013531399.tif 000464
【１２２４】
は、キャリア＃２のモード２−１におけるフィードバックモードの周期的パラメータである。そして、上記のそれぞれは正の整数値である。
【１２２５】
キャリア＃３のモード１−０における、タイプ３およびタイプ４のフィードバックサブフレームは、タイプ３において、
【１２２６】
【数４６１】
2013531399.tif 000465
【１２２７】
を、タイプ４において、
【１２２８】
【数４６２】
2013531399.tif 000466
【１２２９】
をそれぞれ満たす。
ここで、ｎｆは、システムフレーム数である。ｎｓは、１つの無線フレーム内のタイムスロット数である。
【１２３０】
【数４６３】
2013531399.tif 000467
【１２３１】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１２３２】
【数４６４】
2013531399.tif 000468
【１２３３】
は、キャリア＃３のモード１−０におけるＲＩフィードバックのサブフレームオフセット（実際には、
【１２３４】
【数４６５】
2013531399.tif 000469
【１２３５】
についての付加的オフセット）である。
【１２３６】
【数４６６】
2013531399.tif 000470
【１２３７】
は、キャリア＃３のモード１−０におけるフィードバックモードの周期的パラメータである。そして、上記のそれぞれは正の整数値である。
【１２３８】
キャリア＃４のモード２−０における、タイプ３、タイプ４、および、タイプ１のフィードバックサブフレームは、タイプ３において、
【１２３９】
【数４６７】
2013531399.tif 000471
【１２４０】
を、タイプ４において、
【１２４１】
【数４６８】
2013531399.tif 000472
【１２４２】
を、タイプ１において、
【１２４３】
【数４６９】
2013531399.tif 000473
【１２４４】
をそれぞれ満たす。
ここで、ｎｆは、システムフレーム数である。ｎｓは、１つの無線フレーム内のタイムスロット数である。
【１２４５】
【数４７０】
2013531399.tif 000474
【１２４６】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１２４７】
【数４７１】
2013531399.tif 000475
【１２４８】
は、キャリア＃４のモード２−０におけるＲＩフィードバックのサブフレームオフセット（実際には、
【１２４９】
【数４７２】
2013531399.tif 000476
【１２５０】
についての付加的オフセット）である。
【１２５１】
【数４７３】
2013531399.tif 000477
【１２５２】
は、キャリア＃４のモード２−０におけるフィードバックモードの周期的パラメータである。そして、上記のそれぞれは正の整数値である。
【１２５３】
キャリア＃５のモード１−１におけるタイプ３およびタイプ２のフィードバックサブフレームは、タイプ３において、
【１２５４】
【数４７４】
2013531399.tif 000478
【１２５５】
を、タイプ２において、
【１２５６】
【数４７５】
2013531399.tif 000479
【１２５７】
をそれぞれ満たす。
ここで、ｎｆは、システムフレーム数である。ｎｓは、１つの無線フレーム内のタイムスロット数である。
【１２５８】
【数４７６】
2013531399.tif 000480
【１２５９】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１２６０】
【数４７７】
2013531399.tif 000481
【１２６１】
は、キャリア＃５のモード１−１におけるＲＩフィードバックのサブフレームオフセット（実際には、
【１２６２】
【数４７８】
2013531399.tif 000482
【１２６３】
についての付加的オフセット）である。
【１２６４】
【数４７９】
2013531399.tif 000483
【１２６５】
は、キャリア＃５のモード１−１におけるフィードバックモードの周期的パラメータである。そして、上記のそれぞれは正の整数値である。
【１２６６】
ここで、キャリア＃１のモード１−１におけるタイプ３、キャリア＃２のモード２−１におけるタイプ３、および、キャリア＃４のモード２−０におけるタイプ４は、統合されて伝送されてもよい。換言すれば、これらの２つのタイプ３、および、１つのタイプ４は、コーディング処理を経ずに、連結されて伝送されてもよい。キャリア＃１のモード１−１におけるタイプ３が３ビットのオーバヘッドを持ち、キャリア＃２のモード２−１におけるタイプ３が３ビットのオーバヘッドを持ち、キャリア＃４のモード２−０におけるタイプ４が４ビットのオーバヘッドを持つ場合、統合された伝送のためのオーバヘッドは、１０ビットが必要である。なお、連結されて伝送される複数のタイプは、単一のモードにおけるタイプでもよいし、様々なモードにおけるタイプでもよい。
【１２６７】
具体例  １１（ａ）
周期的にフィードバックを行う場合、統合フィードバック方法によって、様々なフィードバックモードの総フィードバックオーバヘッドの過多の問題を解決することが提案される。本具体例において、複数のタイプは、同時に、ジョイントコーディング処理にかけられて伝送される。ここで、上記ジョイントコーディング処理は、様々な先行技術を含んでいる。例えば、ブロックコーディング、不平衡ジョイントコーディング、および、差分コーディングなどである。上記具体例６（ａ）に関連して、統合されたタイプは、通常、他の統合されていないタイプと比較して、より多くの量の情報を搬送し、より高い優先度を有する。
【１２６８】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【１２６９】
なお、モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。
【１２７０】
モード１−１におけるタイプ３およびタイプ２のフィードバックサブフレームは、タイプ３において、
【１２７１】
【数４８０】
2013531399.tif 000484
【１２７２】
を、タイプ２において、
【１２７３】
【数４８１】
2013531399.tif 000485
【１２７４】
をそれぞれ満たす。
ここで、ｎｆは、システムフレーム数である。ｎｓは、１つの無線フレーム内のタイムスロット数である。
【１２７５】
【数４８２】
2013531399.tif 000486
【１２７６】
は、モード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１２７７】
【数４８３】
2013531399.tif 000487
【１２７８】
は、モード１−１におけるＲＩフィードバックのサブフレームオフセット（実際には、
【１２７９】
【数４８４】
2013531399.tif 000488
【１２８０】
についての付加的オフセット）である。
【１２８１】
【数４８５】
2013531399.tif 000489
【１２８２】
は、モード１−１におけるフィードバックモードの周期的パラメータである。そして、上記のそれぞれは正の整数値である。
【１２８３】
これに対し、モード２−０における、タイプ３、タイプ４、および、タイプ１のフィードバックサブフレームは、タイプ３において、
【１２８４】
【数４８６】
2013531399.tif 000490
【１２８５】
を、タイプ４において、
【１２８６】
【数４８７】
2013531399.tif 000491
【１２８７】
を、タイプ１において、
【１２８８】
【数４８８】
2013531399.tif 000492
【１２８９】
をそれぞれ満たす。
ここで、ｎｆは、システムフレーム数である。ｎｓは、１つの無線フレーム内のタイムスロット数である。
【１２９０】
【数４８９】
2013531399.tif 000493
【１２９１】
は、モード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１２９２】
【数４９０】
2013531399.tif 000494
【１２９３】
は、モード２−０におけるＲＩフィードバックのサブフレームオフセット（実際には、
【１２９４】
【数４９１】
2013531399.tif 000495
【１２９５】
についての付加的オフセット）である。
【１２９６】
【数４９２】
2013531399.tif 000496
【１２９７】
は、モード２−０におけるフィードバックモードの周期的パラメータである。そして、上記のそれぞれは正の整数値である。
【１２９８】
ここで、モード１−１におけるタイプ３、および、モード２−０におけるタイプ４は、ジョイントコーディング処理にかけられて、統合されて伝送されてもよい。換言すれば、１つのタイプ３および１つのタイプ４は、同時に、ジョイントコーディング処理にかけられて伝送されてもよい。ジョイントコーディング処理は、様々な先行技術を含んでいる。例えば、（冗長情報がブロック単位でコードブロックに付加される）ブロックコーディング、（符号化されたコードワードが事前に定義されたデジタル／アナログ特性を満足するように、情報ビットに対していくつかのチェックビットが付加される）巡回チェックコーディング、（様々なレベルの冗長情報が様々なコーディング部に付加され得る）不平衡ジョイントコーディング、および、（選択された基準に応じて、他の情報が差分コーディングされ得る）差分コーディング、などである。上記既存のジョイントコーディング技術を全部説明することはできないので、本実施例を説明するために、ここでは、不平衡ジョイントコーディング方式を想定する。しかしながら、本実施例の説明から得るもので、当業者は、他のジョイントコーディング方式を容易に実施することができる。
【１２９９】
モード１−１におけるタイプ３は、３ビットのオーバヘッドを持ち、モード２−０におけるタイプ４は、４ビットのオーバヘッドを持つと想定される。さらに、モード１−１におけるタイプ３に対して、高レベルのコーディング保護が与えられ、例えば、２ビットの冗長保護が追加される。一方、モード２−０におけるタイプ４に対して、低レベルのコーディング保護が与えられ、例えば、１ビットの冗長保護が追加される。この場合には、上記統合された伝送に必要とされるオーバヘッドは１０ビットである。なお、同時に伝送される複数のタイプは、単一のモードにおけるタイプでもよいし、様々なモードにおけるタイプでもよい。
【１３００】
具体例  １１（ｂ）
周期的にフィードバックを行う場合、統合フィードバック方法によって、様々なフィードバックモードの総フィードバックオーバヘッドの過多の問題を解決することが提案される。本具体例において、複数のタイプは、同時に、ジョイントコーディング処理にかけられて伝送される。ここで、上記ジョイントコーディング処理は、様々な先行技術を含んでいる。例えば、ブロックコーディング、不平衡ジョイントコーディング、および、差分コーディングなどである。上記具体例６（ｂ）に関連して、統合されたタイプは、通常、他の統合されていないタイプと比較して、より多くの量の情報を搬送し、より高い優先度を有する。
【１３０１】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【１３０２】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、場合によってはＲＩ情報が、ＢＰにおける１つのより良いサブバンドの位置、および、上記サブバンドのＣＱＩがフィードバックされる。
【１３０３】
ここで、キャリア＃１のモード１−１におけるタイプ３およびタイプ２のフィードバックサブフレームは、タイプ３において、
【１３０４】
【数４９３】
2013531399.tif 000497
【１３０５】
を、タイプ２において、
【１３０６】
【数４９４】
2013531399.tif 000498
【１３０７】
をそれぞれ満たす。
ここで、ｎｆは、システムフレーム数である。ｎｓは、１つの無線フレーム内のタイムスロット数である。
【１３０８】
【数４９５】
2013531399.tif 000499
【１３０９】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１３１０】
【数４９６】
2013531399.tif 000500
【１３１１】
は、キャリア＃１のモード１−１におけるＲＩフィードバックのサブフレームオフセット（実際には、
【１３１２】
【数４９７】
2013531399.tif 000501
【１３１３】
についての付加的オフセット）である。
【１３１４】
【数４９８】
2013531399.tif 000502
【１３１５】
は、キャリア＃１のモード１−１におけるフィードバックモードの周期的パラメータである。そして、上記のそれぞれは正の整数値である。
【１３１６】
キャリア＃２のモード２−１における、タイプ３、タイプ２、および、タイプ１のフィードバックサブフレームは、タイプ３において、
【１３１７】
【数４９９】
2013531399.tif 000503
【１３１８】
を、タイプ２において、
【１３１９】
【数５００】
2013531399.tif 000504
【１３２０】
を、タイプ１において、
【１３２１】
【数５０１】
2013531399.tif 000505
【１３２２】
をそれぞれ満たす。
ここで、ｎｆは、システムフレーム数である。ｎｓは、１つの無線フレーム内のタイムスロット数である。
【１３２３】
【数５０２】
2013531399.tif 000506
【１３２４】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１３２５】
【数５０３】
2013531399.tif 000507
【１３２６】
は、キャリア＃２のモード２−１におけるＲＩフィードバックのサブフレームオフセット（実際には、
【１３２７】
【数５０４】
2013531399.tif 000508
【１３２８】
についての付加的オフセット）である。
【１３２９】
【数５０５】
2013531399.tif 000509
【１３３０】
は、キャリア＃２のモード２−１におけるフィードバックモードの周期的パラメータである。そして、上記のそれぞれは正の整数値である。
【１３３１】
キャリア＃３のモード１−０における、タイプ３およびタイプ４のフィードバックサブフレームは、タイプ３において、
【１３３２】
【数５０６】
2013531399.tif 000510
【１３３３】
を、タイプ４において、
【１３３４】
【数５０７】
2013531399.tif 000511
【１３３５】
をそれぞれ満たす。
ここで、ｎｆは、システムフレーム数である。ｎｓは、１つの無線フレーム内のタイムスロット数である。
【１３３６】
【数５０８】
2013531399.tif 000512
【１３３７】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１３３８】
【数５０９】
2013531399.tif 000513
【１３３９】
は、キャリア＃３のモード１−０におけるＲＩフィードバックのサブフレームオフセット（実際には、
【１３４０】
【数５１０】
2013531399.tif 000514
【１３４１】
についての付加的オフセット）である。
【１３４２】
【数５１１】
2013531399.tif 000515
【１３４３】
は、キャリア＃３のモード１−０におけるフィードバックモードの周期的パラメータである。そして、上記のそれぞれは正の整数値である。
【１３４４】
キャリア＃４のモード２−０における、タイプ３、タイプ４、および、タイプ１のフィードバックサブフレームは、タイプ３において、
【１３４５】
【数５１２】
2013531399.tif 000516
【１３４６】
を、タイプ４において、
【１３４７】
【数５１３】
2013531399.tif 000517
【１３４８】
を、タイプ１において、
【１３４９】
【数５１４】
2013531399.tif 000518
【１３５０】
をそれぞれ満たす。
ここで、ｎｆは、システムフレーム数である。ｎｓは、１つの無線フレーム内のタイムスロット数である。
【１３５１】
【数５１５】
2013531399.tif 000519
【１３５２】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１３５３】
【数５１６】
2013531399.tif 000520
【１３５４】
は、キャリア＃４のモード２−０におけるＲＩフィードバックのサブフレームオフセット（実際には、
【１３５５】
【数５１７】
2013531399.tif 000521
【１３５６】
についての付加的オフセット）である。
【１３５７】
【数５１８】
2013531399.tif 000522
【１３５８】
は、キャリア＃４のモード２−０におけるフィードバックモードの周期的パラメータである。そして、上記のそれぞれは正の整数値である。
【１３５９】
キャリア＃５のモード１−１におけるタイプ３およびタイプ２のフィードバックサブフレームは、タイプ３において、
【１３６０】
【数５１９】
2013531399.tif 000523
【１３６１】
を、タイプ２において、
【１３６２】
【数５２０】
2013531399.tif 000524
【１３６３】
をそれぞれ満たす。
ここで、ｎｆは、システムフレーム数である。ｎｓは、１つの無線フレーム内のタイムスロット数である。
【１３６４】
【数５２１】
2013531399.tif 000525
【１３６５】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１３６６】
【数５２２】
2013531399.tif 000526
【１３６７】
は、キャリア＃５のモード１−１におけるＲＩフィードバックのサブフレームオフセット（実際には、
【１３６８】
【数５２３】
2013531399.tif 000527
【１３６９】
についての付加的オフセット）である。
【１３７０】
【数５２４】
2013531399.tif 000528
【１３７１】
は、キャリア＃５のモード１−１におけるフィードバックモードの周期的パラメータである。そして、上記のそれぞれは正の整数値である。
【１３７２】
ここで、キャリア＃１のモード１−１におけるタイプ３、キャリア＃２のモード２−１におけるタイプ３、および、キャリア＃４のモード２−０におけるタイプ４は、統合されて伝送されてもよい。換言すれば、これらの２つのタイプ３、および、１つのタイプ４は、同時に、ジョイントコーディング処理にかけられて伝送されてもよい。ジョイントコーディング処理は、様々な先行技術を含んでいる。例えば、（冗長情報がブロック単位でコードブロックに付加される）ブロックコーディング、（符号化されたコードワードが事前に定義されたデジタル／アナログ特性を満足するように、情報ビットに対していくつかのチェックビットが付加される）巡回チェックコーディング、（様々なレベルの冗長情報が様々なコーディング部に付加され得る）不平衡ジョイントコーディング、および、（選択された基準に応じて、他の情報が差分コーディングされ得る）差分コーディング、などである。上記既存のジョイントコーディング技術を全部説明することはできないので、本実施例を説明するために、ここでは、不平衡ジョイントコーディング方式を想定する。しかしながら、本実施例の説明から得るもので、当業者は、他のジョイントコーディング方式を容易に実施することができる。
【１３７３】
具体例  １２（ａ）
周期的にフィードバックを行う場合、Ｗ１についての最適化方法によって、様々なフィードバックモードの総フィードバックオーバヘッドの過多の問題を解決することが提案される。
【１３７４】
本具体例において、新しいタイプが、Ｗ１のために定義される。上記新しいタイプは、タイプ５と称する。
【１３７５】
新しく定義されたタイプ５の周期は、タイプ３の周期と同じに設定されてもよいし、タイプ２またはタイプ４の周期の倍数に設定されてもよいし、タイプ１の周期の倍数に設定されてもよい。
【１３７６】
新しく定義されたタイプ５のフィードバックサブフレームオフセットは、タイプ２またはタイプ４のサブフレームオフセットと同じに設定されてもよいし、タイプ３のサブフレームオフセットと同じに設定されてもよい。
【１３７７】
新しく定義されたタイプ５の共有モードは、１つのＷ１が複数のモードで共有されるように設定されてもよいし、１つのＷ１が複数のキャリアで共有されるように設定されてもよい。
【１３７８】
新しく定義されたタイプ５のキャリア共有モードは、上記複数のキャリアが、１つの伝送方式に含まれるように設定されてもよいし、上記複数のキャリアがすべてのキャリアのうちの、任意の数のキャリアであるように設定されてもよい。
【１３７９】
新しく定義されたタイプ５の統合された伝送モードは、複数のＷ１が、単一のサブフレームに統合されて伝送されるように設定されてもよい。
【１３８０】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【１３８１】
なお、モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩがフィードバックされる。
【１３８２】
モード１−１におけるタイプ３およびタイプ２のフィードバックサブフレームは、タイプ３において、
【１３８３】
【数５２５】
2013531399.tif 000529
【１３８４】
を、タイプ２において、
【１３８５】
【数５２６】
2013531399.tif 000530
【１３８６】
をそれぞれ満たす。
ここで、ｎｆは、システムフレーム数である。ｎｓは、１つの無線フレーム内のタイムスロット数である。
【１３８７】
【数５２７】
2013531399.tif 000531
【１３８８】
は、モード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１３８９】
【数５２８】
2013531399.tif 000532
【１３９０】
は、モード１−１におけるＲＩフィードバックのサブフレームオフセット（実際には、
【１３９１】
【数５２９】
2013531399.tif 000533
【１３９２】
についての付加的オフセット）である。
【１３９３】
【数５３０】
2013531399.tif 000534
【１３９４】
は、モード１−１におけるフィードバックモードの周期的パラメータである。そして、上記のそれぞれは正の整数値である。
【１３９５】
これに対し、モード２−０における、タイプ３、タイプ４、および、タイプ１のフィードバックサブフレームは、タイプ３において、
【１３９６】
【数５３１】
2013531399.tif 000535
【１３９７】
を、タイプ４において、
【１３９８】
【数５３２】
2013531399.tif 000536
【１３９９】
を、タイプ１において、
【１４００】
【数５３３】
2013531399.tif 000537
【１４０１】
をそれぞれ満たす。
ここで、ｎｆは、システムフレーム数である。ｎｓは、１つの無線フレーム内のタイムスロット数である。
【１４０２】
【数５３４】
2013531399.tif 000538
【１４０３】
は、モード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１４０４】
【数５３５】
2013531399.tif 000539
【１４０５】
は、モード２−０におけるＲＩフィードバックのサブフレームオフセット（実際には、
【１４０６】
【数５３６】
2013531399.tif 000540
【１４０７】
についての付加的オフセット）である。
【１４０８】
【数５３７】
2013531399.tif 000541
【１４０９】
は、モード２−０におけるフィードバックモードの周期的パラメータである。そして、上記のそれぞれは正の整数値である。
【１４１０】
例えば、ＬＴＥ−Ａシステムにおいて、モード２−０については、Ｗ１をフィードバックする必要がある。よって、Ｗ１のために、タイプ５と称する新しいタイプが定義される。
【１４１１】
新しく定義されたタイプ５の周期は、タイプ３の周期
【１４１２】
【数５３８】
2013531399.tif 000542
【１４１３】
と同じに設定されてもよいし、タイプ２の周期
【１４１４】
【数５３９】
2013531399.tif 000543
【１４１５】
の倍数に設定されてもよいし、タイプ１の周期
【１４１６】
【数５４０】
2013531399.tif 000544
【１４１７】
の倍数に設定されてもよい。
【１４１８】
新しく定義されたタイプ５のフィードバックサブフレームオフセットは、タイプ２のサブフレームオフセット
【１４１９】
【数５４１】
2013531399.tif 000545
【１４２０】
と同じに設定されてもよいし、タイプ３のサブフレームオフセット
【１４２１】
【数５４２】
2013531399.tif 000546
【１４２２】
と同じに設定されてもよい。
【１４２３】
新しく定義されたタイプ５の共有モードは、例えば、単一のＷ１がモード１−１およびモード２−０で共有されるように設定されてもよい。すなわち、これらの２つのモードは、繰り返しフィードバックする必要のない、同じタイプ５を共有する。
【１４２４】
または、新しく定義されたタイプ５の共有モードは、例えば、３つのキャリア＃３、＃４、＃５を含むモード２−０が、１つのＷ１のみを有するように、すなわち、３つのキャリア＃３、＃４、＃５が１つのＷ１を共有するように設定されてもよい。それは、これらの３つのキャリアは、繰り返しフィードバックされる必要のない同じタイプ５を共有するということである。
【１４２５】
さらに、新しく定義されたタイプ５のキャリア共有モードは、「３）開ループ空間分割多重方式」という伝送方式を有するキャリア＃３、＃４、＃５各々のために、例えば、伝送方式は、１つのＷ１のみ有する、即ち、３つのキャリア＃３、＃４、＃５は、１つのＷ１を共有するように設定されてよい。それは、これらの３つのキャリアは、繰り返しフィードバックされる必要のない同じタイプ５を共有するということである。
【１４２６】
または、新しく定義されたタイプ５のキャリア共有モードは、モード１−１およびモード２−０が、１つのＷ１のみを共有するように設定されてもよい。それは、これらの２つのモードのすべてのキャリアは、繰り返しフィードバックされる必要のない同じタイプ５を有するということである。
【１４２７】
また、新しく定義されたタイプ５の統合された伝送モードは、モード１−１およびモード２−０のそれぞれが、１つのＷ１を有することができるように設定されてもよい。すなわち、これらの２つのモードは、異なるタイプ５を有してもよい。この場合には、Ｗ１情報は、上記の、ＲＩ情報の統合フィードバック、または、広帯域ＣＱＩ情報の統合フィードバックのための手順を利用した統合方法で、フィードバックしてもよい。
【１４２８】
ある実施形態では、上記指定されたフィードバックモードは、ＤＬＰＣＣのためのフィードバックモードである。
【１４２９】
上述の典型的なシナリオ（ａ）では、キャリア＃２は、ＤＬＰＣＣである。したがって、キャリア＃２におけるモード２−０のＷ１を基準として、その他のフィードバックモードのＷ１は、差分コーディングされる。この場合、差分コーディング規則は、ＢＳとＵＥとの間で予め取り決められた差分コーディングテーブルにしたがう。表３は、そのようなＷ１の差分コーディングテーブルの一例である。表３に図示されている２ビット差分コーディングは、典型例にすぎない。本発明の実施は、表３のコーディングに限定されない。実際、１ビット差分コーディングもまた実現可能である。１ビット差分コーディングの実施は、本実施例において示すものと同様であるので、ここでは詳細な説明を省略する。
【１４３０】
【表３】
2013531399.tif 000547
【１４３１】
表３によれば、モード２−０のＷ１は３であり、モード１−１のＷ１は２であると想定される。“モード２−０のＷ１が３である”というイベントは、３ビット（０１０）で示されてもよいし、“モード１−１のＷ１が２である”というイベントは、２ビット（１０）で示されてもよい。したがって、これらの５ビットは、統合された伝送のためのＷ１情報（タイプ５）を構成するために連結されてよい。
【１４３２】
あるいは、上記指定されたフィードバックモードは、上位層シグナリングを介して、ＢＳによって設定されるフィードバックモードである。
【１４３３】
上述の典型的なシナリオ（ａ）では、ＢＳは、上位層シグナリングの手段を用いて、モード１−１のＷ１が基準として利用され、他のフィードバックモードのＷ１は、上記基準に関して、差分コーディングされるように、設定することが可能である。この場合、差分コーディング規則は、ＢＳとＵＥとの間で予め取り決められた差分コーディングテーブルにしたがう。表３は、そのようなＷ１の差分コーディングテーブルの一例である。表３に図示されている２ビット差分コーディングは典型例にすぎない。本発明の実施は、表３のコーディングに限定されない。実際、１ビット差分コーディングもまた実現可能である。１ビット差分コーディングの実施は、本実施例において示すものと同様であるので、ここでは詳細な説明を省略する。
【１４３４】
表３によれば、モード２−０のＷ１は３であり、モード１−１のＷ１は２であると想定される。“モード１−１のＷ１が２である”というイベントは、３ビット（００１）で示されてもよいし、“モード２−０のＷ１が３である”というイベントは、２ビット（１０）で示されてもよい。したがって、これらの５ビットは、統合された伝送のためのＷ１情報（タイプ５）を構成するために連結されてよい。
【１４３５】
具体例  １２（ｂ）
周期的にフィードバックを行う場合、Ｗ１についての最適化方法によって、様々なフィードバックモードの総フィードバックオーバヘッドの過多の問題を解決することが提案される。
【１４３６】
本具体例において、新しいタイプが、Ｗ１のために定義される。上記新しいタイプは、タイプ５と称する。
【１４３７】
新しく定義されたタイプ５の周期は、タイプ３の周期と同じに設定されてもよいし、タイプ２またはタイプ４の周期の倍数に設定されてもよいし、タイプ１の周期の倍数に設定されてもよい。
【１４３８】
新しく定義されたタイプ５のフィードバックサブフレームオフセットは、タイプ２またはタイプ４のサブフレームオフセットと同じに設定されてもよいし、タイプ３のサブフレームオフセットと同じに設定されてもよい。
【１４３９】
新しく定義されたタイプ５の共有モードは、１つのＷ１が複数のモードで共有されるように設定されてもよいし、１つのＷ１が複数のキャリアで共有されるように設定されてもよい。
【１４４０】
新しく定義されたタイプ５のキャリア共有モードは、上記複数のキャリアが、１つの伝送方式に含まれるように設定されてもよいし、上記複数のキャリアは、すべてのキャリアのうちの、任意の数のキャリアであるように設定されてもよい。
【１４４１】
新しく定義されたタイプ５の統合された伝送モードは、複数のＷ１が、単一のサブフレームに統合されて伝送されるように設定されてもよい。
【１４４２】
上述の典型的なシナリオ（ｂ）は、この具体例において想定されている。３ＧＰＰの文献ＴＲ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【１４４３】
なお、モード１−０は、タイプ３とタイプ４との組み合わせである。つまり、タイプ３のフィードバックと、タイプ４のフィードバックとが、異なる周期で、および／または、異なるサブフレームオフセットで実行される。モード１−０では、集合Ｓにおける第一コードワードの広帯域ＣＱＩ、および、場合によってはＲＩ情報がフィードバックされる。モード１−１は、タイプ３とタイプ２との組み合わせである。つまり、タイプ３のフィードバックと、タイプ２のフィードバックとが、異なる周期で、および／または、異なるサブフレームオフセットで実行される。モード１−１では、集合Ｓの広帯域ＰＭＩ、個々のコードワードの広帯域ＣＱＩ、および、場合によってはＲＩ情報がフィードバックされる。モード２−０は、タイプ３、タイプ４およびタイプ１の組み合わせである。つまり、タイプ３のフィードバック、タイプ４のフィードバックおよびタイプ１のフィードバックが、異なる周期で、および／または、異なるサブフレームオフセットで実行される。モード２−０では、集合Ｓにおける第一コードワードの広帯域ＣＱＩ、場合によってはＲＩ情報が、ＢＰにおける１つのより良いサブバンドの位置、および、上記サブバンドのＣＱＩと共にフィードバックされる。モード２−１は、タイプ３、タイプ２、および、タイプ１の組み合わせである。つまり、タイプ３のフィードバックと、タイプ２のフィードバックと、タイプ１のフィードバックとが、異なる周期で、および／または、異なるサブフレームオフセットで実行される。モード２−１では、集合Ｓの広帯域ＰＭＩ、個々のコードワードの広帯域ＣＱＩ、場合によってはＲＩ情報が、ＢＰにおける１つのより良いサブバンドの位置、および、上記サブバンドのＣＱＩと共にフィードバックされる。
【１４４４】
ここで、キャリア＃１のモード１−１におけるタイプ３およびタイプ２のフィードバックサブフレームは、タイプ３において、
【１４４５】
【数５４３】
2013531399.tif 000548
【１４４６】
を、タイプ２において、
【１４４７】
【数５４４】
2013531399.tif 000549
【１４４８】
をそれぞれ満たす。
ここで、ｎｆは、システムフレーム数である。ｎｓは、１つの無線フレーム内のタイムスロット数である。
【１４４９】
【数５４５】
2013531399.tif 000550
【１４５０】
は、キャリア＃１のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１４５１】
【数５４６】
2013531399.tif 000551
【１４５２】
は、キャリア＃１のモード１−１におけるＲＩフィードバックのサブフレームオフセット（実際には、
【１４５３】
【数５４７】
2013531399.tif 000552
【１４５４】
についての付加的オフセット）である。
【１４５５】
【数５４８】
2013531399.tif 000553
【１４５６】
は、キャリア＃１のモード１−１におけるフィードバックモードの周期的パラメータである。そして、上記のそれぞれは正の整数値である。
【１４５７】
キャリア＃２のモード２−１における、タイプ３、タイプ２、および、タイプ１のフィードバックサブフレームは、タイプ３において、
【１４５８】
【数５４９】
2013531399.tif 000554
【１４５９】
を、タイプ２において、
【１４６０】
【数５５０】
2013531399.tif 000555
【１４６１】
を、タイプ１において、
【１４６２】
【数５５１】
2013531399.tif 000556
【１４６３】
をそれぞれ満たす。
ここで、ｎｆは、システムフレーム数である。ｎｓは、１つの無線フレーム内のタイムスロット数である。
【１４６４】
【数５５２】
2013531399.tif 000557
【１４６５】
は、キャリア＃２のモード２−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１４６６】
【数５５３】
2013531399.tif 000558
【１４６７】
は、キャリア＃２のモード２−１におけるＲＩフィードバックのサブフレームオフセット（実際には、
【１４６８】
【数５５４】
2013531399.tif 000559
【１４６９】
についての付加的オフセット）である。
【１４７０】
【数５５５】
2013531399.tif 000560
【１４７１】
は、キャリア＃２のモード２−１におけるフィードバックモードの周期的パラメータである。そして、上記のそれぞれは正の整数値である。
【１４７２】
キャリア＃３のモード１−０における、タイプ３およびタイプ４のフィードバックサブフレームは、タイプ３において、
【１４７３】
【数５５６】
2013531399.tif 000561
【１４７４】
を、タイプ４において、
【１４７５】
【数５５７】
2013531399.tif 000562
【１４７６】
をそれぞれ満たす。
ここで、ｎｆは、システムフレーム数をである。ｎｓは、１つの無線フレーム内のタイムスロット数である。
【１４７７】
【数５５８】
2013531399.tif 000563
【１４７８】
は、キャリア＃３のモード１−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１４７９】
【数５５９】
2013531399.tif 000564
【１４８０】
は、キャリア＃３のモード１−０におけるＲＩフィードバックのサブフレームオフセット（実際には、
【１４８１】
【数５６０】
2013531399.tif 000565
【１４８２】
についての付加的オフセット）である。
【１４８３】
【数５６１】
2013531399.tif 000566
【１４８４】
は、キャリア＃３のモード１−０におけるフィードバックモードの周期的パラメータである。そして、上記のそれぞれは正の整数値である。
【１４８５】
キャリア＃４のモード２−０における、タイプ３、タイプ４、および、タイプ１のフィードバックサブフレームは、タイプ３において、
【１４８６】
【数５６２】
2013531399.tif 000567
【１４８７】
を、タイプ４において、
【１４８８】
【数５６３】
2013531399.tif 000568
【１４８９】
を、タイプ１において、
【１４９０】
【数５６４】
2013531399.tif 000569
【１４９１】
をそれぞれ満たす。
ここで、ｎｆは、システムフレーム数である。ｎｓは、１つの無線フレーム内のタイムスロット数である。
【１４９２】
【数５６５】
2013531399.tif 000570
【１４９３】
は、キャリア＃４のモード２−０におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１４９４】
【数５６６】
2013531399.tif 000571
【１４９５】
は、キャリア＃４のモード２−０におけるＲＩフィードバックのサブフレームオフセット（実際には、
【１４９６】
【数５６７】
2013531399.tif 000572
【１４９７】
についての付加的オフセット）である。
【１４９８】
【数５６８】
2013531399.tif 000573
【１４９９】
は、キャリア＃４のモード２−０におけるフィードバックモードの周期的パラメータである。そして、上記のそれぞれは正の整数値である。
【１５００】
キャリア＃５のモード１−１におけるタイプ３およびタイプ２のフィードバックサブフレームは、タイプ３において、
【１５０１】
【数５６９】
2013531399.tif 000574
【１５０２】
を、タイプ２において、
【１５０３】
【数５７０】
2013531399.tif 000575
【１５０４】
をそれぞれ満たす。
ここで、ｎｆは、システムフレーム数である。ｎｓは、１つの無線フレーム内のタイムスロット数である。
【１５０５】
【数５７１】
2013531399.tif 000576
【１５０６】
は、キャリア＃５のモード１−１におけるＣＱＩフィードバックのサブフレームオフセット（広帯域ＣＱＩフィードバックのサブフレームオフセット、および、サブバンドＣＱＩフィードバックのサブフレームオフセットの両方を表している）である。
【１５０７】
【数５７２】
2013531399.tif 000577
【１５０８】
は、キャリア＃５のモード１−１におけるＲＩフィードバックのサブフレームオフセット（実際には、
【１５０９】
【数５７３】
2013531399.tif 000578
【１５１０】
についての付加的オフセット）である。
【１５１１】
【数５７４】
2013531399.tif 000579
【１５１２】
は、キャリア＃５のモード１−１におけるフィードバックモードの周期的パラメータである。そして、上記のそれぞれは正の整数値である。
【１５１３】
例えば、ＬＴＥ−Ａシステムにおいて、キャリア＃４に関して、モード２−０のＷ１をフィードバックする必要がある。よって、Ｗ１のために、タイプ５と称する新しいタイプが定義される。
【１５１４】
新しく定義されたタイプ５の周期は、タイプ３の周期
【１５１５】
【数５７５】
2013531399.tif 000580
【１５１６】
と同じであるように設定されてもよいし、タイプ４の周期
【１５１７】
【数５７６】
2013531399.tif 000581
【１５１８】
の倍数であるように設定されてもよいし、タイプ１の周期
【１５１９】
【数５７７】
2013531399.tif 000582
【１５２０】
の倍数であるように設定されてもよい。
【１５２１】
新しく定義されたタイプ５のフィードバックサブフレームオフセットは、タイプ４のサブフレームオフセット
【１５２２】
【数５７８】
2013531399.tif 000583
【１５２３】
と同じであるように設定されてもよいし、タイプ３のサブフレームオフセット
【１５２４】
【数５７９】
2013531399.tif 000584
【１５２５】
と同じであるように設定されてもよい。
【１５２６】
新しく定義されたタイプ５の共有モードは、例えば、１つのＷ１がキャリア＃１のモード１−１およびキャリア＃２のモード２−１で共有されるように設定されてもよい。それは、これらの２つのモードは、繰り返しフィードバックされる必要のない同じタイプ５を共有するということである。
【１５２７】
または、新しく定義されたタイプ５の共有モードは、例えば、１つのＷ１は、キャリア＃１のモード１−１、および、キャリア＃２のモード２−１で共有されるように設定されてもよい。キャリア＃１のモード１−１は、キャリア＃１を含み、キャリア＃２のモード２−１は、キャリア＃２を含むので、上記２つのキャリアであるキャリア＃１、＃２は、１つのＷ１を共有してもよい。それは、これらの２つのキャリアは、繰り返しフィードバックされる必要のない同じタイプ５を共有するということである。
【１５２８】
加えて、新しく定義されたタイプ５の統合された伝送モードは、キャリア＃１のモード１−１、および、キャリア＃２のモード２−１のそれぞれが、１つのＷ１を有することが可能なように設定されもよい。すなわち、これらの２つのモードは、異なるタイプ５を有してもよい。この場合には、Ｗ１情報は、上記の、ＲＩ情報、または、広帯域ＣＱＩ情報の統合されたフィードバックのための手順を利用した統合方法で、フィードバックしてもよい。
【１５２９】
ある実施形態では、指定されたキャリアは、ＤＬＰＣＣである。
【１５３０】
上述の典型的なシナリオ（ｂ）では、キャリア＃１は、ＤＬＰＣＣである。したがって、キャリア＃１におけるモード１−１のＷ１情報を基準として、その他のフィードバックモードのＷ１は、差分コーディングされる。この場合、差分コーディング規則は、ＢＳとＵＥとの間で予め取り決められた差分コーディングテーブルにしたがう。表３は、Ｗ１の差分コーディングテーブルの一例である。表３に図示されている２ビット差分コーディングは典型例にすぎない。本発明の実施は、表３のコーディングに限定されない。実際、１ビット差分コーディングもまた実現可能である。１ビット差分コーディングの実施は、本実施例において示すものと同様であるので、ここでは詳細な説明を省略する。
【１５３１】
表３によれば、キャリア＃１のモード１−１のＷ１は３であり、キャリア＃２のモード２−１のＷ１は４であり、キャリア＃５のモード１−１のＷ１は１であると想定される。“キャリア＃１のモード１−１のＷ１が３である”というイベントは、３ビット（０１０）で示されてもよいし、“キャリア＃２のモード２−１のＷ１が４である”というイベントは、２ビット（１１）で示されてもよいし、“キャリア＃５のモード１−１のＷ１が１である”というイベントは、２ビット（０１）で示されてもよい。したがって、これらの７ビットは、統合された伝送のためのＷ１情報（タイプ５）を構成するために連結されてよい。
【１５３２】
あるいは、上記指定されたキャリアは、上位層シグナリングを介して、ＢＳによって設定されるキャリアである。
【１５３３】
上述の典型的なシナリオ（ｂ）では、ＢＳは、上位層シグナリングの手段を用いて、キャリア＃５のモード１−１のＷ１が基準として利用され、他のフィードバックモードのＷ１は、上記基準に関して、差分コーディングされるように、設定することが可能である。この場合、差分コーディング規則は、ＢＳとＵＥとの間で予め取り決められた差分コーディングテーブルにしたがう。表３は、そのようなＷ１の差分コーディングテーブルの一例である。表３に図示されている２ビット差分コーディングは典型例にすぎない。本発明の実施は、表３のコーディングに限定されない。実際、１ビット差分コーディングもまた実現可能である。１ビット差分コーディングの実施は、本実施例において示すものと同様であるので、ここでは詳細な説明を省略する。
【１５３４】
表３によれば、キャリア＃１のモード１−１のＷ１は３であり、キャリア＃２のモード２−１のＷ１は４であり、キャリア＃５のモード１−１のＷ１は１であると想定される。“キャリア＃５のモード１−１のＷ１が１である”というイベントは、３ビット（０００）で示されてもよいし、“キャリア＃２のモード２−１のＷ１が４である”というイベントは、２ビット（１１）で示されてもよいし、“キャリア＃１のモード１−１のＷ１が３である”というイベントは、２ビット（１０）で示されてもよい。したがって、これらの７ビットは、統合された伝送のためのＷ１情報（タイプ５）を構成するために連結されてよい。
【１５３５】
具体例  １３（ａ）
非周期的なフィードバック（ＰＵＳＣＨにおけるフィードバック）を強化するために、新しいフィードバックモードが提案される。
【１５３６】
本具体例において、モード２−２Ｂ（モード２−２が強化されたモード）という新しいモードが定義される。その新しいモード、モード２−２Ｂでは、集合ＳにおけるＭ個のより良いサブバンドの位置、Ｍ個のサブバンドにおけるサブバンドＰＭＩ、上記Ｍ個のサブバンドごとの個々のコードワードのサブバンドＣＱＩ、集合Ｓにおける広帯域ＰＭＩ、集合Ｓにおける個々のコードワードの広帯域ＣＱＩ、および、場合によってはＲＩ情報がフィードバックされる。
【１５３７】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する非周期的なフィードバックモードは、新しく定義されたモード２−２Ｂである。
【１５３８】
キャリア＃１および＃２から構成された集合Ｓは、合計２４個のサブバンドを有する。Ｍの値は、集合Ｓに含まれるサブバンドの数と関係するように設定される。本具体例において、Ｍは８に設定される。したがって、モード２−２Ｂでは、８個のより良いサブバンドの位置、８個のサブバンドにおけるサブバンドＰＭＩ（Ｗ１およびＷ２を含む）、サブバンドＰＭＩから算出された上記８個のサブバンドごとの個々のコードワードのサブバンドＣＱＩ、集合Ｓにおける広帯域ＰＭＩ（Ｗ１およびＷ２を含む）、集合Ｓにおける個々のコードワードの広帯域ＣＱＩ、および、場合によってはＲＩ情報をフィードバックすることが要求される。
【１５３９】
フィードバックオーバヘッドを削減するために、本具体例では、サブバンドＰＭＩは、広帯域ＰＭＩに対して、差分コーディングされる。差分コーディング規則は、ＢＳとＵＥとの間で予め取り決められた差分コーディングテーブルにしたがう。表４は、サブバンドＰＭＩの差分コーディングテーブルの一例である。表４に図示されている２ビット差分コーディングは典型例にすぎない。本発明の実施は、表３のコーディングに限定されない。実際、１ビットまたは３ビット差分コーディングもまた実現可能である。１ビット差分コーディングの実施は、本実施例において示すものと同様であるので、ここでは詳細な説明を省略する。なお、表４はＷ２およびＷ１の両方に適用される。本具体例では、例として、サブバンドＰＭＩの差分コーディングの実施が、Ｗ２について話をすることで説明される。しかしながら、本実施の形態を読むことで、当業者は、Ｗ１の差分コーディングの実施、および、その他のサブバンドＰＭＩの差分コーディングの実施を容易に理解できるであろう。
【１５４０】
【表４】
2013531399.tif 000585
【１５４１】
表４によれば、集合Ｓにおける広帯域ＰＭＩ（Ｗ２）は１２であると想定される。この場合、８個のサブバンドのサブバンドＰＭＩ（Ｗ２）は、１２（００）、１３（０１）、１４（１０）、および、１５（１１）の４つの値のうちの一つのみをとることが可能である。よって、総オーバヘッドは、４ビット（広帯域ＰＭＩ）＋８×２ビット（サブバンドＰＭＩ）＝２０ビットである。
【１５４２】
具体例  １３（ｂ）
非周期的なフィードバック（ＰＵＳＣＨにおけるフィードバック）を強化するために、新しいフィードバックモードが提案される。
【１５４３】
本具体例において、モード２−２Ｂ（モード２−２が強化されたモード）という新しいモードが定義される。その新しいモード、モード２−２Ｂでは、集合ＳにおけるＭ個のより良いサブバンドの位置、Ｍ個のサブバンドにおけるサブバンドＰＭＩ、上記Ｍ個のサブバンドごとの個々のコードワードのサブバンドＣＱＩ、集合Ｓにおける広帯域ＰＭＩ、集合Ｓにおける個々のコードワードの広帯域ＣＱＩ、および、場合によってはＲＩ情報がフィードバックされる。
【１５４４】
上述の典型的なシナリオ（ｂ）は、この具体例において想定されている。３ＧＰＰの文献ＴＲ３６．２１３  Ｖ９．１．０の“Physical layer procedures”によれば、キャリア＃２の伝送方式は、“４）閉ループ空間分割多重方式”であることを想定されており、対応する非周期的なフィードバックモードは、新しく定義されたモード２−２Ｂである。
【１５４５】
キャリア＃２から構成された集合Ｓは、合計１２個のサブバンドを有する。Ｍの値は、集合Ｓに含まれるサブバンドの数と関係するように設定される。本具体例において、Ｍは４に設定される。したがって、モード２−２Ｂでは、４個のより良いサブバンドの位置、４個のサブバンドにおけるサブバンドＰＭＩ（Ｗ１およびＷ２を含む）、サブバンドＰＭＩから算出された上記４個のサブバンドごとの個々のコードワードのサブバンドＣＱＩ、集合Ｓにおける広帯域ＰＭＩ（Ｗ１およびＷ２を含む）、集合Ｓにおける個々のコードワードの広帯域ＣＱＩ、および、場合によってはＲＩ情報をフィードバックすることが要求される。
【１５４６】
フィードバックオーバヘッドを削減するために、本具体例では、サブバンドＰＭＩは、広帯域ＰＭＩに対して、差分コーディングされる。差分コーディング規則は、ＢＳとＵＥとの間で予め取り決められた差分コーディングテーブルにしたがう。表４は、サブバンドＰＭＩの差分コーディングテーブルの一例である。表４に図示されている２ビット差分コーディングは典型例にすぎない。本発明の実施は、表３のコーディングに限定されない。実際、１ビットまたは３ビット差分コーディングもまた実現可能である。１ビット差分コーディングの実施は、本実施例において示すものと同様であるので、ここでは詳細な説明を省略する。なお、表４はＷ２およびＷ１の両方に適用される。本具体例では、例として、サブバンドＰＭＩの差分コーディングの実施が、Ｗ２について話をすることで説明される。しかしながら、本実施の形態を読むことで、当業者は、Ｗ１の差分コーディングの実施、および、その他のサブバンドＰＭＩの差分コーディングの実施を容易に理解できるであろう。
【１５４７】
表４によれば、集合Ｓにおける広帯域ＰＭＩ（Ｗ２）は１２であると想定される。この場合、４個のサブバンドのサブバンドＰＭＩ（Ｗ２）は、１２（００）、１３（０１）、１４（１０）、および、１５（１１）の４つの値のうちの一つのみをとることが可能である。よって、総オーバヘッドは、４ビット（広帯域ＰＭＩ）＋４×２ビット（サブバンドＰＭＩ）＝１２ビットである。
【１５４８】
具体例  １４（ａ）
非周期的なフィードバック（ＰＵＳＣＨにおけるフィードバック）を強化するために、新しいフィードバックモードが提案される。
【１５４９】
本具体例において、モード３−２という新しいモードが定義される。その新しいモード、モード３−２では、集合Ｓにおける個々のサブバンドのサブバンドＰＭＩ、集合Ｓにおけるサブバンドごとの個々のコードワードのＣＱＩ、集合Ｓにおける個々のコードワードの広帯域ＣＱＩ、集合Ｓにおける広帯域ＰＭＩ、および、場合によってはＲＩ情報がフィードバックされる。
【１５５０】
上述の典型的なシナリオ（ａ）は、この具体例において想定されている。３ＧＰＰの文献ＴＲ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する非周期的なフィードバックモードは、新しく定義されたモード３−２である。
【１５５１】
キャリア＃１および＃２から構成された集合Ｓは、合計２４個のサブバンドを有する。よって、モード３−２では、２４個全てのサブバンドのサブバンドＰＭＩ（Ｗ１およびＷ２を含む）、サブバンドＰＭＩから算出された上記２４個のサブバンドごとの個々のコードワードのＣＱＩ、集合Ｓにおける個々のコードワードの広帯域ＣＱＩ、集合Ｓにおける広帯域ＰＭＩ（Ｗ１およびＷ２を含む）、および、場合によってはＲＩ情報をフィードバックすることが要求される。
【１５５２】
フィードバックオーバヘッドを削減するために、本具体例では、サブバンドＰＭＩは、広帯域ＰＭＩに対して、差分コーディングされる。差分コーディング規則は、ＢＳとＵＥとの間で予め取り決められた差分コーディングテーブルにしたがう。表４は、サブバンドＰＭＩの差分コーディングテーブルの一例である。表４に図示されている２ビット差分コーディングは典型例にすぎない。本発明の実施は、表３のコーディングに限定されない。実際、１ビットまたは３ビット差分コーディングもまた実現可能である。１ビット差分コーディングの実施は、本実施例において示すものと同様であるので、ここでは詳細な説明を省略する。なお、表４はＷ２およびＷ１の両方に適用される。本具体例では、例として、サブバンドＰＭＩの差分コーディングの実施が、Ｗ２について話をすることで説明される。しかしながら、本実施の形態を読むことで、当業者は、Ｗ１の差分コーディングの実施、および、その他のサブバンドＰＭＩの差分コーディングの実施を容易に理解できるであろう。
【１５５３】
表４によれば、集合Ｓにおける広帯域ＰＭＩ（Ｗ２）は７であると想定される。この場合、２４個のサブバンドのサブバンドＰＭＩ（Ｗ２）は、７（００）、８（０１）、９（１０）、および、１０（１１）の４つの値のうちの一つのみをとることが可能である。よって、総オーバヘッドは、４ビット（広帯域ＰＭＩ）＋２４×２ビット（サブバンドＰＭＩ）＝５２ビットである。
【１５５４】
具体例  １４（ｂ）
非周期的なフィードバック（ＰＵＳＣＨにおけるフィードバック）を強化するために、新しいフィードバックモードが提案される。
【１５５５】
本具体例において、モード３−２という新しいモードが定義される。その新しいモード、モード３−２では、集合Ｓにおける個々のサブバンドのサブバンドＰＭＩ、集合Ｓにおけるサブバンドごとの個々のコードワードのＣＱＩ、集合Ｓにおける個々のコードワードの広帯域ＣＱＩ、集合Ｓにおける広帯域ＰＭＩ、および、場合によってはＲＩ情報がフィードバックされる。
【１５５６】
上述の典型的なシナリオ（ｂ）は、この具体例において想定されている。３ＧＰＰの文献ＴＲ３６．２１３  Ｖ９．１．０の“Physical layer procedures”によれば、キャリア＃２の伝送方式は、“４）閉ループ空間分割多重方式”であることを想定されており、対応する非周期的なフィードバックモードは、新しく定義されたモード３−２である。
【１５５７】
キャリア＃２から構成された集合Ｓは、合計１２個のサブバンドを有する。よって、モード３−２では、１２個全てのサブバンドのサブバンドＰＭＩ（Ｗ１およびＷ２を含む）、サブバンドＰＭＩから算出された上記１２個のサブバンドごとの個々のコードワードのＣＱＩ、集合Ｓにおける個々のコードワードの広帯域ＣＱＩ、集合Ｓにおける広帯域ＰＭＩ（Ｗ１およびＷ２を含む）、および、場合によってはＲＩ情報をフィードバックすることが要求される。
【１５５８】
フィードバックオーバヘッドを削減するために、本具体例では、サブバンドＰＭＩは、広帯域ＰＭＩに対して、差分コーディングされる。差分コーディング規則は、ＢＳとＵＥとの間で予め取り決められた差分コーディングテーブルにしたがう。表４は、サブバンドＰＭＩの差分コーディングテーブルの一例である。表４に図示されている２ビット差分コーディングは典型例にすぎない。本発明の実施は、表３のコーディングに限定されない。実際、１ビットまたは３ビット差分コーディングもまた実現可能である。１ビット差分コーディングの実施は、本実施例において示すものと同様であるので、ここでは詳細な説明を省略する。なお、表４はＷ２およびＷ１の両方に適用される。本具体例では、例として、サブバンドＰＭＩの差分コーディングの実施が、Ｗ２について話をすることで説明される。しかしながら、本実施のを読むことで、当業者は、Ｗ１の差分コーディングの実施、および、その他のサブバンドＰＭＩの差分コーディングの実施を容易に理解できるであろう。
【１５５９】
表４によれば、集合Ｓにおける広帯域ＰＭＩ（Ｗ２）は７であると想定される。この場合、１２個のサブバンドのサブバンドＰＭＩ（Ｗ２）は、７（００）、８（０１）、９（１０）、および、１０（１１）の４つの値のうちの一つのみをとることが可能である。よって、総オーバヘッドは、４ビット（広帯域ＰＭＩ）＋１２×２ビット（サブバンドＰＭＩ）＝２８ビットである。
【１５６０】
上記の説明において、複数の実施例を挙げた。発明者は、相互に関連性のある実施例を示すようにしたが、そのことは、上記示された実施例となるように、上記と一致するようなものを有することを要求することを意味しない。選択された実施例における所定の条件が相互矛盾しないかぎり、多くの解決が、一致のない例を選択することによって達成されてよい。そのような解決は本発明の範囲に含まれる。
【１５６１】
以上、好ましい実施例に基づいて、本発明を説明した。本発明の思想および範囲を超えない限り、各種の変更、入れ替え、追加が、当業者によって実施可能であるということは、理解されたい。よって、本発明の範囲は、上記所定の実施例に限定されず、添付されている特許請求の範囲によってのみ限定されるべきである。
【図１】
2013531399.tif 000586
【図２】
2013531399.tif 000587
【図３】
2013531399.tif 000588
【図４】
2013531399.tif 000589
【図５】
2013531399.tif 000590
【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
基地局（ＢＳ）によって設定されたダウンリンク伝送方式およびフィードバックモードに基づいて、ダウンリンクチャネル状態情報（ＣＳＩ）を基地局にフィードバックし、
１つのサブフレーム内で異なるフィードバックモードのさまざまなタイプが互いに衝突する場合に、衝突解消規則に基づいて、当該衝突を解消する、
移動端末制御ユニットを備えていることを特徴とするＣＳＩフィードバックのための移動局装置（ＵＥ）。
【請求項２】
上記移動端末制御ユニットは、上記衝突解消規則に基づいて、衝突を解消し、
上記衝突解消規則は、ダウンリンクプライマリキャリアコンポーネント（downlink primary carrier component）のモードが、高い優先度を有するダウンリンクプライマリキャリアコンポーネント優先規則（downlink primary carrier component-prioritized rule）として定義され、モードの優先度は、上記モードに含まれているそれぞれのタイプの優先度であり、
衝突が起こった場合、優先度の高いタイプがフィードバックされ、優先度の低いタイプは破棄されることを特徴とする請求項１に記載の移動局装置（ＵＥ）。
【請求項３】
上記移動端末制御ユニットは、上記ダウンリンクプライマリキャリアコンポーネント優先規則に基づいて、衝突を解消し、
上記ダウンリンクプライマリキャリアコンポーネント優先規則は、さらに、非ダウンリンクプライマリキャリアコンポーネントの各モードは、１つの予め決められた優先度を有し、モードの優先度は、上記モードに含まれているそれぞれのタイプの優先度であり、
衝突が起こった場合、優先度の高いタイプがフィードバックされ、優先度の低いタイプは破棄されることを特徴とする請求項２に記載の移動局装置（ＵＥ）。
【請求項４】
基地局（ＢＳ）によって設定されたダウンリンク伝送方式およびフィードバックモードに基づいて、ダウンリンクチャネル状態情報（ＣＳＩ）を基地局にフィードバックするステップと、
１つのサブフレーム内で異なるフィードバックモードのさまざまなタイプが互いに衝突する場合に、衝突解消規則に基づいて、当該衝突を解消するステップとを含む、ことを特徴とするＣＳＩフィードバック方法。
【請求項５】
上記衝突解消規則は、フィードバックのオーバヘッドが小さいモードほど優先度が高くなるモード優先規則（mode-prioritized rule）として定義され、モードの優先度は、上記モードに含まれているそれぞれのタイプの優先度であり、
衝突が起こった場合、優先度の高いタイプがフィードバックされ、優先度の低いタイプは破棄されることを特徴とする請求項４に記載のＣＳＩフィードバック方法。
【請求項６】
上記衝突解消規則は、ダウンリンクプライマリキャリアコンポーネント（downlink primary carrier component）のモードが、高い優先度を有するダウンリンクプライマリキャリアコンポーネント優先規則（downlink primary carrier component-prioritized rule）として定義され、モードの優先度は、上記モードに含まれているそれぞれのタイプの優先度であり、
衝突が起こった場合、優先度の高いタイプがフィードバックされ、優先度の低いタイプは破棄されることを特徴とする請求項４に記載のＣＳＩフィードバック方法。
【請求項７】
上記ダウンリンクプライマリキャリアコンポーネント優先規則は、さらに、非ダウンリンクプライマリキャリアコンポーネントの各モードは、１つの予め決められた優先度を有し、モードの優先度は、上記モードに含まれているそれぞれのタイプの優先度であり、
衝突が起こった場合、優先度の高いタイプがフィードバックされ、優先度の低いタイプは破棄されることを特徴とする請求項６に記載のＣＳＩフィードバック方法。
【請求項８】
複数のＲＩ情報が、コーディング処理を経ずに、連結されて伝送されることを特徴とする請求項４に記載のＣＳＩフィードバック方法。
【請求項９】
複数のＲＩ情報が、ジョイントコーディング処理にかけられた後に、同時に伝送されることを特徴とする請求項４に記載のＣＳＩフィードバック方法。
【請求項１０】
上記ジョイントコーディング処理は、指定されたフィードバックモードのＲＩを基準として、その他のフィードバックモードのＲＩは、上記基準としたＲＩに対して差分コーディングされるモード間（inter-mode）差分コーディング処理であることを特徴とする請求項９に記載のＣＳＩフィードバック方法。
【請求項１１】
上記ジョイントコーディング処理は、指定されたキャリアのフィードバックモードのＲＩを基準として、その他のフィードバックモードのＲＩが差分コーディングされるキャリア間（inter-carrier）差分コーディング処理であることを特徴とする請求項９に記載のＣＳＩフィードバック方法。
【請求項１２】
複数の広帯域ＣＱＩ情報は、ジョイントコーディング処理にかけられた後に、同時に伝送されることを特徴とする請求項４に記載のＣＳＩフィードバック方法。
【請求項１３】
上記ジョイントコーディング処理は、指定されたキャリアのフィードバックモードのＣＱＩを基準として、その他のフィードバックモードのＣＱＩが差分コーディングされるキャリア間（inter-carrier）差分コーディング処理であることを特徴とする請求項１２に記載のＣＳＩフィードバック方法。
【請求項１４】
複数のタイプは、コーディング処理を経ずに、連結されて伝送されることを特徴とする請求項４に記載のＣＳＩフィードバック方法。
【請求項１５】
複数のタイプは、ジョイントコーディング処理にかけられた後に、同時に伝送されることを特徴とする請求項４に記載のＣＳＩフィードバック方法。
【請求項１６】
複数のＷ１は、１つのサブフレームに統合されて伝送され、各Ｗ１は、広帯域／長区間チャネル特性を示すことを特徴とする請求項４に記載のＣＳＩフィードバック方法。
【請求項１７】
集合Ｓ内のより良いＭ個のサブバンドの位置と、上記Ｍ個のサブバンドのサブバンドＰＭＩと、上記Ｍ個のサブバンドごとの各々のコードワードのサブバンドＣＱＩと、集合Ｓの広帯域ＰＭＩと、集合Ｓ内の各々のコードワードの広帯域ＣＱＩと、場合によってはＲＩ情報とがフィードバックされるモード２−２Ｂという新しいモードが定義されることを特徴とする請求項４に記載のＣＳＩフィードバック方法。
【請求項１８】
集合Ｓ内の各々のサブバンドのサブバンドＰＭＩと、集合Ｓ内のサブバンドごとの各々のコードワードのＣＱＩと、集合Ｓ内の個々のコードワードの広帯域ＣＱＩと、集合Ｓの広帯域ＰＭＩと、場合によってはＲＩ情報とがフィードバックされるモード３−２という新しいモードが定義されることを特徴とする請求項４に記載のＣＳＩフィードバック方法。
【手続補正２】
【補正対象書類名】明細書
【補正対象項目名】０００６
【補正方法】変更
【補正の内容】
【０００６】
ダウンリンクＣＳＩのフィードバック用に、物理アップリンク制御チャネル（ＰＵＣＣＨ；Physical Uplink Control CHannel）と、物理アップリンク共有チャネル（ＰＵＳＣＨ；Physical Uplink Shared CHannel）の２つのフィードバックチャネルがある。通常、ＰＵＣＣＨは、低負荷の、同期された、基本的なＣＳＩを送信するために構成される。一方、ＰＵＳＣＨは、高負荷の、突発的で、拡張されたＣＳＩを送信するために構成される。ＰＵＣＣＨでは、完全なＣＳＩは、複数の異なるサブフレームにおいて送信される、複数の異なるフィードバックコンテンツで構成される。一方、ＰＵＳＣＨでは、完全なＣＳＩは、１つのサブフレーム内で送信される。このような設計原則は、ＬＴＥ−Ａシステムにおいても適用可能なままである。
【手続補正３】
【補正対象書類名】明細書
【補正対象項目名】００８２
【補正方法】変更
【補正の内容】
【００８２】
さらに、３ＧＰＰの文献ＴＳ３６．２１３  Ｖ９．１．０、“Physical layer procedures”によれば、２０ＭＨｚの帯域を持つダウンリンクＬＴＥシステムにおいて、周波数ドメインには、制御シグナリングエリアに加えて、約９６のスペクトルリソースブロックが存在する。定義によれば、これらのスペクトルリソースブロックは、周波数に基づいて降順にソートされる。全部で８つの連続したスペクトルリソースブロックはサブバンドと呼ばれる。つまり、サブバンドは、約１２個存在する。なお、標準プロトコルに準拠した上述のサブバンドの定義は、本発明の実施形態を説明するために例示されたものである。本発明の応用は、上述の定義に限定されず、その他の定義にも十分に適用することが可能である。本発明の実施形態を読めば、当業者は、本発明の解決手段がサブバンドの一般的な定義に適用可能であるということを理解することができる。
【手続補正４】
【補正対象書類名】明細書
【補正対象項目名】０１２１
【補正方法】変更
【補正の内容】
【０１２１】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【手続補正５】
【補正対象書類名】明細書
【補正対象項目名】０１６５
【補正方法】変更
【補正の内容】
【０１６５】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正６】
【補正対象書類名】明細書
【補正対象項目名】０２４６
【補正方法】変更
【補正の内容】
【０２４６】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【手続補正７】
【補正対象書類名】明細書
【補正対象項目名】０２８３
【補正方法】変更
【補正の内容】
【０２８３】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正８】
【補正対象書類名】明細書
【補正対象項目名】０３５７
【補正方法】変更
【補正の内容】
【０３５７】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【手続補正９】
【補正対象書類名】明細書
【補正対象項目名】０３８９
【補正方法】変更
【補正の内容】
【０３８９】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正１０】
【補正対象書類名】明細書
【補正対象項目名】０４６２
【補正方法】変更
【補正の内容】
【０４６２】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【手続補正１１】
【補正対象書類名】明細書
【補正対象項目名】０４９４
【補正方法】変更
【補正の内容】
【０４９４】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正１２】
【補正対象書類名】明細書
【補正対象項目名】０５６７
【補正方法】変更
【補正の内容】
【０５６７】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【手続補正１３】
【補正対象書類名】明細書
【補正対象項目名】０５９９
【補正方法】変更
【補正の内容】
【０５９９】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正１４】
【補正対象書類名】明細書
【補正対象項目名】０６７２
【補正方法】変更
【補正の内容】
【０６７２】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【手続補正１５】
【補正対象書類名】明細書
【補正対象項目名】０７０４
【補正方法】変更
【補正の内容】
【０７０４】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正１６】
【補正対象書類名】明細書
【補正対象項目名】０７７７
【補正方法】変更
【補正の内容】
【０７７７】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【手続補正１７】
【補正対象書類名】明細書
【補正対象項目名】０８０９
【補正方法】変更
【補正の内容】
【０８０９】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正１８】
【補正対象書類名】明細書
【補正対象項目名】０８８２
【補正方法】変更
【補正の内容】
【０８８２】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【手続補正１９】
【補正対象書類名】明細書
【補正対象項目名】０９２２
【補正方法】変更
【補正の内容】
【０９２２】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正２０】
【補正対象書類名】明細書
【補正対象項目名】１００２
【補正方法】変更
【補正の内容】
【１００２】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正２１】
【補正対象書類名】明細書
【補正対象項目名】１０８３
【補正方法】変更
【補正の内容】
【１０８３】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正２２】
【補正対象書類名】明細書
【補正対象項目名】１１６３
【補正方法】変更
【補正の内容】
【１１６３】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【手続補正２３】
【補正対象書類名】明細書
【補正対象項目名】１１９５
【補正方法】変更
【補正の内容】
【１１９５】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正２４】
【補正対象書類名】明細書
【補正対象項目名】１２６８
【補正方法】変更
【補正の内容】
【１２６８】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【手続補正２５】
【補正対象書類名】明細書
【補正対象項目名】１３０１
【補正方法】変更
【補正の内容】
【１３０１】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正２６】
【補正対象書類名】明細書
【補正対象項目名】１３８０
【補正方法】変更
【補正の内容】
【１３８０】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する周期的なフィードバックモードは、モード１−１である。さらに、キャリア＃３、＃４、および、＃５の伝送方式は、“３）開ループ空間分割多重方式”であることを想定されており、対応する周期的なフィードバックモードは、モード２−０である。
【手続補正２７】
【補正対象書類名】明細書
【補正対象項目名】１４４２
【補正方法】変更
【補正の内容】
【１４４２】
上述の典型的なシナリオ（ｂ）は、この具体例において想定されている。３ＧＰＰの文献ＴＳ３６．２１３  Ｖ９．１．０の“Physical layer procedures”によれば、キャリア＃１の伝送方式は、“８）二層ビームフォーミング伝送方式（ＰＭＩ／ＲＩフィードバックを伴う）”であることを想定されており、対応する周期的なフィードバックモードは、モード１−１である。キャリア＃２の伝送方式は、“４）閉ループ空間分割多重方式”であることを想定されており、対応する周期的なフィードバックモードは、モード２−１である。キャリア＃３の伝送方式は、“２）ダイバーシチ伝送方式”であることを想定されており、対応する周期的なフィードバックモードは、モード１−０である。キャリア＃４の伝送方式は、“２）ダイバーシチ伝送方式”であることを想定されており、対応する周期的なフィードバックモードは、モード２−０である。最後に、キャリア＃５の伝送方式は、“５）マルチユーザＭＩＭＯ方式”であることを想定されており、対応する周期的なフィードバックモードは、モード１−１である。
【手続補正２８】
【補正対象書類名】明細書
【補正対象項目名】１５３７
【補正方法】変更
【補正の内容】
【１５３７】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する非周期的なフィードバックモードは、新しく定義されたモード２−２Ｂである。
【手続補正２９】
【補正対象書類名】明細書
【補正対象項目名】１５４４
【補正方法】変更
【補正の内容】
【１５４４】
上述の典型的なシナリオ（ｂ）は、この具体例において想定されている。３ＧＰＰの文献ＴＳ３６．２１３  Ｖ９．１．０の“Physical layer procedures”によれば、キャリア＃２の伝送方式は、“４）閉ループ空間分割多重方式”であることを想定されており、対応する非周期的なフィードバックモードは、新しく定義されたモード２−２Ｂである。
【手続補正３０】
【補正対象書類名】明細書
【補正対象項目名】１５５０
【補正方法】変更
【補正の内容】
【１５５０】
上述の典型的なシナリオ（ａ）は、この具体例において想定されている。３ＧＰＰの文献ＴＳ３６．２１３  Ｖ９．１．０の“Physical layer procedures”によれば、キャリア＃１およびキャリア＃２の伝送方式は、“８）二層ビームフォーミング伝送方式（ＰＭＩ／ＲＩフィードバックを伴う）”であることを想定されており、対応する非周期的なフィードバックモードは、新しく定義されたモード３−２である。
【手続補正３１】
【補正対象書類名】明細書
【補正対象項目名】１５５６
【補正方法】変更
【補正の内容】
【１５５６】
上述の典型的なシナリオ（ｂ）は、この具体例において想定されている。３ＧＰＰの文献ＴＳ３６．２１３  Ｖ９．１．０の“Physical layer procedures”によれば、キャリア＃２の伝送方式は、“４）閉ループ空間分割多重方式”であることを想定されており、対応する非周期的なフィードバックモードは、新しく定義されたモード３−２である。
【国際調査報告】
2013531399.tif 000591
2013531399.tif 000592
2013531399.tif 000593